(57)【要約】  本願は、環境における自然環境と人為的環境の変化を検出し、電子機器の使用を自動的又は半自動的に制御することができる環境制御システムに関する。該システムは、ネットワーク接続と内蔵記憶モジュール内に記憶された収集情報により、ユーザの電子機器への使用習慣を計算し学習することができる。【選択図】図１４
2018513531.tif 000002
【特許請求の範囲】
【請求項１】
第１のパネルと第２のパネルを含み、
前記第１のパネルは、
第１の機器に関するパラメータを収集することができる第１のセンサーモジュールと、
少なくとも一部の収集されたパラメータ又はユーザ入力に基づいて、前記第１の機器への制御を決定することができる第１の処理モジュールとを含み、
前記第２のパネルは、前記第１のパネルとは独立して動作することができ、前記第２のパネルは、
前記第１の機器を制御することができる第１の物理調整器を含み、
前記第１のパネルは前記第１の物理調整器を制御することができ、前記第１のパネルと前記第２のパネルは取り外し可能に接続されるシステム。
【請求項２】
前記第２のパネルは、電流情報を収集して、前記電流情報を前記第１のパネルに送信することができる電流検出装置をさらに含む請求項１に記載のシステム。
【請求項３】
前記第１の物理調整器は調光器である請求項１に記載のシステム。
【請求項４】
前記第１のパネルは物体の近接を感知することができる近接センサーをさらに含む請求項１に記載のシステム。
【請求項５】
前記第１のパネルは環境光の強度を感知することができる光センサーをさらに含む請求項１に記載のシステム。
【請求項６】
前記光センサーは物体の近接をさらに感知することができる請求項５に記載のシステム。
【請求項７】
前記第１のパネルは環境温湿度センサー又はガス成分センサーをさらに含む請求項１に記載のシステム。
【請求項８】
前記第１のパネルは、環境における速度、輪郭、及び物体とインテリジェントスイッチとの間の距離を検出することができる運動センサーをさらに含む請求項１に記載のシステム。
【請求項９】
前記第１のパネルは、開閉可能な物理バッフルを有する撮像機器をさらに含むことができる請求項１に記載のシステム。
【請求項１０】
前記第１のパネルはゲートウェイをさらに含む請求項１に記載のシステム。
【請求項１１】
前記第１のパネルは第１の通信モジュールをさらに含み、前記第１のパネルはさらに前記第１の通信モジュールにより第２の機器と通信することができる請求項１に記載のシステム。
【請求項１２】
前記第１のパネルは、前記第２の機器との通信により前記第２の機器を制御することができる請求項１１に記載のシステム。
【請求項１３】
前記第１の通信モジュールと前記第２の機器との通信は１つ以上のオペレータネットワークを経由する請求項１２に記載のシステム。
【請求項１４】
前記第１の通信モジュールと前記第２の機器との通信は無線ネットワークを経由する請求項１２に記載のシステム。
【請求項１５】
前記第１のパネルはタッチスクリーンをさらに含む請求項１に記載のシステム。
【請求項１６】
前記第１のパネルは、前記タッチスクリーンにより前記ユーザ入力を取得することができる請求項１５に記載のシステム。
【請求項１７】
前記第１のパネルは、前記タッチスクリーンにより前記第１の機器に関する情報を表示することができる請求項１５に記載のシステム。
【請求項１８】
前記第１のパネルは、前記第１の通信モジュールにより前記ユーザ入力を取得することができる請求項１に記載のシステム。
【請求項１９】
前記第２のパネルは第２のセンサーモジュールをさらに含む請求項１に記載のシステム。
【請求項２０】
前記第２のパネルは第２の通信モジュールをさらに含む請求項１に記載のシステム。
【請求項２１】
前記第２のパネルは第２のセンサーモジュール及び第２の通信モジュールをさらに含む請求項１に記載のシステム。
【請求項２２】
第３の機器を制御することができる第２の物理調整器を含む第３のパネルをさらに含み、前記第１のパネルが前記第２の物理調整器を制御することができる請求項１に記載のシステム。
【請求項２３】
前記第３のパネルは第３のセンサーモジュールをさらに含む請求項２２に記載のシステム。
【請求項２４】
前記第３のパネルは第３の通信モジュールをさらに含む請求項２２に記載のシステム。
【請求項２５】
前記第３のパネルは第３のセンサーモジュール及び第３の通信モジュールをさらに含む請求項２２に記載のシステム。
【請求項２６】
前記第１のパネルはさらに前記第１の通信モジュールにより第３のパネルと通信することができる請求項２２に記載のシステム。
【請求項２７】
前記第１のパネルと第３のパネルは取り外し可能に接続される請求項２２に記載のシステム。
【請求項２８】
前記第１のパネルにより前記第１の機器を制御することができる無線スイッチをさらに含む請求項１に記載のシステム。
【請求項２９】
前記第１のパネルと前記第２のパネルを接続するコネクタをさらに含む請求項１に記載のシステム。
【請求項３０】
第１のパネルにより、第１の機器に関するパラメータ又はユーザ入力を取得することと、
少なくとも一部の取得されたパラメータ又はユーザ入力に基づいて、前記第１のパネルにより前記第１の機器への制御操作を決定することと、
前記第１の機器への制御操作を実行することとを含み、
前記第１の機器への制御操作は、前記第１のパネルにより第１の物理調整器を制御することを含み、前記第１の物理調整器は、第１のパネルとは独立して前記第１の機器を制御することができる方法。
【請求項３１】
前記第１のパネルは第１のセンサーモジュールを含み、前記第１の機器に関するパラメータは第１のセンサーモジュールにより収集される請求項３０に記載の方法。
【請求項３２】
前記第１のパネルはタッチスクリーンを含み、前記ユーザ入力は前記タッチスクリーンにより取得される請求項３０に記載の方法。
【請求項３３】
前記第１の物理調整器は調光器である請求項３０に記載の方法。
【請求項３４】
前記第１のパネルは第１の通信モジュールをさらに含み、前記第１のパネルは前記第１の通信モジュールにより第２の機器と通信することができる請求項３０に記載の方法。
【請求項３５】
前記第１のパネルは、前記第２の機器との通信により前記第２の機器を制御することができる請求項３０に記載の方法。
【発明の詳細な説明】
【技術分野】
【０００１】
本願は環境制御システムに関し、複数のサブシステム又はモデル統合、建築環境設計及び制御、データ収集及び分析、回路集積、データ通信及びインテリジェント科学の分野を含む。
【背景技術】
【０００２】
現代社会の生活環境は、常に複数の電子機器の相互協力に依存し、例えば、建物内の灯光制御、常用の電気製品（例えば、電気冷蔵庫、テレビなど）の取付及び使用、セキュリティシステム（例えば、チャイム、閉回路テレビなど）、暖房及びエアコンシステムなどが挙げられる。このような電子機器は、ほとんど物理スイッチを用い、例えば、電球の手動スイッチ、電気冷蔵庫のコンセント接続、チャイムのボタン、温水暖房システムのバルブ及びエアコンのスイッチが挙げられる。物理的スイッチの使用は、人々に不便をもたらす場合がある。例えば、夜間に部屋に入るとき又は夜中に起きるとき、手で電球のスイッチを探す必要があるかもしれず、出かける前に電灯を消し、テレビを消すのを忘れ、寝る前にテレビを消すのを忘れるため、テレビが一晩中放送し、エネルギーを浪費し、客が訪ねて来るときにチャイムを鳴らすと、主人が部屋を通り抜けてドアを開くかもしれず、エアコンを手動で起動する必要があり、所定の温度に達するまで一定の時間を経つことが必要であり、そうでなければ、長時間にわたって無効に運転するかもしれず、セキュリティ閉回路テレビの録画機能は、一般的に長時間にわたって起動する必要があり、大量の記憶空間が占用される場合がある。以上に挙げられた例はいくつかの一般的な状況に過ぎないため、いくつかの電子機器にインテリジェント制御要素（例えば、電気冷蔵庫のインテリジェント温度制御など）が既に付加されたが、人々は依然としてよりインテリジェントで、より便利で、機能がより強い環境制御システムを必要とすることが分かる。
【発明の概要】
【０００３】
本願は、環境制御システム及び使用方法に関する。該環境制御システムは、複数のサブシステム又はモデル統合、建築環境設計及び制御、データ収集及び分析、回路集積、データ通信及びインテリジェント科学の分野を含むことができる。１つの実施例によれば、該システムは、第１のパネル及び第２のパネルを含む。第１のパネルは、第１のセンサーモジュール及び第１の処理モジュールを含むことができる。第１のセンサーモジュールは、第１の機器に関するパラメータを収集することができる。第１の処理モジュールは、少なくとも一部の収集されたデータ又はユーザ入力に基づいて、第１の機器への制御を決定することができる。第１のパネルは、他の方式（例えば、第２のパネルに位置するセンサー又はセンサー部品、システム外に位置する（システムとは独立した）センサー又はセンサー部品など）により、第１の機器に関する１種以上のパラメータを、第１の機器への制御を決定する根拠として取得することができる。第２のパネルは第１のパネルとは独立して作動することができる。第２のパネルは第１の物理調整器を含むことができる。第１の物理調整器は第１の機器を制御することができる。第１のパネルは第１の物理調整器を制御することができる。第１のパネルと第２のパネルは取り外し可能に接続される。第１のパネルはフロントパネルとも呼ばれる。第２のパネルはバックパネルとも呼ばれる。便宜上、環境制御システムはシステムとも呼ばれる。
【０００４】
本願の１つの実施例によれば、前記第１のパネルの第１のセンサーモジュールは、１つ以上のセンサー又はセンサー部品を含むことができる。例えば、第１のパネルの第１のセンサーモジュールは、環境温湿度センサー、ガス成分センサー、運動センサー、近接センサー、環境光の強度を感知できる光センサーなど、様々なセンサー又はセンサー部品の任意の１種の組合せを含むことができる。運動センサーは、環境における速度、輪郭、及び物体とインテリジェントスイッチとの間の距離を検出することができる。第１のパネルは撮像機器を含む。前記撮像機器は開閉可能な物理バッフルを有することができる。第１のパネルはゲートウェイを含むことができる。該ゲートウェイはインテリジェントゲートウェイであってよい。本願では、インテリジェントゲートウェイについて、明細書の後述する内容を参照して説明する。
【０００５】
本願の１つの実施例によれば、前記第１のパネルは第１の通信モジュールをさらに含む。第１のパネルは、第１の通信モジュールにより第２の機器と通信することができる。第１のパネルは、第２の機器との通信により第２の機器を制御することができる。第１のパネルは、第２の機器に関するパラメータ又はユーザ入力を収集又は取得し、これに基づいて第２の機器に通信又は制御を行うことができる。第１のパネルが第２の機器に関するパラメータ又はユーザ入力を収集又は取得することについての説明を参照する。第１の通信モジュールと前記第２の機器との通信は１つ以上のオペレータネットワークを経由する。第１の通信モジュールと第２の機器との通信は１つの無線ネットワークを経由してよい。
【０００６】
本願の１つの実施例によれば、前記第１のパネルはタッチ装置を含む。前記タッチ装置はタッチスクリーンであってよい。本願では、タッチ装置及びタッチスクリーンはタッチスクリーンと総称されてよい。第１のパネルは、前記タッチスクリーンによりユーザ入力を取得することができる。第１のパネルは、タッチスクリーンにより第１の機器に関する情報を表示することができる。ユーザ入力は、ユーザがタッチスクリーンに表示されている第１の機器に関する少なくとも一部の情報をクリック又は選定することであってよい。第１のパネルは、タッチスクリーンにより他の情報を表示することができる。ユーザ入力は、ユーザがタッチスクリーンで表示されている情報の一部又は全部をクリック又は選定することであってよい。ユーザ入力は、ユーザが入力した他の情報又は命令であってもよい。第１のパネルは、前記第１の通信モジュールによりユーザ入力（例えば、環境制御システムと通信できる携帯電話、コンピュータ、テレビ又はテレビリモコン上のユーザ入力など）を取得することができる。本願の１つの実施例によれば、第２のパネルは、第２のセンサーモジュール及び（又は)第２の通信モジュールを含む。第２のセンサーモジュールは、第１のセンサーモジュールについての説明を参照することができる。第２の通信モジュールは、第１の通信モジュールについての説明を参照することができる。
【０００７】
本願の１つの実施例によれば、環境制御システムは、第１のパネル及び第２のパネルを含む。第１のパネルは、第１の機器に関するパラメータ又はユーザ入力を収集又は取得可能なように配置されてよい。第１の機器に関するパラメータは、センサー又はセンサー部品により収集されてよい。該センサー又はセンサー部品は、環境制御システムの一部であってよい。例えば、環境制御システムはセンサーモジュールを含み、該センサー又はセンサー部品は該センサーモジュールの一部であってよい。該センサーモジュールは、第１のパネルの一部であっても、第２のパネルの一部であってもよい。第１の機器に関するパラメータは、該環境制御システムの他の部分又はモジュールにより取得されてよい。例えば、第１の機器に関するパラメータは、環境制御システム外の（システムとは独立した）センサー又はセンサー部品により収集されてシステムへ送信されてよい。第１の機器に関するユーザ入力は、入出力機器により取得されてよい。この入出力機器はタッチスクリーンであってよい。該入出力機器は、環境制御システムの一部であってよい。例えば、環境制御システムはタッチスクリーンを含み、該タッチスクリーンは、第１のパネルの一部であっても、第２のパネルの一部であってもよい。第１の機器に関するユーザ入力は、該環境制御システムの他の部分又はモジュールにより取得されてよい。例えば、第１の機器に関するユーザ入力は、環境制御システム外の（システムとは独立した）入出力機器により取得されてシステムへ送信されてよい。該環境制御システムは、少なくとも一部の収集又は取得されたパラメータ又はユーザ入力に基づいて、第１の機器への制御を決定することができる。該決定はプロセッサによって作られてよい。該プロセッサは環境制御システムの一部であってよい。例えば、環境制御システムは処理モジュールを含み、該プロセッサは該処理モジュールの一部であってよい。該処理モジュールは、第１のパネルの一部であっても、第２のパネルの一部であってもよい。さらに、該プロセッサは、例えば、クラウドサーバの一部であってもよい。該クラウドサーバは、環境制御システムの一部であっても、環境システム外の（環境制御システムとは独立した）ものであってもよい。第２のパネルは第１の物理調整器を含むことができる。第１の物理調整器は第１の機器を制御することができる。第１のパネルは、第１の物理調整器を制御することにより、第１の機器を制御することができる。第１のパネルと第２のパネルは取り外し可能に接続される。第１のパネルは、第１の機器以外の他の機器と通信するか又は該機器を制御することができる。
本願の１つの実施例によれば、環境制御システムは、第１のパネルと第２のパネルを接続するコネクタを含む。
【０００８】
本願の１つの実施例によれば、第２のパネルは、電流情報を収集して該電流情報を前記第１のパネルに送信できる電流検出装置をさらに含む。第２のパネル上の第１の物理調整器は調光器であってよい。
【０００９】
本願の１つの実施例によれば、環境制御システムは、第１のパネルにより第１の機器を制御できる無線スイッチをさらに含む。
【００１０】
本願の１つの実施例によれば、環境制御システムは、第３の機器を制御できる第２の物理調整器を含む第３のパネルをさらに含み、第１のパネルが該第２の物理調整器を制御することができる。該第３のパネルは、例えば、第３のセンサーモジュール、第３の通信モジュール、第３のセンサーモジュールなどの１つ以上のモジュール、又は複数のモジュールの異なる組合せをさらに含む。第１のパネルは、さらに、第１の通信モジュールにより第３のパネルと通信することができる。さらに、第１のパネルと第３のパネルは取り外し可能に接続される。また、該第３のパネルは簡略化スイッチとも呼ばれる。
【００１１】
本願の１つの実施例によれば、方法は、第１のパネルにより、第１の機器に関するパラメータ又はユーザ入力を収集又は取得することと、少なくとも一部の取得されたパラメータ又はユーザ入力に基づいて、該第１のパネルにより該第１の機器への制御操作を決定することと、該第１の機器への制御操作を実行することとを含み、該第１の機器への制御操作は、第１のパネルにより第１の物理調整器を制御することを含み、該第１の物理調整器は、第１のパネルとは独立して該第１の機器を制御することができる。
【００１２】
さらに、該第１のパネルは第１のセンサーモジュールを含み、第１の機器に関するパラメータは第１のセンサーモジュールにより収集される。該第１のパネルはタッチスクリーンを含み、ユーザ入力は前記タッチスクリーンにより取得される。該第１の物理調整器は調光器であってよい。該第１のパネルは第１の通信モジュールをさらに含み、該１のパネルは第１の通信モジュールにより第２の機器と通信することができる。該第１のパネルは、第２の機器との通信により該第２の機器を制御することができる。
【図面の簡単な説明】
【００１３】
本願の実施例の技術的解決手段をより明確に説明するために、以下、実施例の説明に用いる必要な図面について簡単に説明する。明らかに、以下に説明される図面は本願のいくつかの実施例に過ぎず、当業者にとって、創造的労働をすることなく、これらの図面に基づいて本願を他の類似状況に適用することができる。言語環境から明らかでないか又は別に説明しない限り、図中の同じ番号は同じ構造又は操作を示す。
【図１】環境制御システムのモジュールの概略図である。
【図２】システム動作フローである。
【図３−Ａ】システム動作サブフローである。
【図３−Ｂ】システム動作サブフローである。
【図４−Ａ】一部の常用の家庭用交流電源コンセントの図である。
【図４−Ｂ】一部の常用の接続箱の図である。
【図５】処理モジュールの概略図である。
【図６】処理モジュールの動作のフローチャートである。
【図７】処理モジュールの概略図である。
【図８】処理モジュールの動作のフローチャートである。
【図９】制御モジュールの概略図である。
【図１０】制御モジュールの動作のフローチャートである。
【図１１】通信モジュールの概略図である。
【図１２】通信モジュールの動作のフローチャートである。
【図１３−Ａ】モジュール運用の実施例である。
【図１３−Ｂ】モジュール運用の実施例である。
【図１３−Ｃ】モジュール運用の実施例である。
【図１３−Ｄ】モジュール運用の実施例である。
【図１４】環境制御システムの構造概略図である。
【図１５】インテリジェントスイッチの構造概略図である。
【図１６】インテリジェントスイッチの構造概略図である。
【図１７】インテリジェントスイッチの接続の構造概略図である。
【図１８】簡略化スイッチの構造概略図である。
【図１９】メニューインタフェースの実施例の概略図である。
【図１９−Ａ】メニューインタフェースの実施例の概略図である。
【図１９−Ｂ】メニューインタフェースの実施例の概略図である。
【図１９−Ｃ】メニューインタフェースの実施例の概略図である。
【図１９−Ｄ】メニューインタフェースの実施例の概略図である。
【図１９−Ｅ】メニューインタフェースの実施例の概略図である。
【図２０】光制御インタフェースの実施例の概略図である。
【図２１】セキュリティモードインタフェースの実施例の概略図である。
【図２２】家庭用カレンダーインタフェースの実施例の概略図である。
【図２３】エネルギー消費監視インタフェースの実施例の概略図である。
【図２４】天気警報インタフェースの実施例の概略図である。
【図２５】ビデオ音声通話インタフェースの実施例の概略図である。
【図２６】クロックインタフェースの実施例の概略図である。
【図２７】自己学習機能の実施例のフローチャートである。
【図２８】パネル自由組合せの実施例の概略図である。
【図２９】モバイル機器の制御の実施例の概略図である。
【図２９−Ａ】メッセージボードインタフェースの実施例の概略図である。
【図２９−Ｂ】メッセージボードインタフェースの実施例の概略図である。
【図３０】設定インタフェースの実施例の概略図である。
【図３１】インテリジェント照明モード選択の実施例の概略図である。
【図３２】インテリジェント照明モードの実施例の概略図である。
【図３３】マルチエリアインテリジェント照明の実施例の概略図である。
【図３４】遠距離インテリジェント照明の実施例の概略図である。
【図３５】インテリジェント照明の実施例の概略図である。
【図３６】インテリジェントスイッチパートナーの実施例の概略図である。
【図３７−Ａ】インテリジェントスイッチパートナーの１つの設計例である。
【図３７−Ｂ】インテリジェントスイッチパートナーの１つの設計例である。
【図３８】セキュリティモードの実施例の概略図である。
【図３９】セキュリティモードの実施例の概略図である。
【図４０】セキュリティモードの実施例の概略図である。
【図４１】セキュリティモードの実施例の概略図である。
【図４２】セキュリティモードの遠距離操作の実施例の概略図である。
【図４３】インテリジェント換気モードの実施例の概略図である。
【図４４】インテリジェント換気モードの実施例の構成図である。
【図４５】ビデオ音声通話モードの実施例の概略図である。
【図４６】ビデオ音声通話ネットワークの概略図である。
【図４７】車両制御の実施例の概略図である。
【図４８】緊急イベント処理の実施例の概略図である。
【図４９】近距離通信決済機能の実施例の概略図である。
【発明を実施するための形態】
【００１４】
本願の実施例の技術的解決手段をより明確に説明するために、以下、実施例の説明に用いる必要な図面について簡単に説明する。明らかに、以下に説明される図面は本願のいくつかの例又は実施例に過ぎず、当業者にとって、創造的労働をすることなく、これらの図面に基づいて本願を他の類似状況に適用することができる。言語環境から明らかでないか又は別に説明しない限り、図中の同じ番号は同じ構造又は操作を示す。
【００１５】
本明細書と特許請求の範囲に示されるように、コンテキストに明らかに示される例外な状況に限り、「一」、「１つ」、「１種」及び（又は)「該」などの単語は、単数を特に指すことではなく、複数を意味することができる。一般的には、用語「含む」と「包含する」は、明確に標識されたステップと要素を含むことだけを意味するが、これらのステップと要素は排他的な羅列を構成せず、方法又は機器は他のステップと要素も含む可能性がある。
【００１６】
本明細書に係る環境制御システムは、様々なシーン、例えば家庭、仕事場所、学校、病院及び他の私的又は公的な場所に適用することができる。該環境制御システムは、１種以上の装置、例えば照明、温度、電気製品又は他の機器を制御することができる。該環境制御システムは１つ以上のスイッチを有することができる。１つのスイッチは、第１のパネルと第２のパネルの２つのパネルを有することができる。第１のパネルと第２のパネルは取り外し可能に接続され、すなわち、第１のパネルは第２のパネルから繰り返して離接することができる。第１のパネルはタッチスクリーン有することができる。該タッチスクリーンは、ユーザに内容を表示しても、ユーザ入力を受け付けてもよい。第１のパネルは１種以上の装置を制御することができる。第２のパネルは１つ以上の物理調整器を有することができる。物理調整器は第１のパネルとは独立して作動することができる。第１のパネルが損傷又は故障するとき、ユーザは、第１のパネルを取り除き、第２のパネル上の物理調整器により、第１のパネルが正常に作動するときに実現できる制御機能の少なくとも一部を実現することができる。該環境制御システムは、既存の電源回路又は他の制御回路に接続して取り付ける（このようにして該環境制御システムに改めて配線する必要がなくなる）ことにより、この電源回路又は他の制御回路への制御機能を実現すると共に、他の少なくとも１種の機器を制御することができる。例えば、該環境制御システムは、照明の接続又は制御のための電源回路に接続し取り付けることにより、照明への制御を実現することができる。同時に、該環境制御システムは、有線又は無線の方式で、エアコン、天井扇風機、ランプ、テレビ、チャイム、撮像機器又は他の家庭用電気製品などを含むがこれらに限られない１つ以上の他の機器を制御することができる。第１のパネルが損傷又は故障するとき、ユーザは、第１のパネルを取り除き、第２のパネル上の物理調整器により、少なくとも照明への制御機能を実現することができる。
【００１７】
図１は、環境制御システムに含有可能又は使用可能なモジュールを示す概略図であり、１つ以上の組立体１００、１つ以上の電源１５０及び１つ以上の外部機器１６０などを含むがこれらに限定されない。組立体１００は、処理モジュール１１０、センサーモジュール１２０、制御モジュール１３０及び通信モジュール１４０などを含むがこれらに限定されない。処理モジュール１１０は、環境制御システムの計算と主な論理判断に用いられ、各モジュールの間の関係を協調することができ、処理モジュール１１０は、集中型であっても（１つの電子部品に集積される）、分散型であってもよく（複数の電子部品で協同動作する）、ローカルであっても（制御される環境の内部に位置する）、遠距離であってもよい（制御される環境の外部に位置する）。センサーモジュール１２０は、主に様々な環境と環境制御システムに関するパラメータ、変数などの内容を取得することに用いられ、センサーモジュール１２０が情報を取得する方式は、集中型であっても分散型であってもよく、ローカルであっても遠距離であってもよく、有線（例えば、電気ケーブル又は光ケーブルなどにより）であっても無線（例えば、無線電気信号又は光信号などにより）であってもよい。制御モジュール１３０は、主に環境制御システム及び（又は)外部機器を制御することに用いられ、制御方式は、集中型であっても分散型であってもよく、ローカルであっても遠距離であってもよく、有線であっても無線であってもよい。通信モジュール１４０は、主に環境制御システム内、環境制御システムと外部機器との間、環境制御システム及び（又は)外部機器と他のシステム又は機器との間の通信を担当し、通信方式は有線であっても無線であってもよい。電源１５０は電気エネルギーを提供できる機器を広く指し、電源の接続方式は、有線であっても無線であってもよい。ここで記載される接続方式及び後述する接続方式は、電源回路の接続又は信号伝送の接続などを含むことができるが、これらに限定されず、接続方式に関する具体的な方式は、図３−Ｂの説明の後に具現化され、以下、接続方式に対する説明は、全文に記載の「接続」又は「接続方式」などの単語に適すると注意すべきである。外部機器１６０は、環境制御システム又は環境制御システムのある機器に関する様々な直接的又は間接的な機器を広く指し、ローカルであっても遠距離であってもよく、有線であっても無線であってもよい。
【００１８】
処理モジュール１１０は、センサーモジュール１２０、制御モジュール１３０及び通信モジュール１４０などを含むがこれらに限られない他のモジュール及び（又は)他の機器と接続される。接続方式は有線であっても無線であってもよい。センサーモジュール１２０、制御モジュール１３０及び通信モジュール１４０は互いに接続されてもよく、それぞれの接続方式は有線であっても無線であってもよい。処理モジュール１１０、センサーモジュール１２０、制御モジュール１３０及び通信モジュール１４０は、それぞれ独立した電源を有しても、２つずつ、又は３つ以上が同一の電源を共用してもよい。センサーモジュール１２０、制御モジュール１３０及び通信モジュール１４０はそれぞれ外部機器と接続されても、単一の外部機器は１つ以上のモジュールと接続されてもよく、接続方式は有線であっても無線であってもよい。１つの処理モジュール１１０は、もう１つ又は複数の処理モジュール（図示せず）と接続されても、記憶機器（図示せず）及び（又は)クラウドサーバ（図示せず）と接続されてもよく、接続方式は有線であっても無線であってもよい。以上に説明された各モジュール及び機器は必須ではなく、当業者にとって、本願の内容と原理を理解した後、本技術原理、構造から逸脱しない限り、該システムに形式と詳細の様々な修正及び変更を行うことができ、各モジュールは、任意に組み合わせるか又はサブシステムを構成して他のモジュールと接続することができ、これらの修正及び変更は依然として本願の特許請求の範囲の保護範囲内にある。例えば、図１に示す制御モジュール１３０と通信モジュール１４０は、サブシステムを構成し、該サブシステムが有線又は無線の方式で処理モジュール１１０と接続されてもよい。類似変形は依然として本願の特許請求の範囲の保護範囲内にある。また、各モジュールは異なる電子部品に分散しても、１つ以上のモジュールは同一の電子部品に集積しても、同一のモジュールは１つ以上の電子部品に分散してもよい。例えば、処理モジュール１１０、センサーモジュール１２０、制御モジュール１３０及び通信モジュール１４０はそれぞれ独立したチップであり、或いは、センサーモジュール１２０と制御モジュール１３０は同一のチップに集積し、処理モジュール１１０と通信モジュール１４０はそれぞれ独立したチップであり、或いは、処理モジュール１１０、センサーモジュール１２０及び制御モジュール１３０はそれぞれ独立したチップであり、通信モジュール１４０は異なるネットワークモジュールを複数のチップに分散させる。
【００１９】
図２は該環境制御システムの動作フローの例を概略説明し、以下のステップを含む。ステップ２１０で、環境情報及び（又は)ユーザ入力情報を収集し、これらの情報データをステップ３００Ａで処理した後、ステップ２００で、処理モジュール１１０によって処理する。ステップ３００Ａに関する操作については、以下に詳細に説明する。ステップ２３０で、ステップ２２０の処理結果に基づいて、制御モジュール１３０により制御命令を実行する必要があるかどうかを判断する。制御モジュール１３０により制御命令を実行する必要がなければ、或いは、制御モジュール１３０により制御命令を実行する必要があるが、依然として一部又は全部のデータを記憶する必要があれば、ステップ３００Ｂ及び２４０でデータを記憶し、また、制御命令を実行する必要があれば、システムはステップ２５０を実行し、かつステップ３００Ｂ’及びステップ２６０で記憶した後、ステップ２１０に戻る。ステップ３００Ｂ及びステップ３００Ｂ’に関する操作については、以下に詳細に説明する。記憶されたデータは、さらに有線又は無線接続で外部機器（図示せず）に伝送されても、システムによりさらにモード分析と学習の機能（図示せず）に適用されてもよい。ここでの説明は１つの具体的な実施例の主な過程に過ぎず、唯一の実施例として考えるべきでなく、ここでの各ステップは必須ではなく、フロー全体とその具体的なステップも図と以上の説明に限定されない。例えば、ステップ２１０で現在の室温を検出及び（又は)監視し、続いてステップ３００Ａを実行して、クラウドサーバから当時地元の天気情報を抽出し、次に通信モジュール１４０と接続して、可能な天気警報などを予報する通知をユーザにプッシュする。次に、ステップ２３０で、ユーザの室温に対する好み又は設定に基づいて判断し、ステップ２５０で、エアコン及び吹出口を駆動して室温を調整し、その後、ステップ３００Ｂ’及び２６０で、関連データを記憶する。ステップ２１０、２２０、３００Ａ、２３０、２５０、３００Ｂ’及び２６０を繰り返して実行することにより、室温が快適な温度に達し、最後にステップ３００Ｂ’及びステップ２４０を実行し、関連データを記憶する。ステップ２１０に記載の情報収集は、検出（収集タスクを１回以上実行する）及び（又は)監視（収集タスクを持続して実行する）の意味を含み、該フローは１回以上実行されても、一定の時間内に終始持続して実行されてもよいと説明すべきである。環境制御システムは、自己学習機能を有することができ、環境制御システムが受信したユーザ命令及び（又は)少なくとも一部の記憶されたデータにより、ユーザの仕事と休憩又は活動の習慣を学習し、モデルを生成して関連環境（例えば、温度、照明など）を調整又は制御する。明らかに、同様に、当業者にとって、本願の内容と原理を理解した後、本技術原理、構造から逸脱しない限り、このプローに形式と詳細の様々な修正及び変更を行うことができるが、これらの修正及び変更は依然として本願の特許請求の範囲の保護範囲内にある。
【００２０】
図３−Ａは、ステップ３００Ａの１つの実施例を具現化する。ステップ３００Ａで、ステップ３１０、３２０及び３３０の３つの判断プローによりステップ３５０、３６０及び３７０を実行するかどうかを決定する。ステップ３５０で、記憶機器と接続することによりデータ又は他の情報の読み書きを行い、記憶機器は、ハードディスク、フラッシュメモリ、テープ、光学ドライブ、クラウドストレージ機器などの一般的な様々な記憶機器を含むがこれらに限定されない。該記憶機器は、環境制御システムの内部のものであっても、環境制御システムの外部機器であってもよい。該記憶機器の接続方式は有線であっても無線であってもよい。ステップ３６０で、クラウドサーバと接続してデータ又は他の情報の読み書きを行う。クラウドサーバは、環境制御システムに内蔵されても、環境制御システム外の第三者の商用サーバであってもよい。ステップ３７０で、通信モジュール１４０と協力することにより、データの読み書き機能以外、環境制御システムの環境への制御、ユーザとユーザ、又はユーザと環境制御システムとの間の通信を実行してもよい。ここでの通信は、信号の単一方向又は双方向の取得を広く指し、信号は、命令、コーディング、数字、文字、画像、音声及びビデオなどの内容を含むことができるが、これらに限定されない。ここでの説明は１つの具体的な実施例の主な過程に過ぎず、唯一の実施例として考えるべきでなく、ここでの各ステップは必須ではなく、フロー全体とその具体的なステップも図と以上の説明に限定されない。例えば、ステップ３５０、３６０の実行順序は図３−Ａに示すとおりであっても、ステップ３５０、３６０を実行する前に、先にステップ３７０を実行して通信モジュール１４０と接続を確立してもよい。ステップ３１０、３２０及び３３０は分けて実行されても、同時に実行されてもよい。明らかに、当業者にとって、本願の内容と原理を理解した後、本技術原理、構造から逸脱しない限り、このプローに形式と詳細の様々な修正及び変更を行うことができるが、これらの修正及び変更は依然として本発明の特許請求の範囲の保護範囲内にある。図３−Ｂに具現化されるのは、ステップ３００Ｂ及び３００Ｂ’の１つの実施例である。ステップ３００Ｂ及び３００Ｂ’で、ステップ３００Ａを基礎にして、一時ファイルを確立するステップ３８０を増加させ、すなわち、記憶機器に読み書きを行う必要がなく、クラウドデータに読み書きを行う必要がなく、また通信を確立する必要がない場合、環境制御システムは、一時ファイルを将来の使用に備えて確立することができる。
【００２１】
環境制御システムは単一又は複数の電源によって駆動することができ、電源は環境制御システムの実行のためのエネルギーを提供し、電源はエネルギーを提供できる異なる実施例を広く指す。以下に紹介される電源タイプは、一部の適用可能な実施例に過ぎず、該制御システムに適用可能な全ての実施例を含むわけではない。電源は、外部電源、内部蓄電池、該環境制御システムに付きの発電機器を含むがこれらに限定されない。外部交流電源は一般的に家庭用又は工業交流電源であるがこれらに限定されない。さらに、異なる国家又は地区は、家庭用交流電気の電圧及び周波数に対して異なる要件を有し、例えば、アメリカとカナダは基本的に１２０Ｖと６０Ｈｚを用い、ヨーロッパの各国はほとんど２２０〜２４０Ｖと５０Ｈｚの組合せを用い、オーストラリアとニュージーランドは２３０Ｖ又は２４０Ｖと５０Ｈｚを用い、アルゼンチンとチリは２２０Ｖと５０Ｈｚを用い、ブラジルは１１０Ｖ又は２２０Ｖと６０Ｈｚを用い、エジプト、南アフリカ、モロッコはほとんど２２０Ｖと５０Ｈｚを用い、サウジアラビアは１２７Ｖ又は２２０Ｖと６０Ｈｚを用い、トルコは２３０Ｖと５０Ｈｚを用い、日本は１００Ｖと５０Ｈｚ（東部）又は６０Ｈｚ（西部）を用い、中国大陸、香港特別行政区、澳門特別行政区は２２０Ｖと５０Ｈｚを用い、韓国は２２０Ｖと６０Ｈｚを用い、また中国の台湾は１１０Ｖと６０Ｈｚを用いるという標準を有するがこれらに限定されない。さらに、該環境制御システムと家庭用交流電気の接続は、内部電線による接続であっても、標準プラグによる接続であってもよい。該環境制御システムと家庭用交流電気との間の電線接続は、アメリカ標準ＵＬ２４４Ａ、ＵＬ５１４Ａ、ＵＬ５１４Ｂ、ＵＬ５１４Ｃ、ＵＬ５１４Ｄ、ＣＳＡ  Ｃ２２．２  Ｎｏ．１７７ＮＦＰＡ７０及びＮＦＰＡ７０など、ヨーロッパ標準ＩＥＣ／ＥＮ  ６１０５８−１、ＩＥＣ／ＥＮ  ６１３４７−２−１１  及びＩＥＣ／ＥＮ  ６１３４７−１など、オーストラリア標準ＡＳ／ＮＺＳ３１２３、ＡＳ／ＮＺＳ３１３１、ＡＳ／ＮＺＳ６０３２０．１及びＡＳ／ＮＺＳ６０３２０．２．２、日本標準ＪＩＳ  Ｃ  ８２８１−２−１など、中国標準ＧＢ１６９１５．１、ＧＢ１６９１５．２、ＧＢ１６９１５．３及びＥＮ６０６６９などを参照するがこれらに限定されない。標準プラグによる接続の標準は、図４−Ａに挙げられる一部の国家の標準コンセントに示されるがこれらに限定されない。４００Ａと４００Ｂに示すのはアメリカ、カナダと日本に通用するコンセントであり、アメリカとカナダに使用される４００Ａのコンセントはまた異なり（一端が大きく他端が小さい）、ヨーロッパの多くの国家は４００Ｃと４００Ｆに示すコンセントを用い、英国は４００Ｇのコンセントを用い、大洋州の複数の国家は４００Ｉに示すコンセントを用い、また中国は４００Ａ、４００Ｉと４００Ｇに示すコンセントを用いる。図４−Ｂは一部の接続箱の例を示し、例えば、４１０に示す単線接続箱、４２０に示す二線接続箱、４３０に示す三線接続箱、４４０に示す四線接続箱などである。以上に挙げられた電圧、周波数、家庭用電源標準、コンセント仕様及び接続箱の例は、説明を容易にするための一部の例に過ぎず、他のタイプ��電圧、周波数、家庭用電源標準、コンセント仕様及び接続箱の例はさらに環境制御システムに適用されてもよく、例えば、電源は無線の方式で環境制御システムに接続されてもよく、例えば、誘導結合によりエネルギーを電源から該制御システムに伝送することができる。該技術は、さらにエネルギーを電池に伝送して該制御システムの動作に適用することができる。
【００２２】
該環境制御システムは、さらに電池（蓄電池とも呼ばれる）を電源として用いることができ、電池は一次電池であるががこれに限定されず、充電式電池であってもよい。電池の種類は、鉛酸電池、ニッケルカドミウム電池、ニッケル水素電池、リチウムイオン電池、燃料電池、亜鉛マンガン電池、アルカリマンガン乾電池、リチウム電池、水銀電池及び亜鉛水銀電池を有するがこれらに限定されない。当然のことながら、電池の種類は他のタイプであってもよい。もし充電式電池を用いれば、環境制御システムの内部のインタフェースで電池を充電しても、電池を取り出して充電しても、無線充電技術などを用いてもよい。
【００２３】
また、発電装置を環境制御システムに集積することもでき、すなわち、いくつかの環境制御システムの実施例は、１つ以上又は１組以上の発電装置を同時に含むことができる。発電に用いられるエネルギータイプは、石炭、石油及びその製品、水流、風エネルギー、地熱、メタンガス及び太陽エネルギーなどを有するがこれらに限定されない。エネルギーのタイプは上記複数種に限定されず、他のエネルギータイプ、例えばゴミ焼却熱なども該環境制御システムの発電に用いられる。
【００２４】
以上にいくつかの環境制御システムの駆動電源タイプを挙げたが、環境制御システムが使用できる駆動電源タイプは、これらに限定されず、また、いくつかの駆動電源タイプを結合して、該制御システム又はその中のいくつかのモジュールにエネルギーを提供することもできる。
【００２５】
環境制御システムにおける各モジュールの間、モジュールと外部機器との間の接続、及びシステムと記憶機器又はクラウドサーバとの間の接続は、いずれも有線接続又は無線接続を用いることができる。有線接続は、金属ケーブル、光ケーブル又は金属及び光の混合ケーブル、例えば、同軸ケーブル、通信ケーブル、軟性ケーブル、スパイラルケーブル、非金属外装ケーブル、金属外装ケーブル、多芯ケーブル、ツイストペアケーブル、テープケーブル、シールドケーブル、電気通信ケーブル、ペアケーブル、ツインリードケーブル及びツイストペア線の使用を含むがこれらに限定されない。以上に記述された例は、説明を容易にするために過ぎず、有線接続の媒体は、他のタイプであってもよく、例えば、他の電気信号又は光信号などの伝送媒体である。無線接続は、無線電気通信、自由空間光通信、音声通信及び電磁誘導などを含むがこれらに限定されない。無線電気通信は、ＩＥＥＥ８０２．１１シリーズ標準、ＩＥＥＥ８０２．１５シリーズ標準（例えば、ブルートゥース（登録商標）技術及びジグビー（ＺｉｇＢｅｅ）技術など）、第１世代移動通信技術、第２世代移動通信技術（例えば、ＦＤＭＡ、ＴＤＭＡ、ＳＤＭＡ、ＣＤＭＡ及びＳＳＭＡなど）、汎用パケット無線サービス技術、第３世代移動通信技術（例えば、ＣＤＭＡ２０００、ＷＣＤＭＡ（登録商標）、ＴＤ−ＳＣＤＭＡ及びＷｉＭＡＸなど）、第４世代移動通信技術（例えば、ＴＤ−ＬＴＥ及びＦＤＤ−ＬＴＥなど）、衛星通信（例えば、ＧＰＳ技術など）とＩＳＭ帯域（例えば、２．４ＧＨｚなど）に実行する他の技術を含むがこれらに限定されず、自由空間光通信は、可視光、赤外線信号などを含むがこれらに限定されず、音声通信は、音波、超音波信号などを含むがこれらに限定されず、電磁誘導は、近距離通信技術などを含むがこれらに限定されない。以上に記述された例は、説明を容易にするために過ぎず、有線接続の媒体は、他のタイプであってもよく、例えば、Ｚ−ｗａｖｅ技術、ブルートゥース低消費電力（ＢＬＥ）技術、４３３ＭＨｚ通信プロトコル帯域、他の有料民用無線軍用無線帯域及び軍用無線帯域などであってもよい。
【００２６】
環境制御システムにおける各モジュールの間、モジュールと外部機器との間の接続、及びシステムと記憶機器又はクラウドサーバとの間の接続は、以上に挙げられた技術に限定されない。上記接続方式は、該環境制御システムにおいて独立して使用されても、複数種の接続方式を結合して使用されてもよく、異なる接続方式の結合使用過程において、情報交換を達成するように対応するゲートウェイ機器と合わせる必要がある。各モジュールは一体に集積されてもよく、同一の機器又は電子部品により１つ以上のモジュールの機能を実現することができる。外部機器は１つ以上のモジュールの実施機器又は電子部品に集積されてもよく、また、単一又は複数のモジュールは単一又は複数の外部機器又は電子部品に集積されてもよい。
【００２７】
図５は、処理モジュール１１０と周囲機器を示す概略図である。処理モジュール１１０は、１つ以上のプロセッサ５１２を含む。処理モジュール１１０は、記憶機器及び他のモジュール５３０と接続されてもよい。記憶機器５２０も処理モジュール１１０に含まれてもよい。また、処理モジュール１１０は、他の１つ以上のプロセッサ１１０−１、１１０−２、１１０−Ｎなどと選定的に接続されても、他の処理モジュールと接続されなくてもよい。処理モジュール１１０は、他のモジュール５３０を介してクラウドサーバ５４０と接続されてもよい。記憶機器５２０及び（又は)クラウドサーバ５４０は、環境制御システムの一部であっても、環境制御システムの外部機器であってもよい。例えば、記憶機器５２０又はクラウドサーバ５４０は第三者によって提供されてもよい。言及される全ての接続はいずれも有線又は無線であってもよい。また、処理モジュール１１０の内部、処理モジュール１１０と周囲機器の接続関係は、図５に示す内容に限定されない。処理モジュール１１０内の１つ以上のプロセッサ５１２は、同一の電子部品に集積されても、複数の電子部品を組み合わせて配置してよい。
【００２８】
図６は処理モジュール１１０又は処理機能の実行のフローチャートであり、図に記述されるフローはその中の１つの例に過ぎない。ステップ６１０により、処理システムは、他のモジュール、記憶機器５２０、又はクラウドサーバ５４０から情報を取得し、ステップ６２０で、取得された情報に分析処理を行う。ステップ６３０で、他のモジュールで、又は他のモジュールを介して、外部機器と接続して対応する動作をするかどうかを判断する。それに対応する必要があると、ステップ６８０を実行してパラメータを比較し、６９０を実行して関連モジュールに命令を発信し、ここでのパラメータは、既定値、閾値、基準値又は予測値などのような収集されたデータと比較できるいずれのデータを広く指すが、これらに限られない。それに対応する必要がないと、ステップ６４０を実行して収集されたデータを統計し、ステップ６５０を実行して、上記収集されたデータ、この前に記憶されたデータ及び他のパラメータに基づいてモデルを確立し、またステップ６６０を実行してデータを記憶する。処理モジュール１１０の処理機能は、より複数のステップを含むことができ、図６に示す任意の１つ以上のステップを省略することもできる。例えば、処理モジュール１１０は、「ドアを開く」命令を処理するとき、統計ステップ６４０とモデル確立ステップ６５０の２つのステップを省略することができる。また例えば、ステップ６８０を省略することができ、もしステップ６３０で、それに対応すると判断すれば、ステップ６９０を実行して関連モジュールに命令を発信する。
【００２９】
ユーザ命令、センサーモジュール１２０によって検出及び（又は)監視して取得されたデータ、及びクラウドサーバ５４０に記憶されたデータなどを含むがこれらに限られない全てのデータは、処理モジュール１１０で収集し処理した後、処理モジュール１１０により読み出し分析するように、いずれも記憶機器５２０及びクラウドサーバ５４０に選定的に記憶される。ここで言及される記憶機器５２０は、ランダムアクセスメモリ（ＲＡＭ）及び読み出し専用メモリ（ＲＯＭ）を含むがこれらに限られない、情報を読み出し及び（又は)読み込むことができる媒体を広く指す。ＲＡＭは、デカトロン、セレクトロン、遅延メモリ、ウィリアムス管、ダイナミックランダムアクセスメモリ（ＤＲＡＭ）、スタティックランダムアクセスメモリ（ＳＲＡＭ）、サイリスタランダムアクセスメモリ（Ｔ−ＲＡＭ）及びゼロコンデンサランダムアクセスメモリ（Ｚ−ＲＡＭ）などを含むがこれらに限られず、ＲＯＭは、磁気バブルメモリ、磁気ワイヤメモリ、フィルムメモリ、磁気プレーテッドワイヤメモリ、磁気コアメモリ、磁気ドラムメモリ、光学ドライブ、ハードディスク、磁気テープ、早期不揮発性メモリ（ＮＶＲＡＭ）、相変化メモリ、磁気抵抗メモリ、強誘電体メモリ、不揮発性ＳＲＡＭ、フラッシュメモリ、電気的に消去と再書き込みが可能な読み出し専用メモリ、電気的に消去とプログラムが可能な読み出し専用メモリ、プログラム可能な読み出し専用メモリ、マスク読み出し専用メモリ、フローティングジョイントドアランダムアクセスメモリ、ナノランダムアクセスメモリ、レーストラックメモリ、抵抗変化型メモリ及びプログラマブル金属化セルなどを含むがこれらに限られない。以上に言及される記憶機器はいくつかの例を挙げ、該制御システムが使用できる記憶機器は、これらに限定されない。
【００３０】
これ以外に、データの読み書きはさらにクラウドストレージの方式により行われてもよい。クラウドストレージは、クラウドコンピューティングの一部であり、主にインターネットを介して１組以上のリモートサーバと接続して、データの複数種の記憶及び処理を実現する。環境制御システムに用いられるクラウドコンピューティングモードは、共有のもの、個人のもの、又は両者を兼ねるものである。例えば、ユーザの個人情報、家庭又は作業環境から取得されたデータ及び対応するパラメータは、全て個人向けクラウドに記憶し計算されてもよく、いわゆる個人向けクラウドは、読み書き過程でいずれも一定の程度の身分識別を行う必要があり、また、天気情報などのようないくつかのデータは共有クラウドに由来することができる。処理モジュール１１０により、個人向けクラウドと共有クラウドにおけるデータを選定的に読み出す。
【００３１】
クラウドコンピューティングは、データの記憶に適用される以外、データ処理分析に適用されてもよい。処理モジュール１１０は、データを受信した後、データにステップ６４０の統計とステップ６５０のモデル確立の２つのスタップの処理を行うことができる。まず、他のモジュールに収集されたデータ、記憶機器に読み出されたデータ、及びクラウドサーバ５４０に記憶されたデータを、処理モジュール１１０によって集中的に整理し統合することができる。次に、これらのデータは、統計サンプルとして数学モデルを確立するのに役立ち、この数学モデルは、環境の変化及びユーザの行為特徴を分析、判断、予測及び模倣することができる。例えば、人と動物が室内に歩くモード、点灯消灯の時間と数量、電気製品の使用習慣、ユーザの個人情報、ユーザのマルチメディア形式、内容への選定及び視聴時間など、温湿度の好み、ドア及びウィンドウの開き時間、ユーザのロック習慣、水の使用量、温度及び時間、ユーザがトイレに行く頻度と食習慣、ユーザの健康状態、ユーザの食習慣、ユーザの言語習慣（なまり、慣用語、気分表現などを含む）、訪問者の個人情報、訪問者の訪問頻度などである。以上に挙げられた例は、主に個人向けクラウドと他の収集されたデータの分析モデリングに基づくものであり、また、再びこれに基づいて、共有クラウドに提供される情報と結合してより完全なモデルを確立することができる。例えば、天地及び気候情報を結合して一年中と一日中に適切な温湿度、換気時間を計算し、ソーシャルネットワークによりユーザーと訪問者のソーシャル関係を分析し、エリアニュースを結合して自宅の住所又は作業場所の安全要件標準などを調整する。これらの数学モデルは、大量のデータ統計及び計算並びに実証検証により、ユーザ及び環境の変数を予測しシミュレーションし、このタイプのモデルの用途が複数ある。例えば、ユーザの生活又は作業習慣を分析することにより、ユーザが少ないか又は最も少ない命令を発信する場合に、環境制御の自動化を実現し、このような学習により、該環境制御システムに異常（例えば、天気急変、ユーザの潜在的な健康リスク、潜在的な安全上のリスク及び不法侵入など）が発生するとき、対応する措置を取ることができ、また、ユーザが家又は会社にいなくても、ユーザの電気製品に対する使用状況をいつでも真似することにより、安全上の危害を低減することができる。データに対する統計分析及びモデリングは、上記これらの方法と用途に限定されない。例えば、このようなデータに対する統計及び分析は、さらにクラウドサーバ５４０とビッグデータなどを用いて人工知能システムを構築することができ、該人工知能システムは、ユーザの動作及びユーザ間のインタラクションを分析することができる。
【００３２】
図７は、環境制御システムにおけるセンサーモジュール１２０を示す概略図である。センサーモジュール１２０は、１つ以上のセンサー７１１−１、７１１−２及び７１１−Ｎなどを含む。センサーモジュール１２０は、さらに他のモジュール７２０及び外部機器１６０と接続される。センサー７１１−１、７１１−２及び７１１−Ｎなどは、外部機器であっても、外部機器の部材又は電子部品であってもよい。図７はセンサーモジュール１２０の内部構造と周囲構造の１つの実施例に過ぎず、センサーモジュール１２０はさらに異なる構造を有することができ、他の周囲機器と接続され、ここでの接続方式は有線であっても無線であってもよい。センサーモジュール１２０は、複数のセンサー７１１−１、７１１−２及び７１１−Ｎなどを同一の電子部品に集積することにより形成されても、複数の電子部品（それぞれ１つ以上のセンサー７１１−１、７１１−２又は７１１−Ｎなどを含む）を結合することにより形成されてもよい。
【００３３】
図８は、センサーモジュール１２０又はセンサー機能のフローチャートである。センサー７１１−１、７１１−２及び７１１−Ｎなどは、ステップ８１０で変化を検出及び（又は)監視した後、ステップ８２０を実行して変化を処理モジュール１１０に報告し、その後、ステップ８３０の判断に基づいて、命令が受信されると、命令を実行し（８４０）、フローを終了し、命令が受信されていないと、フローを直接終了する。図８は、センサーモジュール１２０が実行できるフローの１つの実施例に過ぎず、センサーモジュール１２０の機能はこれに限定されない。
【００３４】
センサーモジュール１２０が処理モジュール１１０へ伝送するとき、伝送内容は、センサーモジュール１２０により検出及び（又は)監視された環境又は人為的な変化などであり、処理モジュール１１０がセンサーモジュール１２０へ伝送するとき、内容は、いくつかの動作命令などであってもよく、例えば、撮像機器の角度の制御、赤外線セキュリティモードのスイッチなどである。いくつかの場合（処理モジュール１１０が故障する場合又は処理モジュール１１０との間の接続が無効になる場合などを含むがこれらに限られない）に、センサーモジュール１２０は、さらに処理モジュール１１０をスキップして、制御モジュール１３０、通信モジュール１４０又は外部機器１６０のうちの１つ以上と直接接続してデータ交換を行うことができる。別の実施例では、環境制御システムの内部又は外部のセンサー７１１−１、７１１−２及び７１１−Ｎなどは、データを検出及び（又は)監視するとき、環境制御システムの通信モジュール１４０に有線又は無線の信号を送信することによりデータを処理モジュール１１０に送信する。
【００３５】
１つ以上のセンサー７１１−１、７１１−２及び７１１−Ｎなどが取得できるデータタイプは、物理データ、化学データ及び生物学データなどを含むがこれらに限定されない。物理データは、音声、光、時間、重量、近接、位置、温度、湿度、圧力、電流、速度及び加速度、吸入可能な粒子状物質、放射、文字、画像、タッチ、瞳孔、指紋などを含むがこれらに限定されない。化学データは、大気汚染物、水汚染物、一酸化炭素濃度、二酸化炭素濃度などを含むがこれらに限定されない。生物学データは、生体の血圧、心拍数、血糖、インスリンなどを含むがこれらに限定されない。以上に挙げられた例は説明を容易にするために過ぎず、検出及び（又は)監視可能なデータはこれらに限定されず、例えば、ガス成分センサー１３２９（図１３Ａ〜図１３Ｄ参照）は、一酸化炭素、二酸化炭素、酸素ガス、窒素ガス、アンモニアガスなどを含むがこれらに限定されない周囲環境における様々なガスを検出及び（又は)監視することができ、ガス成分センサー１３２９は、半導体ガスセンサー、電気化学ガスセンサー、触媒燃焼式ガスセンサー、熱伝導式ガスセンサー、赤外線ガスセンサー、固体電解質ガスセンサーなどを含むがこれらに限定されない。ガス成分センサー１３２９（図１３Ａ〜図１３Ｄ参照）は、酵素センサー、微生物センサー、細胞センサー、組織センサー、免疫センサー、生物電極センサー、半導体バイオセンサー、光バイオセンサー、熱バイオセンサー、圧電結晶センサーなどを含むがこれらに限定されない。ガス成分センサー１３２９は、血糖、ハートビート、表情、年齢、瞳孔、ヘアスタイル、气味、微生物、アレルゲンなどを含むがこれらに限定されない様々な生体兆候情報を検出及び（又は)監視することができる。以上のガス成分センサー１３２９に対する記述は理解を容易にするために過ぎないと注意すべきである。物理的構成に、ガス成分センサー１３２９はさらに複数の独立したセンサーに分けることができ、それぞれがガスセンサーと生物的フェロモンセンサーである。いくつかの実施例では、１つのガス成分センサー１３２９は、１種のガス成分を検出及び（又は)監視することができ、いくつかの実施例では、１つのガス成分センサー１３２９は、複数種のガス成分を検出及び（又は)監視することができる。以上のこれらのデータタイプは、説明を容易にするために挙げられた例に過ぎず、センサーモジュール１２０が取得できるデータタイプは、ユーザの気分及び磁場などのような他のタイプをさらに含むことができる。さらに、以上のデータを検出及び（又は)監視するための機器及び方法も複数のタイプを含む。音声を検出及び（又は)監視できる機器は、マイクロフォンなどを含むがこれに限定されない。光を検出及び（又は)監視できる機器は、照度センサー、環境光センサーなどを含むがこれらに限定されない。さらに、環境光及び近接センサー１３２３（図１３Ａ〜図１３Ｄ参照）において、感光部品を有することができ、前記感光部品は、フォトレジスタ、フォトダイオード、光電トランジスタ、シリコン光電池などを含むがこれらに限定されない。前記感光部品は、周囲環境の光線状況を電気信号に変換し、環境光及び近接センサー１３２３は、前記電気信号を処理することに���り周囲の光線状況を感知することができる。時間を検出及び（又は)監視できる機器は、機械式時計、電気時計などを含むがこれらに限定されない。重量を検出及び（又は)監視できる機器は、ばね秤、電子秤などを含むがこれらに限定されない。近接を検出及び（又は)監視できる機器は、電磁場送受信装置などを含むがこれに限定されない。位置を検出及び（又は)監視できる機器は、マイクロ波距離計、受動的赤外線距離計、超音波距離計、断層撮影距離計などを含むがこれらに限定されない。さらに、運動センサー１３２６（図１３Ａ〜図１３Ｄ参照）はマイクロ波測距の原理を採用する場合、まず周囲にマイクロ波を送信し、マイクロ波がバイパスできない物体に会うときに反射が発生し、運動センサー１３２６は、反射されてきたマイクロ波を受信することにより、物体の距離を決定することができる。反射されてきたマイクロ波を絶えず受信することにより、運動センサー１３２６は、物体が運動しているかどうかを識別することができる。温度を検出及び（又は)監視できる機器は、抵抗温度計、シリコンバンドギャップ温度センサー、赤外線温度計、サーミスタ温度計などを含むがこれらに限定されない。湿度を検出及び（又は)監視できる機器は、電気容量型湿度センサー、抵抗式湿度センサー、熱伝導率湿度センサー、重量法湿度計などを含むがこれらに限定されない。圧力を検出及び（又は)監視できる機器は、気圧計、圧力計、圧力センサー、マノメーター、マクラウド真空計、ブースト計などを含むがこれらに限定されない。電流を検出及び（又は)監視できる機器は、回転コイル式電流計、回転鉄片式電流計、熱電対電流計、熱線電流計、デジタル電流計などを含むがこれらに限定されない。速度及び加速度を検出及び（又は)監視できる機器は、マイクロ波速度計、光電流速センサー、光電風速センサー、光電式車速センサー、磁電式車速センサー、ホール型車速センサーなどを含むがこれらに限定されない。吸入可能な粒子状物質を検出及び（又は)監視できる機器は、Ｂｅｔａ線、微量振動天秤などを含むがこれらに限定されない。放射を検出及び（又は)監視できる機器は、アクチノメータ、日射計、ガイガーカウンターなどを含むがこれらに限定されない。文字を検出及び（又は)監視できる機器は、機械キーボード、導電性ゴムキーボード、静電容量無接点キーボードなどを含むがこれらに限定されない。画像を検出及び（又は)監視できる機器は、光カメラなどを含むがこれに限定されない。タッチを検出及び（又は)監視できる機器は、タッチセンサーなどを含むがこれに限定されない。虹彩又は指紋を検出及び（又は)監視できる機器は、光学的識別、静電容量センサー、生物無線周波、デジタル化光学的識別などを含むがこれらに限定されない。空気及び水汚染物を検出及び（又は)監視できる機器は、化学試薬、ｐＨモニタ、電気伝導度計、溶存酸素モニタ、比濁計などを含むがこれらに限定されない。微生物を検出及び（又は)監視できる機器は、生物毒性測定装置などを含むがこれに限定されない。アレルゲンを検出及び（又は)監視できる機器は、酵素結合免疫吸着抗体、金標識検出カード、ポリメラーゼ連鎖反応、アデノシン三リン酸（ＡＴＰ）検出装置などを含むがこれらに限定されない。���動物体の身分への識別は、物体の大きさ、移動速度及び移動モードへの識別などを含むがこれらに限定されず、音声へのる識別は、周波数、振幅（ボリューム）及びリズムなどへの識別を含むがこれらに限定されず、画像への識別は、画像のテーマ、画像内のキャラクターの容貌、年齢、身長、種族及び体型などを含むがこれらに限定されず、タッチへの識別は、力の程度、受力位置、受力方向、受力時間数、受力間隔時間と力の変化方向及び大きさなどを含むがこれらに限定されない。以上にデータ識別に関して挙げられた例は、説明を容易にするために過ぎず、識別可能なデータがまだ複数あり、例えば、移動物体の身分及びユーザの気分などがある。以上のこれらの使用可能な機器及び計測パラメータは、例を挙げるために過ぎず、センサー効果を達成できる機器及び方法がまだ複数ある。検出及び（又は)監視されたデータを識別することができ、かつ基準値、基準区間、閾値、既定値又は予測値と比較することができる。
【００３６】
１つのセンサーは１つ以上のアイテムをセンサーすることができ、以下のいくつかのセンサーの実施例は参照とすることができる。複数のセンサーはセンサーモジュール１２０又は外部機器１６０に統合集積されてもよい。これらの実施例では、例えば、タッチスクリーンは、文字入力及びジェスチャーを識別することができ、パスワードなどの情報を検証することもでき、マイクロフォン付きのカメラは、静的又は動的な画面及び音声を収集することができ、マイクロ波、赤外線及び熱インダクタンス技術などの技術を集積したシステムは、人、動物及び他の物体の運動を収集して判断することができ、光検出システムは、日照強度、時間、可視度、点灯消灯状況などを検出及び（又は)監視することができ、物理スイッチは、ユーザのスイッチへの物理変動を検出及び（又は)監視することにより、灯への調整を実現することができる。センサーは、検出及び（又は)監視機能を連続して実行する（例えば、一日中に検出及び（又は)監視を行う）ことができ、又は検出及び（又は)監視機能をタイミングに実行する（例えば、１分間ごとに１回検出し、２分間ごとに１回検出するなど）ことができ、又は起動されていないと、検出及び（又は)監視機能を実行することができない（例えば、ユーザのリアルタイム入力又は所定の命令に基づいて起動されるか又は関連する環境データが所定の閾値を超えることで起動されるなど）。各センサーは、互いに独立して作動することができる。例えば、各センサーがデータ、時間を検出及び（又は)監視すること、及び環境制御システムの他のモジュールとの通信などは、独立して完了することができる。以上のこれらの実施例は、センサーモジュールのいくつかの可能な状況に過ぎず、センサーモジュールの機能はこれに限定されない。
【００３７】
センサーモジュール１２０により検出及び（又は)監視されたデータ以外、処理モジュール１１０は、他の外部センサー又はセンサー機器により検出及び（又は)監視されたデータを取得又は処理することもできる。例えば、アウトドアに無線カメラを有し、それが環境制御システムとは独立した監視システムの一部である。環境制御システムは、この無線カメラにより撮影された画像を取得し、かつ画像を処理することにより、いずれの後続き動作を必要とするかどうかを判断することができる。また例えば、ユーザが環境制御システムとは独立したか又はそれに属しない血糖測定器を用いる場合、環境制御システムは、血糖測定器におけるユーザに関する血糖情報を取得することができ、また血糖情報を単独で処理するか又は環境制御システムの他の関連情報（例えば、ユーザの健康の履歴データ、医者の診断又は治療案など）と結合して処理することにより、いずれの後続き動作を必要とするかどうかを判断することができる。
【００３８】
図９は、環境制御システムにおける制御モジュール１３０の構造及び周囲機器を示す。制御モジュール１３０は、１つ以上のコントローラ９１１−１、９１１−２及び９１１−Ｎなどを含む。制御モジュール１３０は、さらに他のモジュール９２０及び外部機器１６０と接続される。コントローラ９１１−１、９１１−２及び９１１−Ｎなどは、外部機器であっても、外部機器の部材又は電子部品であってもよい。図９は制御モジュール１３０の内部構造と周囲構造の１つの実施例に過ぎず、制御モジュール１３０はさらに異なる構造を有することができ、他の周囲機器と接続され、ここでの接続方式は有線であっても無線であってもよい。制御モジュール１３０は、複数のコントローラ９１１−１、９１１−２及び９１１−Ｎなどを同一の電子部品に集積することにより形成されても、複数の電子部品（それぞれ１つ以上のコントローラ９１１−１、９１１−２又は９１１−Ｎなどを含む）を結合することにより形成されてもよい。
【００３９】
図１０は、制御モジュール１３０又は制御機能のフローチャートである。ステップ１０１０で、処理モジュール１１０が命令を発信したかどうかを判断し、もし実行する必要がある命令があれば、ステップ１０２０を実行し、もし命令がなければ、ステップ１０３０を実行し、かつフローの起点に戻る。図１０は、制御モジュール１３０が実行できるフローの１つの実施例に過ぎず、制御モジュール１３０の機能はこれに限定されない。
【００４０】
処理モジュール１１０が制御モジュール１３０へ伝送するとき、伝送内容は、いくつかの動作命令などであってもよく、制御モジュール１３０が処理モジュール１１０へ伝送するとき、伝送内容は、動作完了報告、動作実行要求及びミス報告などであってもよい。いくつかの場合（処理モジュール１１０が故障する場合又は処理モジュール１１０との間の接続が無効になる場合などを含むがこれらに限られない）に、制御モジュール１３０は、さらに処理モジュール１１０をスキップして、センサーモジュール１２０、通信モジュール１４０又は外部機器１６０と直接接続してデータ交換を行うことができる。別の実施例では、処理モジュール１１０は、通信モジュール１４０により、環境制御システムの内部又は外部のコントローラ９１１−１、９１１−２及び９１１−Ｎなどに信号を伝送し、それによりコントローラ９１１−１、９１１−２及び９１１−Ｎなどに命令を発信する。
【００４１】
コントローラ９１１−１、９１１−２及び９１１−Ｎなどは、制御モジュール１３０の内部のものであっても、外部機器１６０に取り付けられてもよい。制御過程において、単一のコントローラはタスクを実行することができ、複数のコントローラは協同してタスクを実行することもできる。制御可能な内容は、電流の直接制御、モータ及びコンピュータ機器の制御などを有するがこれらに限定されない。電流の直接制御は、例えば、エアコンシステムの電熱シート及び圧縮機の通電、停電及び給電電流の制御、灯の通電、停電及び給電電流の制御、冷蔵庫冷凍システムの通電、停電及び給電電流の制御、温水ボイラの通電、停電及び給電電流の制御、電気炉の通電、停電及び給電電流の制御、電子レンジの通電、停電及び給電電流の制御、ベーキングオーブンの通電、停電及び給電電流の制御、コーヒーマシンの通電、停電及び給電電流の制御、洗濯機の通電、停電及び給電電流の制御、食器洗い機の通電、停電及び給電電流の制御、乾燥機の通電、停電及び給電電流の制御、マルチメディア機器の通電、停電及び給電電流の制御、撮像施設の通電、停電及び給電電流の制御、受信施設の通電、停電及び給電電流の制御、記憶機器の通電、停電及び給電電流の制御、警報器の通電、停電及び給電電流の制御、自動車の点火装置の通電、停電などの制御のような外部機器の通電、停電及び給電電流の制御などを含むがこれらに限定されない。以上に記述された例は、説明を容易にするために過ぎず、制御可能な電流は、例えば、ネットワーク機器の電流及び盗難防止システムの電流などのような他の面をさらに含むことができる。モータの制御は、モータの起動と停止、変位の長さ、速度、加速度、回転角度、角速度、角加速度などの制御、例えば、ガスレンジの給気バルブの開閉の制御、ドア及びウィンドウのロック状況の制御、換気口の開閉幅の制御、煙感知器の開閉幅の制御、カーテンの開閉幅、速度及び加速度の制御、防護さくの開閉幅、速度及び加速度の制御、排気ファンの開口の大きさ、ファンブレードの回転速度の制御、消防噴水器のバルブスイッチの制御、ボイラの出入水弁の開閉幅、速度及び加速度の制御、暖房バルブの開閉幅、速度及び加速度の制御、浴槽の貯水放水の開閉幅、速度及び加速度の制御、プールの貯水放水の開閉幅、速度及び加速度の制御、便器の貯水放水の開閉幅、速度及び加速度の制御、エレベーターの停止位置、昇降速度及び加速度などの制御を含むがこれらに限定されない。以上に記述された例は、説明を容易にするために過ぎず、制御可能なモータは、例えば、電子玩具の移動と家庭用ロボットの移動に用いられるモータなどのような他の面をさらに含むことができる。コンピュータ機器の制御は、例えば、パーソナルデスクトップコンピュータの制御、パーソナルノートパソコンの制御、パーソナルデジタルアシスタント（ＰＤＡ）の制御、タブレットコンピュータの制御、モバイル端末の制御、インテリジェント電子レンジの制御、ロボットの制御、共有サーバの制御、個人又は企業サーバの制御、インテリジェント照明機器の制御、インテリジェント画像収集装置の制御、インテリジェントオーディオ収集装置の制御などのようなパーソナルコンピュータ、サーバ及びマイクロ電子機器の制御などを含むがこれらに限定されない。以上に記述された例は、説明を容易にするために過ぎず、制御可能なモータは、例えば、インテリジェント盗難防止システムと車載電子システムのモータなどのような他の面をさらに含むことができる。
【００４２】
図１１は、環境制御システムにおける通信モジュール１４０の構造及び周囲機器を示す。通信モジュール１４０は、１つ以上の信号入力機器１１１１、１つ以上のゲートウェイ１１１２及び１つ以上の信号出力機器１１１３を含む。ゲートウェイ１１１２は、１つ以上のゲートウェイ、１つ以上のプロトコル変換器、又は１つ以上のインテリジェントゲートウェイなどであるがこれらに限られない。さらに、インテリジェントゲートウェイは、例えば、ブルートゥースモジュール、無線ローカルエリアネットワークモジュール、ジグビー（ＺｉｇＢｅｅ）モジュール、ＧＰＲＳモジュール、衛星ＧＰＳモジュール、近距離通信モジュール及び他の２．４ＧＨｚ帯域モジュールなどのような１つ以上のネットワークモジュールを含むがこれらに限定されない。さらに、インテリジェントゲートウェイは、例えば、ブルートゥースネットワーク機器、ルーター、ジグビー（ＺｉｇＢｅｅ）ネットワーク機器、オペレータネットワーク機器、衛星ＧＰＳ機器、決済ペアリング機器と２．４ＧＨｚ帯域をサポートする他の機器などのような１つ以上のネットワーク機器をさらに含むことができるが、これらに限定されない。ネットワークモジュール及びネットワーク機器がサポートできる通信方式は、前記のものに限定されず、例えば、上文に記載の方式のような他の方式であってもよく、繰り返して説明する必要がない。通信モジュール１４０は、さらに外部機器１６０及び他のモジュール１１３０と接続されても、他の通信モジュール１４０−１、１４０−２及び１４０−Ｎと選定的に接続されてもよい。図１１は通信モジュール１４０の内部構造と周囲構造の１つの実施例に過ぎず、通信モジュール１４０はさらに異なる構造を有することができ、他の周囲機器と接続され、ここでの接続方式は有線であっても無線であってもよい。通信モジュール１４０は、複数の通信プロトコル、ネットワークモジュール及び（又は)ネットワーク機器を同一の電子部品に集積することにより形成されても、複数の電子部品（それぞれ１つ以上の通信プロトコル、ネットワークモジュール及び（又は)ネットワーク機器を含む）を結合することにより形成されてもよい。
【００４３】
図１２は、環境制御システムにおける通信モジュール１４０又は通信機能を示すフローチャートである。ステップ１２１０で、処理モジュール１１０が通信に関する命令を発信したかどうかを判断し、命令が発信されていないと、ステップ１２５０を実行し、命令を待ってフローの開始に戻り、命令を発信したら、ステップ１２２０を実行して通信を確立し、１２３０を実行して関連機器を起動し、１２４０を実行してデータを伝送する。図１２は、通信モジュール１４０が実行できるフローの１つの実施例に過ぎず、通信モジュール１４０の機能はこれに限定されない。
【００４４】
処理モジュール１１０が通信モジュール１４０へ伝送するとき、伝送内容は、接続通信命令、又は外へ伝送する必要がある他の情報などであってもよく、通信モジュール１４０が処理モジュール１１０へ伝送するとき、伝送内容は、取得された入力情報、及び外への通信要求などであってもよい。いくつかの場合（処理モジュール１１０が故障する場合又は処理モジュール１１０との間の接続が無効になる場合などを含むがこれらに限られない）に、通信モジュール１４０は、さらに処理モジュール１１０をスキップして、センサーモジュール１２０、制御モジュール１３０、他の通信モジュール１４０又は外部機器１６０のうちの１つ以上と直接接続してデータ交換を行うことができる。
【００４５】
通信モジュール１４０と外界又は環境制御システム内の他の通信モジュール１４０との接続は、有線接続であっても、無線接続であってもよい。有線接続は、金属ケーブル、光ケーブル又は金属及び光の混合ケーブル、例えば、同軸ケーブル、通信ケーブル、軟性ケーブル、スパイラルケーブル、非金属外装ケーブル、金属外装ケーブル、多芯ケーブル、ツイストペアケーブル、テープケーブル、シールドケーブル、電気通信ケーブル、ペアケーブル、ツインリードケーブル及びツイストペア線の使用を含むがこれらに限定されない。以上に記述された例は、説明を容易にするために過ぎず、有線接続の媒体は、他のタイプであってもよく、例えば、他の電気信号又は光信号などの伝送媒体である。無線接続は、無線電気通信、自由空間光通信、音声通信及び電磁誘導などを含むがこれらに限定されない。無線電気通信は、ＩＥＥＥ８０２．１１シリーズ標準、ＩＥＥＥ８０２．１５シリーズ標準（例えば、ブルートゥース技術及びジグビー技術など）、第１世代移動通信技術、第２世代移動通信技術（例えば、ＦＤＭＡ、ＴＤＭＡ、ＳＤＭＡ、ＣＤＭＡ及びＳＳＭＡなど）、汎用パケット無線サービス技術、第３世代移動通信技術（例えば、ＣＤＭＡ２０００、ＷＣＤＭＡ、ＴＤ−ＳＣＤＭＡ及びＷｉＭＡＸなど）、第４世代移動通信技術（例えば、ＴＤ−ＬＴＥ及びＦＤＤ−ＬＴＥなど）、衛星通信（例えば、ＧＰＳ技術など）、ＩＳＭ帯域（例えば、２．４ＧＨｚなど）に実行する他の技術を含むがこれらに限定されず、自由空間光通信は、可視光、赤外線信号などを含むがこれらに限定されず、音声通信は、音波、超音波信号などを含むがこれらに限定されず、電磁誘導は、近距離通信技術などを含むがこれらに限定されない。以上に記述された例は、説明を容易にするために過ぎず、有線接続の媒体は、他のタイプであってもよく、例えば、Ｚ−ｗａｖｅ技術、ブルートゥース低消費電力（ＢＬＥ）技術、４３３ＭＨｚ通信プロトコル帯域、他の有料民用無線軍用無線帯域及び軍用無線帯域などであってもよい。
【００４６】
通信を行う機器は、環境制御システムの内部のモジュール、外部の個人機器、外部の共有機器などであってもよい。環境制御システムの内部のモジュールは、処理モジュール１１０、センサーモジュール１２０、制御モジュール１３０及び他の通信モジュール１４０などを含むがこれらに限定されない。他の通信モジュール１４０の関連機器は、撮像機器、マイクロフォン、ディスプレイ及びタッチスクリーンなどを有するがこれらに限定されない。以上に記述された例は、説明を容易にするために過ぎず、環境制御システムの内部のモジュールは、例えば、警報システム及び提示システムなどのような他の機器をさらに含むことができる。外部の個人機器は、無線機器又は有線機器などを含むがこれらに限定されない。例えば、パーソナルデスクトップコンピュータ、パーソナルノートパソコン、パーソナルデジタルアシスタント（ＰＤＡ）、タブレットコンピュータ、モバイル端末、個人又は企業サーバ、個人向けクラウド及び車載通信システムなどである。以上に記述された例は、説明を容易にするために過ぎず、外部の個人機器は、例えば、通信機能を有するキッチン電気製品及び浴室電気製品などのような他の機器をさらに含むことができる。外部の共有機器は、無線機器又は有線機器などを含むがこれらに限定されない。例えば、公安ネットワーク機器、インターネット機器、他人のパーソナルデスクトップコンピュータ、他人のパーソナルノートパソコン、他人のパーソナルデジタルアシスタント（ＰＤＡ）、他人のタブレットコンピュータ、他人のモバイル端末、他人の車載通信システム、共有サーバ及びクラウドサーバ５４０などである。以上に記述された例は、説明を容易にするために過ぎず、外部の共有機器は、例えば、グループ内部の他のユーザの環境制御システムにおける通信モジュール１４０などのような他の機器をさらに含むことができる。通信モジュール１４０は、環境制御システム内の複数の通信モジュール１４０の間の通信の実現、環境制御システムとモバイル機器との通信の実現、環境制御システムと車両インテリジェント機器との通信の実現、環境制御システムとインターネットとの通信の実現などを含むがこれらに限られないタスクを完了できる。さらに、通信モジュール１４０は、例えば、環境制御システムの内部のビデオ電話を実行し、携帯電話と情報を送受信し、自動車を駆動制御し、インターネットから情報を取得することができる。さらに、通信モジュール１４０が実行できる実施例は、家庭環境内部（例えば、階上階下の間、異なる部屋の間）のビデオ及び（又は)電話を実行し、インターネットから商店の割引情報などのローカル生活情報をダウンロードし、かつシステムの内部部材又はモバイル機器によりユーザにプッシュすることを有し、ユーザは、さらに、近距離通信技術などを含むがこれらに限られない通信技術により、これらのローカル生活情報をダウンロードし用いることができる。
【００４７】
以下に例を挙げて、環境制御システムにより実現可能ないくつかの機能について説明する。挙げられた例は説明を容易にするために過ぎず、該環境制御システムが実現できる機能は、これらに限定されない。
【００４８】
図１３−Ａ、図１３−Ｂ、図１３−Ｃ及び図１３−Ｄは、前記のような各モジュールに基づくいくつかの実施例である。該環境制御システムにおけるモジュールは、他の異なる表現形式であってもよく、以下に記述されるいくつかの実施例に限定されないと注意すべきである。
【００４９】
図１３−Ａ、図１３−Ｂ、図１３−Ｃと図１３−Ｄは、それぞれ処理モジュール１１０、センサーモジュール１２０、制御モジュール１３０、通信モジュール１４０、外部機器１６０と電源モジュール１３５０を有する。図１３−Ａと図１３−Ｃは、二種のインテリジェントスイッチのモジュールの構造を代表する。図１３−Ｂと図１３−Ｄは、二種の簡略化したインテリジェントスイッチ（後に簡略化スイッチと略称する）のモジュールの構造を代表する。
【００５０】
図１３−Ａの処理モジュール１１０は、記憶機器１３１３、プロセッサＡ  １３１１及びプロセッサＢ  １３１２などを含むがこれらに限定されない。プロセッサＡ  １３１１はさらにセンサーモジュール１２０と接続され、センサーモジュール１２０は、音声センサー１３２１、温湿度センサー１３２２、環境光及び近接センサー１３２３、電流センサー１３２４、ユーザインタフェース１３２５、運動センサー１３２６、画像センサー１３２７（撮像機器を含むがこれに限られない）、指紋センサー１３２８及びガス情報センサー１３２９などのうちの１つ以上のセンサーを含むがこれらに限定されない。これらのセンサーモジュールの例は、説明を補助するために過ぎず、センサーモジュール１２０は、以上のようなセンサーモジュール１２０の記述における他のセンサーをさらに含むことができる。プロセッサＡ  １３１１は、オーディオ機器１３６３、警報器１３６４及び近距離通信ラベル１３６５などの外部機器と同時に接続される。プロセッサＡ  １３１１も通信モジュール１４０と接続され、通信モジュールは、無線ネットワークモジュール、ブルートゥースモジュール、ＧＰＲＳモジュール、近距離読み書きモジュール、ＺｉｇＢｅｅ（ジグビー）モジュール及び他の２．４ＧＨｚモジュールなどのうちの１つ以上を含むがこれらに限定されない。これらの通信モジュールなどの１つ以上のモジュールの例は、説明を補助するために過ぎず、通信モジュール１４０は、以上のような通信モジュール１４０の記述における他の通信方式をさらに含むことができる。通信モジュール１４０は、さらにネットワーク機器１３４０と接続され、ネットワーク機器１３４０は、ルーター、ブルートゥースネットワーク機器、オペレータネットワーク機器、決済ペアリング機器、ＺｉｇＢｅｅ（ジグビー）ネットワーク機器などの１つ以上を含むがこれらに限定されない。ネットワーク機器１３４０の例は、説明を容易にするために過ぎず、例えば、衛星測位装置などのような他の形式であってもよい。ネットワーク機器１３４０において、ルーターは、さらに無線機器１３４１と接続されてもよく、オペレータネットワーク機器はさらにＳＩＭカード１３４２と接続されてもよい。ＳＩＭカードはさらにプロセッサＡ  １３１１と接続される。プロセッサＡ  １３１１はプロセッサＢ  １３１２と接続され、プロセッサＢ  １３１２は入力機器１３２０及び制御モジュール１３０などと接続される。制御モジュール１３０は、１つ以上のスイッチ、調光器１３３１を含むがこれらに限定されない。該スイッチ、調光器１３３１は、電源モジュール１３５０を介して外部機器１６０中の電源１３６１と接続され、同時に、外部機器中の灯１３６２との接続を制御することができる。一方、スイッチ、調光器１３３１も電流センサー１３２４と接続される。
【００５１】
図１３−Ｂの処理モジュール１１０は、記憶機器１３１３及びプロセッサ１３１０などを含むがこれらに限定されない。プロセッサ１３１０はさらにセンサーモジュール１２０と接続され、センサーモジュール１２０は、入力機器１３２０、音声センサー１３２１、温湿度センサー１３２２、環境光及び近接センサー１３２３、電流センサー１３２４、運動センサー１３２６、画像センサー１３２７（撮像機器を含むがこれに限られない）、指紋センサー１３２８及びガス情報センサー１３２９などのうちの１つ以上のセンサーを含むがこれらに限定されない。これらのセンサーモジュールの例は、説明を補助するために過ぎず、センサーモジュール１２０は、以上のようなセンサーモジュール１２０の記述における他のセンサーをさらに含むことができる。プロセッサ１３１０は、オーディオ機器１３６３、警報器１３６４及び近距離通信ラベル１３６５などの外部機器と同時に接続される。プロセッサ１３１０も通信モジュール１４０と接続され、通信モジュールは、無線ネットワークモジュール、ブルートゥースモジュール、ＧＰＲＳモジュール、近距離読み書きモジュール、ＺｉｇＢｅｅ（ジグビー）モジュール及び他の２．４ＧＨｚモジュールなどのうちの１つ以上を含むがこれらに限定されない。これらの通信モジュールの例は、説明を補助するために過ぎず、通信モジュール１４０は、以上のような通信モジュール１４０の記述における他の通信方式をさらに含むことができる。通信モジュール１４０は、さらにネットワーク機器１３４０と接続され、ネットワーク機器１３４０は、ルーター、ブルートゥースネットワーク機器、オペレータネットワーク機器、決済ペアリング機器、ＺｉｇＢｅｅ（ジグビー）ネットワーク機器などの１つ以上を含むがこれらに限定されない。ネットワーク機器１３４０の例は、説明を容易にするために過ぎず、例えば、衛星測位装置などのような他の形式であってもよい。ネットワーク機器１３４０において、ルーターは、さらに無線機器１３４１と接続されてもよく、オペレータネットワーク機器はさらにＳＩＭカード１３４２と接続されてもよい。ＳＩＭカードはさらにプロセッサ１３１０と接続される。プロセッサ１３１０はさらに制御モジュール１３０などと接続される。制御モジュール１３０は、１つ以上のスイッチ、調光器１３３１を含むがこれらに限定されない。該スイッチ、調光器１３３１は、電源モジュール１３５０を介して外部機器１６０中の電源１３６１と接続され、同時に、外部機器中の灯１３６２との接続を制御することができる。一方、スイッチ、調光器１３３１も電流センサー１３２４と接続される。
【００５２】
図１３−Ｃの処理モジュール１１０は、記憶機器１３１３、プロセッサＡ  １３１１及びプロセッサＢ  １３１２などを含むがこれらに限定されない。プロセッサＡ  １３１１はさらにセンサーモジュール１２０と接続され、センサーモジュール１２０は、音声センサー１３２１、温湿度センサー１３２２、環境光及び近接センサー１３２３、電流センサー１３２４、ユーザインタフェース１３２５、運動センサー１３２６、画像センサー１３２７（撮像機器を含むがこれに限られない）、指紋センサー１３２８及びガス情報センサー１３２９などのうちの１つ以上のセンサーを含むがこれらに限定されない。これらのセンサーモジュールの例は、説明を補助するために過ぎず、センサーモジュール１２０は、以上のようなセンサーモジュール１２０の記述における他のセンサーをさらに含むことができる。プロセッサＡ  １３１１は、オーディオ機器１３６３、警報器１３６４及び近距離通信ラベル１３６５などの外部機器と同時に接続される。プロセッサＡ  １３１１はさらに通信モジュール１４０と接続され、通信モジュール１４０は、通信モジュール中のネットワークモジュール１３６０と通信モジュール中のネットワーク機器１３７０などを含むがこれらに限定されない。通信モジュール中のネットワークモジュール１３６０は、無線ネットワークモジュール、ブルートゥースモジュール、ＧＰＲＳモジュール、近距離読み書きモジュール、ＺｉｇＢｅｅ（ジグビー）モジュール及び他の２．４ＧＨｚモジュールなどのうちの１つ以上を含むがこれらに限定されない。これらのネットワークモジュールの例は、説明を補助するために過ぎず、通信モジュール中のネットワークモジュール１３６０は、以上のような通信モジュール１４０の記述における他の通信方式をさらに含むことができる。通信モジュール中のネットワーク機器１３７０は、ルーター、ブルートゥースネットワーク機器、オペレータネットワーク機器、決済ペアリング機器、ＺｉｇＢｅｅ（ジグビー）ネットワーク機器などの１つ以上を含むがこれらに限定されない。通信モジュール中のネットワーク機器１３７０の例は、説明を容易にするために過ぎず、例えば、衛星測位装置などのような他の形式であってもよい。通信モジュール中のネットワーク機器１３７０において、ルーターは、さらに無線機器１３４１と接続されてもよく、オペレータネットワーク機器はさらにＳＩＭカード１３４２と接続されてもよい。ＳＩＭカードはさらにプロセッサＡ  １３１１と接続される。プロセッサＡ  １３１１はプロセッサＢ  １３１２と接続され、プロセッサＢ  １３１２は入力機器１３２０及び制御モジュール１３０などと接続される。制御モジュール１３０は、１つ以上のスイッチ、調光器１３３１を含むがこれらに限定されない。該スイッチ、調光器１３３１は、電源モジュール１３５０を介して外部機器１６０中の電源１３６１と接続され、同時に、外部機器中の灯１３６２との接続を制御することができる。一方、スイッチ、調光器１３３１も電流センサー１３２４と接続される。
【００５３】
図１３−Ｄの処理モジュール１１０は、記憶機器１３１３及びプロセッサ１３１０などを含むがこれらに限定されない。プロセッサ１３１０はさらにセンサーモジュール１２０と接続され、センサーモジュール１２０は、入力機器１３２０、音声センサー１３２１、温湿度センサー１３２２、環境光及び近接センサー１３２３、電流センサー１３２４、運動センサー１３２６、画像センサー１３２７（撮像機器を含むがこれに限られない）、指紋センサー１３２８及びガス情報センサー１３２９などのうちの１つ以上のセンサーを含むがこれらに限定されない。これらのセンサーモジュールの例は、説明を補助するために過ぎず、センサーモジュール１２０は、以上のようなセンサーモジュール１２０の記述における他のセンサーをさらに含むことができる。プロセッサ１３１０は、オーディオ機器１３６３、警報器１３６４及び近距離通信ラベル１３６５などの外部機器と同時に接続される。プロセッサ１３１０はさらに通信モジュール１４０と接続され、通信モジュール１４０は、通信モジュール中のネットワークモジュール１３６０と通信モジュール中のネットワーク機器１３７０などを含むがこれらに限定されない。通信モジュール中のネットワークモジュール１３６０は、無線ネットワークモジュール、ブルートゥースモジュール、ＧＰＲＳモジュール、近距離読み書きモジュール、ＺｉｇＢｅｅ（ジグビー）モジュール及び他の２．４ＧＨｚモジュールなどのうちの１つ以上を含むがこれらに限定されない。これらのネットワークモジュールの例は、説明を補助するために過ぎず、通信モジュール中のネットワークモジュール１３６０は、以上のような通信モジュール１４０の記述における他の通信方式をさらに含むことができる。通信モジュール中のネットワーク機器１３７０は、ルーター、ブルートゥースネットワーク機器、オペレータネットワーク機器、決済ペアリング機器、ＺｉｇＢｅｅ（ジグビー）ネットワーク機器などの１つ以上を含むがこれらに限定されない。通信モジュール中のネットワーク機器１３７０の例は、説明を容易にするために過ぎず、例えば、衛星測位装置などのような他の形式であってもよい。通信モジュール中のネットワーク機器１３７０において、ルーターは、さらに無線機器１３４１と接続されてもよく、オペレータネットワーク機器はさらにＳＩＭカード１３４２と接続されてもよい。ＳＩＭカードはさらにプロセッサ１３１０と接続される。プロセッサ１３１０はさらに制御モジュール１３０などと接続される。制御モジュール１３０は、１つ以上のスイッチ、調光器１３３１を含むがこれらに限定されない。該スイッチ、調光器１３３１は、電源モジュール１３５０を介して外部機器１６０中の電源１３６１と接続され、同時に、外部機器中の灯１３６２との接続を制御することができる。一方、スイッチ、調光器１３３１も電流センサー１３２４と接続される。
【００５４】
以上に記述されたこれらのモジュールを含むがこれらに限られない表現形式に基づいて、該環境制御システムは、一連のインテリジェントで、自動的で、手動又は半自動的な操作、例えば、人物の移動を自動的に感知して家庭用照明機器を調整すること、ホームセキュリティインテリジェント検出及び警報機能、温湿度自動調整、内部ビデオ通話、カレンダー、天気、治安の提示、水道電気料金、ショッピング、個人振込などの決済、家庭用電気製品の予め増設又は自動制御、家族メンバー及びペットのＧＰＳ測位追跡を実現することができる。以上に挙げられた例は、該環境制御システムが実現できるほんの一部の機能に過ぎず、例は説明を容易にするために用いられ、該環境制御システムは、他の複数の機能、例えば、モバイル機器とのネットワーキング通信、車両機器の制御などをさらに実現することができる。
【００５５】
図１４は、環境制御システムにおける各構成部分の接続方式の１つの実施例である。１つ以上のインテリジェントスイッチ１４１０、１つ以上の簡略化スイッチ１４２０及び１つ以上のモバイル機器１４３０は、ネットワーキング及び（又は)マスタスレーブの方式により接続することができる。それらはそれぞれクラウドサーバ５４０と接続されてもよい。１つの実施例では、インテリジェントスイッチ１４１０は、第１のパネル（又はパネル）と第２のパネル（又はバックパネル）を有し、第３のパネルは簡略化スイッチ１４２０である。インテリジェントスイッチ１４１０と簡略化スイッチ１４２０に関して挙げられた例は、説明を容易にするために過ぎず、それらは、さらに他の形式を有することができ、例えば、インテリジェントスイッチ１４１０の第１のパネルは、簡略化スイッチ１４２０と同時に取り付けられてもよい。上記の接続の例は以下のとおりである：１つ以上のインテリジェントスイッチ１４１０、１つ以上の簡略化スイッチ１４２０及び１つ以上のモバイル機器１４３０は、同位置の無線ローカルエリアネットワークに加入し、対応するネットワークアドレスを取得してマッチングを完了し、或いは、１つ以上のインテリジェントスイッチ１４１０、１つ以上の簡略化スイッチ１４２０及び１つ以上のモバイル機器１４３０は、ＩＥＥＥ８０２．１５．１ブルートゥース技術に基づく標準を用いて、その中の１つのユニットをマスタ機器とし、残りのスイッチをスレーブ機器とすることにより、ピコネットを構築してペアリングを完了し、或いは、１つ以上のインテリジェントスイッチ１４１０、１つ以上の簡略化スイッチ１４２０及び１つ以上のモバイル機器１４３０は、ＩＥＥＥ８０２．１５．４ジグビー技術に基づく標準を用いて、その中の１つのユニットをコーディネータとし、残りのスイッチが関連要求命令を発信し、コーディネータが返信することにより、ペアリングを完了し、或いは、１つ以上のインテリジェントスイッチ１４１０、１つ以上の簡略化スイッチ１４２０及び１つ以上のモバイル機器１４３０は、赤外線通信技術を用いて、ピコネットを構築してペアリングを完了し、或いは、１つ以上のインテリジェントスイッチ１４１０、１つ以上の簡略化スイッチ１４２０及び１つ以上のモバイル機器１４３０は、２つずつ又は１つのパネルと他のパネルとの間に、近距離通信方式により、一方が電気信号を送信し、他方が信号を受信し、かつ誘導結合によりペアリングを完了する。以上に挙げられた例は、説明を容易にするために過ぎず、ペアリング方式はさらに他であってもよく、例えば、１つ以上のインテリジェントスイッチ１４１０、１つ以上の簡略化スイッチ１４２０及び１つ以上のモバイル機器１４３０により、それぞれ顔認識マッチングなどを行う。さらに、ブルートゥース技術によりネットワーキングマッチングを行うと、上記マスタスレーブ関係を用いることができ、またポイントツーポイントの方式により、例えば、１つ以上のインテリジェントスイッチ１４１０、１つ以上の簡略化スイッチ１４２０及び１つ以上のモバイル機器１４３０の間にブルートゥースローカルエリアネットワークを構築することもでき、このようなローカルエリアネットワークは、ポイ��トツーポイントトポロジー構造に限定されず、さらに、例えば、バストポロジー構造、スタートポロジー構造、環形トポロジー構造、格子状トポロジー構造、ツリー状トポロジー構造、混合式トポロジー構造、デイジーチェーントポロジー構造、線形トポロジー構造及びマスタスレーブトポロジー構造などを有することができる。また、モバイル機器１４３０は、さらに、オペレータネットワーク又は無線ローカルエリアネットワークにより、ルーターを介して環境制御システムと接続されてもよい。
【００５６】
１つ以上のインテリジェントスイッチ１４１０、１つ以上の簡略化スイッチ１４２０及び１つ以上のモバイル機器１４３０は、さらに、無線ローカルエリアネットワークモジュールを介してインターネット及びクラウドサーバ５４０に接続されてもよい。１つ以上のインテリジェントスイッチ１４１０は、灯１４４１−１、温度計１４４２−１、吹出口１４４３−１、インテリジェントコンセント１４４４−１、家庭用電気製品１４４５−１、セキュリティ機器１４４６−１、天井扇風機１４４７−１及びテレビ１４４８−１などを含むがこれらに限定されない装置と接続されてもよい。１つ以上の簡略化スイッチ１４２０は、灯１４４１−２、温度計１４４２−２、吹出口１４４３−２、インテリジェントコンセント１４４４−２、家庭用電気製品１４４５−２、セキュリティ機器１４４６−２、天井扇風機１４４７−２及びテレビ１４４８−２などを含むがこれらに限定されない装置と接続されてもよい。１つ以上のモバイル機器１４３０は、灯１４４１−３、温度計１４４２−３、吹出口１４４３−３、インテリジェントコンセント１４４４−３、家庭用電気製品１４４５−３、セキュリティ機器１４４６−３、天井扇風機１４４７−３及びテレビ１４４８−３などを含むがこれらに限定されない装置と接続されてもよい。天井扇風機１４４７は、扇風機、台扇、換気扇、卓上扇風機、空調ファン（すなわち冷却ファン）などであってもよい。天井扇風機１４４７は、上記任意の１種の扇風機又は任意の数の扇風機の組合せであってもよい。ここでの接続方式は、例えば、ブルートゥース技術、無線ローカルエリアネットワーク技術、ジグビー技術、赤外線技術及び近距離通信技術などであるがこれらに限定されない。ここでの接続方式に関して挙げられた例は、説明を容易にするために過ぎず、接続方式は、さらに、他の形式、例えば、オペレータネットワーク、ＧＰＳ衛星信号、他の２．４ＧＨｚ無線通信技術及び以上に紹介された様々な形式などであってもよい。家庭用電気製品（１４４５−１、１４４５−２、１４４５−３など）は、上記１つ以上のインテリジェントスイッチ１４１０、１つ以上の簡略化スイッチ１４２０及び１つ以上のモバイル機器１４３０と直接接続されても、インテリジェントコンセント（１４４４−１、１４４４−２、１４４４−３など）を介して、１つ以上のインテリジェントスイッチ１４１０、１つ以上の簡略化スイッチ１４２０及び１つ以上のモバイル機器１４３０と接続されてもよい。家庭用電気製品（１４４５−１、１４４５−２、１４４５−３など）とインテリジェントコンセント（１４４４−１、１４４４−２、１４４４−３など）との間の接続は、標準コンセントによる接続などを含むがこれに限定されない。
【００５７】
図１４に対する記述において、有線又は無線の接続方式に関して挙げられた例は、説明を容易にするために過ぎず、有線又は無線の接続方式はさらに他のタイプを有することができ、これらの接続方式は、以上に既に詳細に記述されたことがあり、繰り返して説明する必要がない。環境制御システムにおける機器に対する記述において、例を挙げて説明を容易にするために過ぎず、灯、温度計及び吹出口などのようなこれらの言及された機器以外、他の機器、例えば、マルチコントロールスイッチを制御できるインテリジェントスイッチパートナーなどをさらに有することができる。新しく購入されるか又はアップグレードされる家庭用電気製品は、さらに、インテリジェントスイッチ１４１０、簡略化スイッチ１４２０又はモバイル機器１４３０を設定することにより、該環境制御システムのネットワークに加入することができる。
【００５８】
図１５は、環境制御システムのインテリジェントスイッチの構造概略図である。環境制御システムにおいて、１つ以上のインテリジェントスイッチを含むことができ、図１５は、該システムにおけるインテリジェントスイッチ構造の１つの実施形態である。該インテリジェントスイッチは、第１のパネル１５１０と第２のパネル１５３０を含む。第１のパネル１５１０と第２のパネル１５３０は一体に取り外し可能に接続され、このような取り外し可能な接続の実現は、磁気接続、ねじ接続、ピン接続、弾性変形接続、ロックキャッチ接続又はゲーブル接続などの方式のうちの１種以上を含むがこれらに限定されず、また、２つの独立したパネルを取り外し可能に接続できる他の任意の方法、例えば、膨張ボルト又はデータインタフェースであってもよい。実施の応用において、第２のパネル１５３０は、壁又は任意の他の適切な位置上に配置されてもよく、第１のパネル１５１０は、第２のパネル１５３０上に取り付けられるか又はかぶせられてもよい。このような場合に、第１のパネル１５１０は、ユーザに直接対向するため、パネルと呼ばれてもよく、第２のパネル１５３０は、遮蔽されるため、バックパネルと呼ばれてもよく、しかし、それらの呼び方は、異なる取付状況に応じて異なる可能性がある。第１のパネルを取り除くか又は取り外すことができ、それによりユーザは、第２のパネル１５３０を見えるか又は第２のパネル１５３０に操作を行うことができる。第１のパネル１５１０を、繰り返して取り除くか又は取り外すことができ、第２のパネル上に繰り返して取り付けるか又はかぶせることができる。また、第１のパネル１５１０と第２のパネル１５３０との間に、バッフル１５２０をさらに有することができ、第１のパネル１５１０を取り外すとき、少なくとも一部の第２のパネル１５３０（例えば、第２のパネルの電源線、回路基板又は他の構造）に遮蔽作用を施すことにより、第２のパネル１５３０のこの部分がユーザに直接呈露することを回避することができる。
【００５９】
第１のパネル１５１０の外部は、撮像機器１５１１及び入出力モジュールを含むことができるが、これらに限定されない。撮像機器１５１１は、ビデオ及び（又は)オーディオを収集することができ、ビデオ画面は静的であっても動的であってもよい。撮像機器１５１１の角度、焦点距離、解像度、撮影モード、撮影時間数は、ユーザ又はシステムにより設定されるか又は変更されてもよい。撮像機器１５１１は、覗き見防止設計を備えることができ、つまり、第１のパネル１５１０に撮像機器物理バッフルが設けられ、ユーザがカメラを起動又は停止することを独立選定するために用いられ、他人がカメラを遠距離操作（例えば、悪意のある遠距離操作など）して情報を取得することを回避することができる。
【００６０】
入出力モジュールは、ボタン１５１２及びタッチスクリーン１５１３を含むがこれらに限定されない。ボタン１５１２はショートカットボタンとして用いることができ、機能ショートカットボタン、リターンショートカットボタン又はメニューショートカットボタンなどであってもよい。タッチスクリーン１５１３は、同時に入力及び出力機能を有し、ユーザが環境制御システムを用いる操作インタフェースである。入出力の情報タイプは、数字、アナログ量、文字符号、音声及びグラフィック画像などを含むがこれらに限定されない。タッチスクリーン１５１３のタイプは、抵抗技術のタッチスクリーン、コンデンサ技術のタッチスクリーン、赤外線技術のタッチスクリーン又は表面音波技術のタッチスクリーンなどを含むがこれらに限定されず、具体的な使用要件に応じて選定を行うことができる。入出力機器は第１のパネル１５１０に配置されてもよいが、これは必須ではなく、入出力機能を実現することを前提にして、技術に他の変形を行うこともできると注意すべきである。例えば、第１のパネル１５１０のタッチスクリーン１５１３の代わりに、入力及び（又は)出力機能を有する１種以上の機器を用いることができる。１種の機器を用いる場合に、携帯電話、ＰＤＡ、タブレットコンピュータ、タッチテレビ、着用可能なインテリジェント機器（メガネ、手袋、ブレスレット、腕時計、服飾、靴など）などを含むがこれらに限定されない。複数種の機器を用いる場合に、コンピュータ（デスクトップコンピュータ、ノートパソコンなど）及びキーボード（又はマウス）、テレビ（薄型テレビ、ＣＲＴブラウン管テレビ、リアプロジェクションテレビ、プロジェクションテレビ、３Ｄテレビなど）及びリモコン（又は携帯電話）などを含むがこれらに限定されない。これらの機器を単独又は協同して用いることにより、データの入出力を実現することができ、タッチスクリーン１５１３の代わりにテレビ及びリモコンを用いると仮定し、テレビを用いてデータインタフェースを表示し、リモコンを用いて入力操作などを行うことができる。
【００６１】
また、第１のパネル１５１０は、接続インタフェース、センサーモジュール、制御モジュール及び通信モジュールなどを含むがこれらに限られない他のモジュール又は部材をさらに含むことができる（図１７参照）。接続インタフェースは他の機器とデータ交換を行うために用いられ、他の機器は、第２のパネル１５３０、ＵＳＢ、電源、スピーカー、イヤホンなどを含むがこれらに限定されず、インタフェースの個数及び位置は制限されず、具体的な需要に応じて決定されてもよく、例えば、第１のパネル１５１０と第２のパネル１５３０との間のインタフェースは二者の間の位置に配置されてもよく、第１のパネルとインテリジェントスイッチの外部機器との間のインタフェースは第１のパネル１５１０の周囲に配置されてもよい。インタフェースのタイプは有線であっても無線であってもよい。インタフェースの有線接続タイプは、ＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）、Ｉ２Ｃ（Ｉｎｔｅｒ−Ｉｎｔｅｇｒａｔｅｄ  Ｃｉｒｃｕｉｔ）、ＳＰＩ（Ｓｅｒｉａｌ  Ｐｅｒｉｐｈｅｒａｌ  ｉｎｔｅｒｆａｃｅ）などを含むがこれらに限定されず、インタフェースのタイプはさらに自己定義されてもよく、自己定義インタフェースのピン（ｐｉｎ）の数及び機能を含むがこれらに限定されず、これらの機能は、給電、ハードウェア接続ハンドシェイク又は通信などの内容を含むがこれらに限定されない。インタフェースの無線接続タイプは、ブルートゥース又はＷｉ−Ｆｉを含むがこれらに限定されない。無線接続インタフェースの場合、取り外し可能な方式により、第１のパネル１５１０と他の機器を空間的に一体に接続することができ、例えば、磁気接続などの方法を用いるがこれに限定されない。インテリジェントスイッチと接続される必要があるのが１セットのブルートゥーススピーカーであると仮定し、その体積が小さいため、ブルートゥーススピーカーは、磁気によりインテリジェントスイッチと近接し、ブルートゥースによりデータ伝送を行うことができる。インタフェースに関する記述は以上の状況に限定されず、当業者はインタフェースの使用特徴に基づいて他の変形を行うことができると注意すべきである。例えば、外部機器と接続されるインタフェースを第２のパネル１５３０に設けることにより、同様又は類似の機能実現することもできる。
【００６２】
第２のパネル１５３０は、（設計に応じて取り付けるか又は用いるとき）第１のパネル１５１０の片側に近接し、１つ以上の物理調整器１５３１を含む。物理調整器１５３１は、物理スイッチであってもよく、オンとオフの２種の状態を有し、物理調整器１５３１は、灯、エアコン、暖房などのオンとオフを制御することができる。物理調整器１５３１は、機器がオンとオフとの間に介在する電流負荷を調整することができ、例えば、物理調整器１５３１は、物理調光器であってもよく、ユーザが手動で灯光輝度を調整するために用いられる。この物理調整器１５３１はさらに物理温度調節器であってもよく、ユーザが手動でエアコン及び（又は)暖房の温度を調整するために用いられる。物理調整器１５３１の数量は、ユーザの具体的な需要に応じて設定されてもよく、例えば、１つ、２つ、３つ又はより多くであってもよく、アンダーライターズラボラトリーズインク（ＵＬ、Ｕｎｄｅｒｗｒｉｔｅｒ  Ｌａｂｏｒａｔｏｒｉｅｓ  Ｉｎｃ．）のＵＬ  ５１４Ａ、ＵＬ  ５１４Ｂ、ＵＬ  ５１４ＣとＵＬ  ５１４Ｄシリーズ標準に従うことができ（例えば、図４−Ｂ）、ユーザの実際の適用シーンに応じて他の標準を参照することもできる。第２のパネル１５３０に複数の物理調整器を含有すれば、いくつかの場合に、その中の少なくとも２つの物理調整器は類似の機能を有することができる。例えば、その中の少なくとも２つの物理調整器はいずれも照明電源回路と接続され、全て物理調光器であり、同じ灯又は異なる灯を制御することができる。或いは、その中の少なくとも２つの物理調整器は全てエアコンシステムの制御回路と接続され、全て物理温度調節器であり、同一の部屋や場所、又は異なる部屋や場所のエアコンを制御することができる。いくつかの場合に、少なくとも２つの物理調整器１５３１は異なる機器を制御することができ、例えば、２つの物理調整器１５３１において、１つが物理調光器であり、もう１つが物理温度調節器である。第２のパネル１５３０は、さらにインタフェース１５３２を含み、第１のパネル１５１０のインタフェースと接続される。
【００６３】
第２のパネル１５３０の（設計に応じて取り付けるか又は用いるとき）第１のパネル１５１０から離れる片側構造の１つの実施形態は図１６を参照し、第２のパネル１５３０、固定装置１６２０、電源調光器モジュール１６４０及び電源線１６５０を含む。第２のパネル１５３０はパネル固定装置１６２０と接続され、電源線１６５０は、電源調光器モジュール１６４０の下部から伸ばしても、電源調光器モジュール１６４０の他の部位から伸ばしてもよい。その外部接続箱の構造は、物理スイッチ１５３１の個数に対応し、アンダーライターズラボラトリーズインク（ＵＬ、Ｕｎｄｅｒｗｒｉｔｅｒ  Ｌａｂｏｒａｔｏｒｉｅｓ  Ｉｎｃ．）のＵＬ  ５１４Ａ、ＵＬ  ５１４Ｂ、ＵＬ  ５１４ＣとＵＬ  ５１４Ｄシリーズ標準に従うことができ（例えば、図４−Ｂ）、ユーザの実際の適用シーンに応じて他の標準を参照することもできる。該環境制御システムの第２のパネル１５３０は、既存の電源回路と接続され取り付けられてもよく、このようにして該環境制御システムに改めて配線する必要がなくなり、かつこの電源回路への制御機能を実現することができる。例えば、該第２のパネル１５３０は、既存の照明制御回路と接続され取り付けられることにより、照明制御システムへの制御機能を実現することができる。該環境制御システムの第２のパネル１５３０は、さらに、既存の温度（エアコン又は暖房）制御回路と接続され取り付けられることにより、温度制御システム（例えば、冷凍システム及び暖房システム）への制御機能を実現することができる。該環境制御システムはまた、他の機器（例えば、家庭用電気製品、自動車など）を制御することができる。
【００６４】
図１５と図１６に記述されるインテリジェントスイッチ構造は、図に言及されたモジュール又は部材に限定されないと注意すべきである。当業者は、同様又は類似の機能を実現する場合に、モジュール又は部材に簡略化又は拡張を行うことができ、他の付属モジュールを追加することもできる。例えば、第１のパネル１５１０のタッチスクリーン１５１３は、入出力インタフェースとなり、ユーザ端末（例えば、携帯電話、コンピュータ、タブレットコンピュータ、ＰＤＡ、テレビなど）にインストールされるインテリジェントスイッチアプリケーションソフトウェア又は環境制御システムとの通信により置き換えられてもよい。また例えば、第１のパネル１５１０又は第２のパネル１５３０には、ＬＥＤ呼吸ライトを含むがこれに限られない付属モジュールを取り付けることができ、呼吸ライトは、インテリジェントスイッチのボタン又は物理調整器の位置及び（又は)状態を提示し、ユーザが操作ボタンを迅速に見つけやすく、インテリジェントスイッチの電源状態を反映し、未読メッセージを提示するなどの作用を有し、光線が暗いとき（例えば、曇天又は夜間）、ユーザが環境制御システムとインタラクトすることを容易にすることができる。このような変形は本願の保護範囲内にあり、例えば、第１のパネル１５１０又は第２のパネル１５３０上に、少なくとも１つのバックライトをさらに有することができる。
【００６５】
図１７は、環境制御システムにおけるインテリジェントスイッチの詳細構造の１つの実施形態である。第１のパネル１５１０はパネルであり、第２のパネル１５３０はバックパネルであり、バックパネル自身の外部電源が交流電源１７３０であり、パネル１５１０に直流電源を提供する。
【００６６】
パネル１５１０に関して、システムの一連の組立体又はモジュールであり、処理モジュール１１０−Ａ、センサーモジュール１２０−Ａ、制御モジュール１３０−Ａ及び通信モジュール１４０−Ａなどを含むがこれらに限定されず、これらのモジュールは、タッチスクリーン１７１１、カメラ１７１２、マイクロフォン１７１３、オーディオ機器／警報器１７１４、プロセッサＡ、ネットワークモジュール１７１６、ネットワーク機器１７１７、センサー１７１８などであってもよく、他の機器を有することもできる。パネル１５１０とバックパネル１５３０との間のデータ伝送はインタフェース方法を採用することができ、パネル１５１０のインタフェース１７１０とバックパネル１５３０のインタフェース１７２０はそれぞれ対応し、コネクタを構成する。インタフェースのタイプは、ＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）（ＲＳ２３２、ＲＳ４４９、ＲＳ４２３、ＲＳ４２２及びＲＳ４８５などのインタフェース標準規格とバス標準規格を含む）、Ｉ２Ｃ（Ｉｎｔｅｒ−Ｉｎｔｅｇｒａｔｅｄ  Ｃｉｒｃｕｉｔ）、ＳＰＩ（Ｓｅｒｉａｌ  Ｐｅｒｉｐｈｅｒａｌ  ｉｎｔｅｒｆａｃｅ）などであってもよく、インタフェースのタイプはさらに自己定義されてもよく、自己定義インタフェースのピン（ｐｉｎ）の数及び機能を含むがこれらに限定されず、これらの機能は、給電、ハードウェア接続ハンドシェイク又は通信などの内容を含むがこれらに限定されない。このコネクタ又は第１のパネル１５１０と第２のパネル１５３０との間の他の方式の接続は、第１のパネル１５１０を第２のパネル１５３０上に取り付けるか又はかぶせることに機械的サポートを提供することもできる。
【００６７】
バックパネル１５３０の構造に関して、処理モジュール１１０−Ｂ、センサーモジュール１２０−Ｂ、制御モジュール１３０−Ｂ及び通信モジュール１４０−Ｂなどを含むがこれらに限定されず、これらのモジュールは、プロセッサ１７２１、センサー１７２２、物理スイッチ１７２３、調光器１７２４及び電源モジュール１７２５などであってもよく、他の機器を含むこともできる。図１７の処理モジュール１１０−Ａ及び処理モジュール１１０−Ｂは、原理、機能及び（又は)構造上に類似することができ、異なることもでき、センサーモジュール１２０−Ａ及びセンサーモジュール１２０−Ｂは、原理、機能及び（又は)構造上に類似することができ、異なることもでき、制御モジュール１３０−Ａ及び制御モジュール１３０−Ｂは、原理、機能及び（又は)構造上に類似することができ、異なることもでき、通信モジュール１４０−Ａ及通信モジュール１４０−Ｂは、原理、機能及び（又は)構造上に類似することができ、異なることもできる。
【００６８】
図１７は、インテリジェントスイッチの内部構造の概略図であり、理解を容易にするために過ぎず、各モジュールの間の相対的位置、接続方式及び機能関係は、この図に挙げられた状況に限定されないと注意すべきである。処理モジュール１１０、センサーモジュール１２０、制御モジュール１３０及び通信モジュール１４０は、一定の順に接続されても、互いに接続されてもよく、それぞれの接続方式は有線であっても無線であってもよい。処理モジュール１１０、センサーモジュール１２０、制御モジュール１３０及び通信モジュール１４０は、それぞれ独立した電源を有することができ、２つずつ、又は３つ以上が同一の電源を共有することもできる。処理モジュール１１０、センサーモジュール１２０、制御モジュール１３０及び通信モジュール１４０はそれぞれ外部機器と接続されてもよく、単一の外部機器は１つ以上のモジュールと接続されてもよく、接続方式は有線であっても無線であってもよい。このような変形は本願の保護範囲に含まれる。
【００６９】
図１８は、環境制御システムにおける簡略化スイッチの１つの実施例である。簡略化スイッチ１８００に、電源調光器モジュール１８１０及び第３のパネル１８２０などを含むことができ、電源調光器モジュール１８１０は交流電源１７３０と接続される。第３のパネル１８２０に、物理調整器１８２１、撮像機器１８２２及び他の組立体などを含むがこれらに限定されない。物理調整器１８２１は物理調光器であってもよく、ユーザが手動で灯光輝度を調整するために用いられる。物理調整器１８２１はさらに物理温度調節器であってもよく、ユーザが手動でエアコン及び（又は)暖房を調整することにより温度を調整するために用いられる。物理調整器１８２１の数量は、１つ、２つ、３つ又はより多くであってもよく、アンダーライターズラボラトリーズインク（ＵＬ、Ｕｎｄｅｒｗｒｉｔｅｒ  Ｌａｂｏｒａｔｏｒｉｅｓ  Ｉｎｃ．）のＵＬ  ５１４Ａ、ＵＬ  ５１４Ｂ、ＵＬ  ５１４ＣとＵＬ  ５１４Ｄシリーズ標準に従うことができ（例えば、図４−Ｂ）、ユーザの実際の適用シーンに応じて他の標準を参照することもできる。簡略化スイッチ１８００に複数の物理調整器を含有すれば、いくつかの場合に、その中の少なくとも２つの物理調整器は類似の機能を有することができる。例えば、その中の少なくとも２つの物理調整器は全て照明電源回路と接続され、全て物理調光器である。或いは、その中の少なくとも２つの物理調整器は全てエアコンシステムの制御回路と接続され、全て物理温度調整器である。いくつかの場合に、少なくとも２つの物理調整器は異なる機器を制御することができ、例えば、２つの物理調整器において、１つが物理調光器であり、もう１つが物理温度調節器である。
【００７０】
簡略化スイッチ中の他の組立体又はモジュールは、マイクロフォン１８２３、スピーカー／警報器１８２４、プロセッサ１８２５、ネットワークモジュール１８２６、ネットワーク機器１８２７、センサー１８２８及び電源モジュール１８２９などを含むがこれらに限定されない。以上の構造は、簡略化スイッチを容易に理解するための１つの実施形態に過ぎず、全ての簡略化スイッチのタイプを含むことではないと注意すべきである。実施の応用において、必要に応じてインテリジェントスイッチに行われたいずれの簡略化は、いずれも簡略化スイッチの範囲内に含まれてもよく、当業者は、該インテリジェントスイッチと簡略化スイッチの原理に基づいて、他の変形を作ることができる。これらの変形は、新しい組立体の追加（例えば、入力機器又は出力機器などの追加）、いくつかの組立体の省略（例えば、撮像機器又はマイクロフォンなどの省略）などを含むがこれらに限定されず、いずれもこの出願の保護範囲内にある。例えば、第３のパネル１８２０は、第２のパネル１５３０のインタフェース１５３２に類似する構造をさらに含むことができる。このインタフェースを介して、簡略化スイッチ１８００は、第１のパネル１５１０と接続される。この接続により、第１のパネル１５１０と簡略化スイッチ１８００との間のデータ又は情報の通信を実現することができ、第１のパネル１５１０と簡略化スイッチ１８００との間の接続に機械的サポートを提供することもできる。第１のパネル１５１０と簡略化スイッチ１８００との接続は、取り外し可能な接続であってもよく、明細書における第１のパネル１５００と第２のパネル１５３０との間の取り外し可能な接続に類似する。
【００７１】
本願では、インテリジェントスイッチ１４１０及び（又は)簡略化スイッチ１４２０は、インテリジェント調整器であるか又はそれを含むことができる。物理スイッチ又は物理調整器に対して、インテリジェントスイッチ、簡略化スイッチ又はインテリジェント調整器は、物理スイッチ又は物理調整器が制御できる機器を制御することができる。例えば、インテリジェントスイッチ、簡略化スイッチ又はインテリジェント調整器は、物理スイッチ又は物理調整器を制御することにより該機器への制御を実現することができる。また例えば、インテリジェントスイッチ、簡略化スイッチ又はインテリジェント調整器は、他の方式により該機器を制御することができる。インテリジェントスイッチ、簡略化スイッチ又はインテリジェント調整器は、さらに、該機器以外の他の機器を制御することができ、及び（又は)該機器を制御する以外の他の機能（例えば、本願に記述されるインテリジェント看護装置、インテリジェントセキュリティなどの他の機能）を有することができる。例えば、インテリジェントスイッチ１４１０は、センサーモジュールを有し、１つ以上のパラメータを収集することができる。また例えば、インテリジェントスイッチ１４１０は、タッチスクリーンを有し、ユーザ入力を受信し及び（又は)ユーザに情報を表示することができる。インテリジェントスイッチ１４１０は、本明細書に記述される他の構造及び（又は)他の機能をさらに有することができる。
【００７２】
図１９はメニューインタフェースの実施例の概略図である。１９３０は撮像機器であり、１９４０は物理バッフルであり、それと撮像機器１９３０との相対的位置を変更することにより、撮像機器１９３０を遮蔽する目的を達成することができ、１９１０は制御メニューであり、１９２０はショートカットメニューである。制御メニュー１９１０は、インテリジェント照明モード１９１１、天気更新及び警報モード１９１２、クロックモード１９１３、及びエネルギー消費監視モード１９１４を含むがこれらに限定されない。以上に挙げられた例は、説明を容易にするために過ぎず、制御メニュー１９１０は、他のモード、例えば、赤ん坊看護モード１９１５などをさらに含むことができ、制御メニュー１９１０は設定１９１６をさらに含むことができる。メニューインタフェースは、インテリジェントスイッチ１４１０、モバイル機器１４３０、テレビ１４４８−１、１４４８−２又は１４４８−３、コンピュータ、タブレットコンピュータ、ＰＤＡ、及び車載マルチメディアシステムなどを含むがこれらに限られない異なる機器で表示することができる。当然のことながら、メニューインタフェースを表示できる機器は、上記機器に限定されず、表示機能を有する他の機器、例えば、冷蔵庫、洗濯機などの家庭用電気製品のスクリーンなどであってもよい。メニューインタフェースの表示スケール及びレイアウトは、表示機器の大きさなどの特性に応じて異なり、メニューインタフェースで表示される機能モードの数量及び表示モードタイプも表示機器の用途の違いに応じて異なる。メニューインタフェースの表示スケール及びレイアウトは、表示機器の大きさなどの特性に応じて、環境制御システム又は表示機器により自動調整され、又はユーザにより調整される。ユーザは、１つ以上の機能モードのアイコンの位置を調整することができる。例えば、ユーザは、使用される図１９〜図１９Ｅに表示される１つ以上の機能モードの周波数に基づいて、この又はこれらの機能モードのアイコンが表示機器で表示される位置を調整することができる（例えば、より前側の位置に配置されるなど）。ユーザは、機能モジュールのアイコンを自己定義することもできる。例えば、ユーザは、自分の子供又は家族の写真、又は自分が選定した画像を、機能モジュールのアイコンとして用いることができる。メニューインタフェースの表示の１つの実施例は、図１９−Ａ及び図１９−Ｂに示すとおりであり、インテリジェントスイッチ１４１０のタッチスクリーン１７１１での表示は、インテリジェント照明モード１９１１、天気更新及び警報モード１９１２、クロックモード１９１３、エネルギー消費監視モード１９１４、赤ん坊看護モード１９１５及び設定１９１６などを含むがこれらに限定されない。メニューインタフェースの表示の別の実施例は、図１９−Ｃ、図１９−Ｄ及び図１９−Ｅに示すとおりであり、モバイル機器１４３０に表示されるメニューインタフェースは、インテリジェント照明モード１９５１、セキュリティモード１９５２、家庭用カレンダーモード１９５３、インテリジェント換気モード（温湿度制御モードとも呼ばれる）１９５４、メッセージボードモード（ビデオ音声通話モードとも呼ばれる）１９５５、エネルギー消費監視モード１９５６、音楽再生モード１９５７、赤ん坊看護モード１９５８及び設定１９５９などを含むがこれらに限定されない。メニューインタフェースは、いくつかの他のボタンをさらに含むことができ、インテリジェントスイッチ１４１０を例にして、ショートカットメニュー１９２０は、ビデオ及び（又は)音声通話ボタン１９２１、セキュリティモード起動ボタン１９２２、灯光制御ボタン１９２３、及びメニューボタン１９２４をさらに含むがこれらに限定されない。インテリジェントスイッチ１４１０は、１つ以上のセンサーを有することができ、環境光及び近接センサー１９５０などを含むがこれらに限定されない。
【００７３】
図１９は前記環境制御システムの１つの実施例であり、前記環境制御システムは、インテリジェント光線学習、自己定義光線モード、室内セキュリティシステム又はセキュリティモード、家庭用 トランシーバー、家庭用カレンダー、エネルギー消費監視、天気更新及び警報、インテリジェント換気（又は温湿度制御）、クロック、赤ん坊看護、音楽再生、メッセージボード（又はビデオ音声通話）、家庭用ローカルエリアモノのインターネット、家庭用ローカルエリアセマンティックウェブ、インテリジェントスペースという機能を含むがこれらに限定されない。挙げられた機能は、理解を容易にするために過ぎないと注意すべきである。環境制御システムの機能は、適用シーンに応じてリアルタイムに更新されてもよく、以上に挙げられた特別な例に限定されない。
【００７４】
環境制御システムを起動し、センサーモジュール１２０は起動され、環境における変数にリアルタイム又はタイミングに検出及び（又は)監視を行う。センサーモジュール１２０は、様々な物理量、例えば、音声、光、時間、重量、位置、温度、湿度、圧力、電流、速度及び加速度、吸入可能な粒子状物質、放射、文字、画像、タッチ、瞳孔、指紋などを追跡し検出及び（又は)監視することができ、それが検出及び（又は)監視できるのは、その中の１種以上の情報であってもよく、様々な情報をさらに分析と処理を容易にするように、分類することもできる。センサーモジュール１２０は、既存の様々な実施可能な機器を十分に利用することができ、温度センサー、輝度センサー、湿度センサー、環境光センサー、ガスセンサー、生物的フェロモンセンサー（ガスセンサーであってもよい）、運動センサーなどを含むがこれらに限定されない。センサーモジュール１２０は、環境における物理量への追跡及び検出及び（又は)監視により、上記物理量を電気信号に変換することができる。前記電気信号はデータとしてセンサーモジュール１２０に記憶され、該データは、二進法、八進法、十進法、十六進法、六十進法などの形式を有するがこれらに限定されない。前記データは、時間、主体、単位、天気などの属性を有するがこれらに限定されない。前記センサーモジュール１２０は、制御モジュール１３０と通信することにより時間情報をリアルタイムに取得することができ、前記時間情報は、ナノ秒、マイクロ秒、ミリ秒、秒、分、時、年、月、日、午前、午後、昼、黎明、夕暮れ、夜中などの形式を含むがこれらに限定されない。前記データは１つ以上の主体を有し、前記データは前記１つ以上の主体に属し、前記データには、制御モジュール１３０との通信により、前記１つ以上の主体が与えられる。前記主体は、客室、寝室、メスルーム、トイレ、ベランダ、地下室、キッチン、冷蔵庫、電子レンジ、テレビ、パーソナルコンピュータ、玄関などの内容を含むがこれらに限定されない。挙げられたデータは主体を有し、理解を容易にするために過ぎないと注意すべきである。データが有する主体は、適用シーン、適用分野、適用対象などに応じて自由に定義され分類されてもよく、データが有する主体は、広範囲な土地を占用したいずれか１つ以上の実体であってもよい。前記データは、摂氏度、華氏摂氏度、ルクス、パスカル、メートル、メートル、ミリメートル、ミクロン、アンペア、ボルト、オーム、ムーなどの単位を有するがこれらに限定されない。前記制御システムは、特別又は一般的な記憶フォーマットを有し、前記データ、時間、主体、単位などは、前記特別又は一般的な記憶フォーマットにより、前記環境制御システムの記憶機器５２０中又はクラウドサーバ５４０中に記憶される。前記環境制御システムは、特別又は一般的な識別方法を有し、前記環境制御システムは、前記特別又は一般的な識別方法を前記データ及びその属性に適用することにより、モード識別の目的を達成する。前記物理量のデータ及びその属性に識別を行うことにより、前記環境制御システムは、一定のモード識別方法により、１種以上の特別又は一般的なモードを識別することができる。前記１種以上の特別又は一般的なモード��、日出時間区間とこの区間内の１つ以上の主体の位置及び行為、日中時間区間とこの区間内の１つ以上の主体の位置及び行為、日没時間区間とこの区間内の１つ以上の主体の位置及び行為、朝食時間区間とこの区間内の１つ以上の主体の位置及び行為、ゲーム時間区間とこの区間内の１つ以上の主体の位置及び行為、入浴時間区間とこの区間内の１つ以上の主体の位置及び行為、読書時間区間とこの区間内の１つ以上の主体の位置及び行為、睡眠時間区間とこの区間内の１つ以上の主体の位置及び行為などの内容を含むがこれらに限定されない。挙げられた１種以上の特別又は一般的なモードは、理解を容易にするために過ぎないと注意すべきである。前記１種以上の特別又は一般的なモードは、時間と１つ以上の主体の行為に基づいて得られてもよく、前記１種以上の特別又は一般的なモードは時間とともに更新されてもよい。前記１種以上の特別又は一般的なモードは、一定の記憶方法により、記憶機器５２０中又はクラウドサーバ５４０中に記憶されてもよい。前記環境制御システムの制御モジュール１３０は１種以上の統計的アルゴリズムを有し、前記統計的アルゴリズムの対象は前記１種以上の特別又は一般的なモードである。前記制御モジュール１３０は、前記統計的アルゴリズムを前記１種以上の特別又は一般的なモードに適用することにより、１種以上の特別又は一般的な規律を得ることができる。前記制御モジュール１３０は、取得された１種以上の特別又は一般的な規律に従って、１種以上の予め定義又は自己定義されたトリガモードを記憶機器５２０中又はクラウドサーバ５４０中に記憶することができ、前記トリガモードは、時間とともに絶えず更新されてもよい。前記制御モジュール１３０は、前記トリガモードと前記１種以上の特別又は一般的なモードとを比較することにより、一定のアルゴリズムに従って、前記環境制御システムの機能モジュールを起動又は停止する。上記データ、識別された１種以上の特別又は一般的なモードと１種以上の予め定義又は自己定義されたトリガモードが記憶機器５２０中に記憶されるのは、必須ではなく、その記憶場所はクラウドサーバ５４０であっても、他の１つ以上のサーバであってもよいと注意すべきである。図２７及び関連記述は、環境制御システムのモード識別又は自己学習機能に関するより複数の紹介を提供する。
【００７５】
図２０は光制御インタフェースの実施例の概略図である。エリア指示２０１０は、現在制御されたエリアを表示する。エリア指示２０１０は、文字、画像、数字、又は特定の語意を有する任意の符号又は符号の組合せであってもよい。灯光制御ボタン２０２０は、灯光制御モードに入るために用いられる。灯光制御ボタン２０２０は、文字、画像、数字、又は特定の語意を有する任意の符号又は符号の組合せであってもよい。エリア選定ボタン２０３０は、目標エリアを選定するために用いられる。エリア選定ボタン２０３０は、文字、画像、数字、又は特定の語意を有する任意の符号又は符号の組合せであってもよい。波型灯光輝度調整ボタン２０４０は、目標エリアの灯光輝度を調整することができる。波型灯光輝度調整ボタン２０４０は、文字、画像、数字、又は特定の語意を有する任意の符号又は符号の組合せであってもよい。
【００７６】
環境制御システムを起動し、センサーモジュール１２０（又は温度センサー、輝度センサー、電流センサー、タッチセンサー、運動センサー、画像センサーなど）が起動され、周囲環境内の変数に検出及び（又は)監視を行い、センサーモジュール１２０は、周囲環境内の変数を電気信号に変換することを担当する。記憶機器５２０又はクラウドサーバ５４０中に予め定義又は自己定義されたトリガモード、例えば、物体の運動の検出及び（又は)監視、起床モード、睡眠モード、離れモード及び夜間モードが記憶される。周囲環境変数中のアナログ信号及び（又は)ユーザの命令又は他の入力を電気信号に変換した後、前記環境制御システムの制御モジュール１３０は、特定のモード識別方法を前記電気信号に適用し、前記電気信号が１種以上のモードとして識別される。前記環境制御システムの制御モジュール１３０は、識別された１種以上のモードと前記予め定義又は自己定義されたトリガモードとを比較し、前記比較行為が特定のアルゴリズムに従って行われ、前記特定のアルゴリズムは、線形判別分析、二次判別分析、最大エントロピー分類器、決定木、決定テーブル、カーネル推定、最近隣法、単純ベイズ分類器、ニューラルネットワーク、パーセプトロン、サポートベクターマシン、遺伝子発現プログラミング、階層的クラスタリング、ｋ平均法、関連クラスタリング、カーネル主成分分析、リフティングスキーム、ベイジアンネットワーク、マルコフ確率場、多重線形主成分分析、カルマンフィルタ、粒子フィルタ、ガウス過程回帰、線形回帰又は拡張、独立成分分析、主成分分析、条件付き確率場、隠れマルコフモデル、最大エントロピーマルコフモデル、リカレントニューラルネットワーク、相関ルール、帰納論理プログラミング、類似性測定学習、深層ニューラルネットワーク、深層ニューラルネットワーク問題、深層信念ネットワーク、畳み込みニューラルネットワーク、畳み込み深層信念ネットワークなどを含むがこれらに限定されず、前記特定のアルゴリズムは、上記任意の１種又は任意の複数種のアルゴリズムの組合せであってもよい。もし前記環境制御システムの制御モジュール１３０は、識別された１種以上のモードと前記予め定義又は自己定義されたトリガモードが一致すると判断すれば、例えば、物体の運動が検出されると、数分間点灯し、次に消灯し、起床モードが検出されると、灯が消灯から全部点灯まで数分間を必要とし、睡眠モードを検出及び（又は)監視すれば、灯が全部点灯から全部消灯まで数分間を必要とし、離れモードを検出及び（又は)監視すれば、対応する灯が１つの時点に点灯し、次にもう１つの時点に消灯し、夜間モードを検出及び（又は)監視するとき、もし物体の連続的な運動を検出及び（又は)監視すれば、灯光輝度を増加させ始め、もし物体の運動が検出及び（又は)監視されていなければ、灯光輝度を減少させる。上記モード及び行為（例えば、灯の消灯から点灯までの時間）は、理解を容易にするために過ぎず、識別されたモード及び対応する行為は、必要に応じて自由に定義されてもよいと注意すべきである。
【００７７】
図２１はセキュリティモードインタフェースの実施例の概略図である。キャンセルボタン２１１０は、セキュリティモードのセキュリティ警告機能をオフにするか又はログアウトするために用いられる。キャンセルボタン２１１０は、文字、画像、数字、又は特定の語意を有する任意の符号又は符号の組合せであってもよい。セキュリティ警告文字提示２１２０は、ユーザが検出したセキュリティイベントを警告するために用いられる。セキュリティ警告文字提示２１２０は、文字、画像、数字、又は特定の語意を有する任意の符号又は符号の組合せであってもよい。セキュリティ警告アイコン２１３０は、セキュリティ警告機能の起動をユーザに警告するために用いられる。セキュリティ警告アイコン２１３０は、文字、画像、数字、又は特定の語意を有する任意の符号又は符号の組合せであってもよい。環境制御システムを起動し、センサーモジュール１２０（又は温度センサー、輝度センサー、電流センサー、タッチセンサー、運動センサー、画像センサーなど）が起動され、周囲環境内の変数に検出及び（又は)監視を行い、センサーモジュール１２０は、周囲環境内の変数を電気信号に変換することを担当する。記憶機器５２０又はクラウドサーバ５４０中に予め定義又は自己定義されたトリガモードが記憶される。周囲環境変数中のアナログ信号及び（又は)ユーザの命令又は他の入力を電気信号に変換した後、前記環境制御システムの制御モジュール１３０は、特定のモード識別方法を前記電気信号に適用し、前記電気信号が１種以上のモードとして識別される。前記環境制御システムの制御モジュール１３０は、識別された１種以上のモードと前記予め定義又は自己定義されたトリガモードとを比較し、前記比較行為が特定の比較アルゴリズムに従って行われ、前記特定のアルゴリズムは、線形判別分析、二次判別分析、最大エントロピー分類器、決定木、決定テーブル、カーネル推定、最近隣法、単純ベイズ分類器、ニューラルネットワーク、パーセプトロン、サポートベクターマシン、遺伝子発現プログラミング、階層的クラスタリング、ｋ平均法、関連クラスタリング、カーネル主成分分析、リフティングスキーム、ベイジアンネットワーク、マルコフ確率場、多重線形主成分分析、カルマンフィルタ、粒子フィルタ、ガウス過程回帰、線形回帰又は拡張、独立成分分析、主成分分析、条件付き確率場、隠れマルコフモデル、最大エントロピーマルコフモデル、リカレントニューラルネットワーク、相関ルール、帰納論理プログラミング、類似性測定学習、深層ニューラルネットワーク、深層ニューラルネットワーク問題、深層信念ネットワーク、畳み込みニューラルネットワーク、畳み込み深層信念ネットワークなどを含むがこれらに限定されず、前記特定のアルゴリズムは、上記任意の１種又は任意の複数種のアルゴリズムの組合せであってもよい。もし前記環境制御システムの制御モジュール１３０は、識別された１種以上のモードと前記予め定義又は自己定義されたトリガモードが一致すると判断すれば（例えば、トリガモードは、午後一時五六分に寝室で運動が検出されることである）、前記セキュリティモードの警報を起動する。
【００７８】
図２２は家庭用カレンダーインタフェースの実施例の概略図である。キャンセルボタン２２１０は、リマインダーをキャンセルするために用いられる。キャンセルボタン２２１０は、文字、画像、数字、又は特定の語意を有する任意の符号又は符号の組合せであってもよい。家庭用カレンダー文字提示２２２０は、所定のリマインダーをユーザに提示するために用いられる。家庭用カレンダー文字提示２２２０は、文字、画像、数字、又は特定の語意を有する任意の符号又は符号の組合せであってもよい。家庭用カレンダーのアイコン２２３０は、現在のモードが家庭用カレンダーモードであることをユーザに提示するために用いられる。家庭用カレンダーのアイコン２２３０は、文字、画像、数字、又は特定の語意を有する任意の符号又は符号の組合せであってもよい。環境制御システムを起動し、センサーモジュール１２０（又は温度センサー、輝度センサー、電流センサー、タッチセンサー、運動センサー、画像センサーなど）が起動され、周囲環境内の変数に検出及び（又は)監視を行い、センサーモジュール１２０は、周囲環境内の変数を電気信号に変換することを担当する。記憶機器５２０又はクラウドサーバ５４０中に予め定義又は自己定義されたトリガモード（例えば、カレンダーにおける必要があるリマインダー）が記憶される。周囲環境変数中のアナログ信号及び（又は)ユーザの命令又は他の入力を電気信号に変換した後、前記環境制御システムの制御モジュール１３０は、特定のモード識別方法を前記電気信号に適用し、前記電気信号が１種以上のモードとして識別される。前記環境制御システムの制御モジュール１３０は、識別された１種以上のモードと前記予め定義又は自己定義されたトリガモードとを比較し、前記比較行為が特定のアルゴリズムに従って行われ、前記特定のアルゴリズムは、線形判別分析、二次判別分析、最大エントロピー分類器、決定木、決定テーブル、カーネル推定、最近隣法、単純ベイズ分類器、ニューラルネットワーク、パーセプトロン、サポートベクターマシン、遺伝子発現プログラミング、階層的クラスタリング、ｋ平均法、関連クラスタリング、カーネル主成分分析、リフティングスキーム、ベイジアンネットワーク、マルコフ確率場、多重線形主成分分析、カルマンフィルタ、粒子フィルタ、ガウス過程回帰、線形回帰又は拡張、独立成分分析、主成分分析、条件付き確率場、隠れマルコフモデル、最大エントロピーマルコフモデル、リカレントニューラルネットワーク、相関ルール、帰納論理プログラミング、類似性測定学習、深層ニューラルネットワーク、深層ニューラルネットワーク問題、深層信念ネットワーク、畳み込みニューラルネットワーク、畳み込み深層信念ネットワークなどを含むがこれらに限定されず、前記特定のアルゴリズムは、上記任意の１種又は任意の複数種のアルゴリズムの組合せであってもよい。もし前記環境制御システムの制御モジュール１３０は、識別された１種以上のモードと前記予め定義又は自己定義されたトリガモードが一致すると判断すれば（例えば、リマインダーは、午後七時に子供を迎えるか又は天気変化を提示するか又は室内通話放送により不法侵入を警告することである）、前記家庭用カレンダーのリマインダーを���動する。
【００７９】
図２３は、エネルギー消費監視インタフェースの実施例の概略図である。現在の日時提示２３１０は、現在選定されている日時をユーザに提示する。現在の日時提示２３１０は、文字、画像、数字、又は特定の語意を有する任意の符号又は符号の組合せであってもよい。２３２０は、前日のエネルギー消費データを表示するために用いられる。エネルギー消費データ２３２０は、文字、画像、数字、又は特定の語意を有する任意の符号又は符号の組合せであってもよい。２３３０は、現在の日時のエネルギー消費データを表示するために用いられる。エネルギー消費データ２３３０は、文字、画像、数字、又は特定の語意を有する任意の符号又は符号の組合せであってもよい。２３４０は、翌日のエネルギー消費データを表示するために用いられる。翌日のエネルギー消費データ２３４０は、文字、画像、数字、又は特定の語意を有する任意の符号又は符号の組合せであってもよい。環境制御システムを起動し、センサーモジュール１２０（又は温度センサー、輝度センサー、電流センサー、タッチセンサー、運動センサー、画像センサーなど）が起動され、周囲環境内の変数に検出及び（又は)監視を行い、センサーモジュール１２０は、周囲環境内の変数を電気信号に変換することを担当する。周囲環境変数中のアナログ信号及び（又は)ユーザの命令又は他の入力を電気信号に変換した後、前記環境制御システムの制御モジュール１３０は、特定のモード識別方法を前記電気信号に適用し、前記電気信号が１種以上のモードとして識別される。前記環境制御システムの制御モジュール１３０は、識別された１種以上のモードを記憶機器（例えば、記憶機器５２０、クラウドサーバ５４０など）に記憶する。環境制御システムの表示機器は、制御モジュール１３０中の記憶機器のモードデータを受信し、一定の表示アルゴリズムに従って、記憶されたモードデータ（例えば、２０１５年２月１１日に、２．１キロワット時のエネルギーが消費され、平均８０５ワットである）を表示する。
【００８０】
図２４は、天気更新及び警報インタフェースの実施例の概略図である。２４１０は、現在の天気状況を表示する。現在の天気２４１０のアイコンは、文字、画像、数字、又は特定の語意を有する任意の符号又は符号の組合せであってもよい。２４２０は、現在の気温を表示する。現在の気温２４１０のアイコンと温度数値は、文字、画像、数字、又は特定の語意を有する任意の符号又は符号の組合せであってもよい。２４４０は、当日の最高気温を表示する。当日の最高気温２４４０のアイコンと温度数値は、文字、画像、数字、又は特定の語意を有する任意の符号又は符号の組合せであってもよい。２４５０は、当日の最低気温を表示する。当日の最低気温２４５０のアイコンと温度数値は、文字、画像、数字、又は特定の語意を有する任意の符号又は符号の組合せであってもよい。２４３０は、天気状況を表示する。天気状況２４３０は、文字、画像、数字、又は特定の語意を有する任意の符号又は符号の組合せであってもよい。環境制御システムを起動し、センサーモジュール１２０（又は温度センサー、輝度センサー、電流センサー、タッチセンサー、運動センサー、画像センサーなど）が起動され、周囲環境内の変数に検出及び（又は)監視を行い、センサーモジュール１２０は、周囲環境内の変数を電気信号に変換することを担当する。センサーモジュール１２０は、通信モジュール１４０と通信することができ、通信モジュール１４０は、外部から入力された情報（例えば、天気情報など）を受信し、前記情報が１種以上の特別又は一般的なモードとして識別される。前記環境制御システムの制御モジュール１３０は、識別された１種以上のモードと前記予め定義又は自己定義されたトリガモードとを比較し、もし前記環境制御システムの制御モジュール１３０は、識別された１種以上のモードと前記予め定義又は自己定義されたトリガモードが一致すると判断すれば（例えば、天気及び温度、湿度、雨天警報をリアルタイムに表示する）、前記天気警報機能を起動する。
【００８１】
図２６は、クロックインタフェースの実施例の概略図である。２６１０は、クロックモード選択メニューであり、対応するクロックモードを選定するために用いられる。選定可能なクロックモードは、時間表示モード、タイマモード、目覚まし時計モードなどを含むことができるが、これらに限定されない。クロックモード選択メニューは、文字、画像、数字、又は特定の語意を有する任意の符号又は符号の組合せであってもよい。２６２０は、クロックモード指示であり、現在選定されているクロックモードを表示する。クロックモード指示２６２０は、文字、画像、数字、又は特定の語意を有する任意の符号又は符号の組合せであってもよい。２６４０は、タイマモードでの一時休止ボタンであり、現在選定されているタイマを一時休止させるために用いられる。一時休止ボタン２６４０は、文字、画像、数字、又は特定の語意を有する任意の符号又は符号の組合せであってもよい。２６３０は、現在選定されているモードがタイマモードであることを表示する。クロックのアイコン２６４０は、文字、画像、数字、又は特定の語意を有する任意の符号又は符号の組合せであってもよい。環境制御システムを起動し、センサーモジュール１２０（又は温度センサー、輝度センサー、電流センサー、タッチセンサー、運動センサー、画像センサーなど）が起動され、周囲環境内の変数に検出及び（又は)監視を行い、センサーモジュール１２０は、周囲環境内の変数を電気信号に変換することを担当する。記憶機器５２０又はクラウドサーバ５４０中に予め定義又は自己定義されたトリガモード（例えば、カレンダーにおける必要があるリマインダー）が記憶される。周囲環境変数中のアナログ信号及び（又は)ユーザの命令又は他の入力を電気信号に変換した後、前記環境制御システムの制御モジュール１３０は、特定のモード識別方法を前記電気信号に適用し、前記電気信号が１種以上のモードとして識別される。前記環境制御システムの制御モジュール１３０は、識別された１種以上のモードと前記予め定義又は自己定義されたトリガモードとを比較し、前記比較行為が特定のアルゴリズムに従って行われ、前記特定のアルゴリズムは、線形判別分析、二次判別分析、最大エントロピー分類器、決定木、決定テーブル、カーネル推定、最近隣法、単純ベイズ分類器、ニューラルネットワーク、パーセプトロン、サポートベクターマシン、遺伝子発現プログラミング、階層的クラスタリング、ｋ平均法、関連クラスタリング、カーネル主成分分析、リフティングスキーム、ベイジアンネットワーク、マルコフ確率場、多重線形主成分分析、カルマンフィルタ、粒子フィルタ、ガウス過程回帰、線形回帰又は拡張、独立成分分析、主成分分析、条件付き確率場、隠れマルコフモデル、最大エントロピーマルコフモデル、リカレントニューラルネットワーク、相関ルール、帰納論理プログラミング、類似性測定学習、深層ニューラルネットワーク、深層ニューラルネットワーク問題、深層信念ネットワーク、畳み込みニューラルネットワーク、畳み込み深層信念ネットワークなどを含むがこれらに限定されず、前記特定のアルゴリズムは、上記任意の１種又は任意の複数種のアルゴリズムの組合せであってもよい。もし前記環境制御シ���テムの制御モジュール１３０は、識別された１種以上のモードと前記予め定義又は自己定義されたトリガモードが一致すると判断すれば（例えば、三分三十秒計時する）、前記タイマを起動する。
【００８２】
図２７は、環境制御システムの自己学習機能の１つの実施例の概略図である。自己学習機能を起動した後、ステップ２７１０で、環境制御システムは、周囲環境における変数及び（又は)ユーザ命令又は他の入力を収集し、その後データの形式でシステムに入力する。ステップ２７１０を完了した後、環境制御システムは、ステップ２７５０、ステップ２７６０及びステップ２７７０に直接的に進むこともできる。入力を受信した後、環境制御システムは、起点に戻ることができ、ステップ２７２０に進むこともできる。ステップ２７２０で、環境制御システムは、収集されたデータ及び（又は)ユーザ命令又は他の入力に記憶と分類を行う。例えば、収集されたデータは、環境温度、輝度に関連し、ユーザ命令又は他の入力は、温度調整に関連し、また照明に関する。環境温度に関するデータと温度調整に関するユーザ命令又は他の入力を１類にまとめて記憶することができる。環境照度に関するデータと照明に関するユーザ命令又は他の入力を１類にまとめて記憶することができる。また例えば、環境制御システムは、収集されたデータ及び（又は)ユーザ命令又は他の入力に対して、場所、時間、生命体、人、動物、電子機器、携帯電話、インテリジェントスイッチ、化学物質、光、環境光、紫外線、命令、ユーザ命令、他の外部命令、データタイプなどのような記憶と分類を行う。上記分類は、平行関係であっても、階層関係であってもよい（例えば、人と動物は生命体に属し、ユーザ命令と他の外部命令は全て命令に属する）。ステップ２７２０を完了した後、環境制御システムは、ステップ２７１０に戻ることができ、ステップ２７３０に進むこともできる。ステップ２７２０とステップ２７５０に記載の記憶機器は、同一の記憶機器であっても、異なる記憶機器であってもよい。ステップ２７２０を完了した後、ステップ２７５０に直接的に進むことができ、ステップ２７５０を完了した後、ステップ２７２０に直接的に進むこともできる。上記分類は理解を容易にするために過ぎず、環境制御システムの分類は適用シーンに応じて自由に定義されてもよいと注意すべきである。ステップ２７３０で、分類済みデータに分析と処理を行う。分析と処理を完了した後、環境制御システムは、ステップ２７３０に戻ることができ、ステップ２７４０に進むこともできる。ステップ２７４０で、入力されたデータが１種以上のモードとして識別できるかどうかを判断し、１種以上のモードとして識別できなければ、環境制御システムはステップ２７１０に戻ってデータを収集し続ける。入力されたデータが１種以上のモードとして識別できれば、ステップ２７５０で識別されたモードが知識ベースに記憶される。前記モード識別は、環境制御システムが識別できる語句を作ることにより周囲環境への識別を完了する目的を達成する。前記語句は、例えば、２０１５年３月２５日  水曜日  １７時２４分に、玄関の温度は２７摂氏度であり、視野範囲内に生命活動が見つからず、二酸化炭素の濃度は０．０４％であり、玄関のシャンデリアは消灯し、玄関でいかなる運動物体などが検出されず、客室でトムがテレビを見ることが検出されることである。上記語句は理解を容易にするために過ぎず、システムの語句は特定の文法と特定��語意に基づいて自由に作られてもよいと注意すべきである。ステップ２７４０に記載のモード識別は、特定のアルゴリズムに従って行われ、前記特定のアルゴリズムは、線形判別分析、二次判別分析、最大エントロピー分類器、決定木、決定テーブル、カーネル推定、最近隣法、単純ベイズ分類器、ニューラルネットワーク、パーセプトロン、サポートベクターマシン、遺伝子発現プログラミング、階層的クラスタリング、ｋ平均法、関連クラスタリング、カーネル主成分分析、リフティングスキーム、ベイジアンネットワーク、マルコフ確率場、多重線形主成分分析、カルマンフィルタ、粒子フィルタ、ガウス過程回帰、線形回帰又は拡張、独立成分分析、主成分分析、条件付き確率場、隠れマルコフモデル、最大エントロピーマルコフモデル、リカレントニューラルネットワーク、相関ルール、帰納論理プログラミング、類似性測定学習、深層ニューラルネットワーク、深層ニューラルネットワーク問題、深層信念ネットワーク、畳み込みニューラルネットワーク、畳み込み深層信念ネットワークなどを含むがこれらに限定されず、前記特定のアルゴリズムは、上記任意の１種又は任意の複数種のアルゴリズムの組合せであってもよい。ステップ２７４０を完了した後、環境制御システムは、ステップ２７３０、ステップ２７２０及びステップ２７１０に戻ることもできる。ステップ２７６０で、知識ベースに記憶されたモードに分析と処理を行う。ステップ２７６０を完了した後、環境制御システムは、ステップ２７５０に戻ることができ、ステップ２７７０に進むこともできる。ステップ２７７０で、入力されたモードが１種以上の規律として識別できるかどうかを判断し、入力されたモードが１種以上の規律として識別できなければ、環境制御システムは、ステップ２７６０に戻って、入力されたモードを分析し処理し続ける。入力されたモードが１種以上の規律として識別できれば、ステップ２７７０で識別された１種以上の規律が知識ベースに記憶される。上記規律は自然界における一般的な規律を示さず、上記識別されたモードは、特定のアルゴリズムに従って、積み重ねて一定の閾値を超えると、規律として識別されると注意すべきである。例えば、ユーザが一ヶ月内に出かける時間区間は９７％が９：３０〜１０：００の間にあると、９：３０〜１０：００にユーザが出かけることは、規律として識別される。以上に挙げられた例は、理解を容易にするために過ぎず、行為時間区間、確率、積累時間区間など、例えば、１週間以内、１年間以内、１つの四半期以内、６０％、８０％、２２：３０〜２３：００などは必要に応じて自由に定義されてもよいと注意すべきである。上記規律は更新されてもよく、例えば、ユーザが特定の時間区間内に出かける時間が変化すれば、新しい規律は、ユーザの行為に適応するように識別されてもよい。上記ステップ２７７０に記載の規律識別は、特定のアルゴリズムに従って行われ、前記特定のアルゴリズムは、線形判別分析、二次判別分析、最大エントロピー分類器、決定木、決定テーブル、カーネル推定、最近隣法、単純ベイズ分類器、ニューラルネットワーク、パーセプトロン、サポートベクターマシン、遺伝子発現プログラミング、階層的クラスタリング、ｋ平均��、関連クラスタリング、カーネル主成分分析、リフティングスキーム、ベイジアンネットワーク、マルコフ確率場、多重線形主成分分析、カルマンフィルタ、粒子フィルタ、ガウス過程回帰、線形回帰又は拡張、独立成分分析、主成分分析、条件付き確率場、隠れマルコフモデル、最大エントロピーマルコフモデル、リカレントニューラルネットワーク、相関ルール、帰納論理プログラミング、類似性測定学習、深層ニューラルネットワーク、深層ニューラルネットワーク問題、深層信念ネットワーク、畳み込みニューラルネットワーク、畳み込み深層信念ネットワークなどを含むがこれらに限定されず、前記特定のアルゴリズムは、上記任意の１種又は任意の複数種のアルゴリズムの組合せであってもよい。ステップ２７７０を完了した後、環境制御システムはステップ２７６０に戻ることもできる。ステップ２７８０で、自己学習機能を終了する命令が受信されたかどうかを検出する。前記終了命令は、ユーザに由来しても、その環境制御システム自身に由来してもよい。例えば、環境制御システムにシステム終了アルゴリズムが予め設定され、アルゴリズム設定条件を満たす（例えば、既に１年間連続的に学習する）とき、環境制御システム自身は、終了命令を発信して自己学習機能を終了する。また例えば、環境制御システムの終了アルゴリズムは周囲環境のあるモードが検出される（例えば、室内に人がいないことが検出される）ことであるとき、上記モードは、環境制御システムをトリガして終了命令を発信する。自己学習機能を終了する命令を受信したら、環境制御システムは、自己学習機能を終了し、自己学習モードをログアウトする。自己学習機能を終了する命令が受信されていないと、環境制御システムは、識別された規律を知識ベースに記憶する。ステップ２７８０を完了した後、ステップ２７５０に戻ることもできる。前記知識ベースは記憶機器であり、環境制御システム内にあっても、環境制御システム外、例えば、リモートサーバ、クラウドサーバなどにあってもよい。
【００８３】
図２８は、パネル、バックパネル及び簡略化スイッチの組合せの実施例である。客室２８１０にインテリジェントスイッチバックパネル又は簡略化スイッチ２８１１が取り付けられる。寝室２８２０にインテリジェントスイッチバックパネル又は簡略化スイッチ２８２１が取り付けられる。キッチン２８３０にインテリジェントスイッチバックパネル又は簡略化スイッチ２８３１が取り付けられる。トイレ２８４０にインテリジェントスイッチバックパネル又は簡略化スイッチ２８４１が取り付けられる。インテリジェントスイッチパネル１５１０は携帯可能なハンドヘルド機器であり、ユーザは、自分の需要に応じて、インテリジェントスイッチパネル１５１０と客室２８１０のインテリジェントスイッチバックパネル又は簡略化スイッチ２８１１、寝室２８２０のインテリジェントスイッチバックパネル又は簡略化スイッチ２８２１、キッチン２８３０のインテリジェントスイッチバックパネル又は簡略化スイッチ２８３１、トイレ２８４０のインテリジェントスイッチバックパネル又は簡略化スイッチ２８４１を自由に接続することができる。インテリジェントスイッチパネル１５１０は、コネクタのインタフェース２８５０を介して、客室２８１０のインテリジェントスイッチバックパネル又は簡略化スイッチ２８１１、寝室２８２０のインテリジェントスイッチバックパネル又は簡略化スイッチ２８２１、キッチン２８３０のインテリジェントスイッチバックパネル又は簡略化スイッチ２８３１、トイレ２８４０のインテリジェントスイッチバックパネル又は簡略化スイッチ２８４１と接続されてもよい。インタフェースの有線接続タイプは、ＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）、Ｉ２Ｃ（Ｉｎｔｅｒ−Ｉｎｔｅｇｒａｔｅｄ  Ｃｉｒｃｕｉｔ）、ＳＰＩ（Ｓｅｒｉａｌ  Ｐｅｒｉｐｈｅｒａｌ  ｉｎｔｅｒｆａｃｅ）などを含むがこれらに限定されず、インタフェースのタイプはさらに自己定義されてもよく、自己定義インタフェースのピン（ｐｉｎ）の数及び機能を含むがこれらに限定されず、これらの機能は、給電、ハードウェア接続ハンドシェイク又は通信などの内容を含むがこれらに限定されない。インタフェースの無線接続タイプは、ブルートゥース又はＷｉ−Ｆｉを含むがこれらに限定されない。インタフェースに関する記述は以上の状況に限定されず、当業者はインタフェースの使用特徴に基づいて他の変形を行うことができると注意すべきである。例えば、ＵＳＢ、ＩＥＥＥ  １３９４、Ｅｘｐｒｅｓｓ  Ｃａｒｄ、ｅＳＡＴＡ、ＳＣＳＩ、ＩＤＥ、ＰＣＩなどを適用すると、同様又は類似の機能を実現することもできる。
【００８４】
図２９は、モバイル機器の制御の実施例の概略図である。接続可能な機器２９２０は、インテリジェントスイッチ１４１０、簡略化スイッチ１４２０、灯１４４１、温度計１４４２、吹出口１４４３、インテリジェントコンセント１４４４、家庭用電気製品１４４５、セキュリティ機器１４４６、天井扇風機１４４７、テレビ１４４８及びクラウドサーバ５４０を含む。さらに、天井扇風機１４４７は、扇風機、台扇、換気扇、卓上扇風機、空調ファン（すなわち冷却ファン）などであってもよい。天井扇風機１４４７は、上記任意の１種の扇風機又は任意の数の扇風機の組合せであってもよい。接続可能な機器２９２０に含まれる機器は以上に挙げられた機器に限定されず、ユーザは、必要に応じて自由に拡充することができ、例えば、洗濯機、テレビ、エアコン、加湿器、ヒーター、ガスレンジなどであると注意すべきである。モバイル機器１４３０は、２種の方式のうちいずれの１種により接続可能な機器２９２０と通信することができ、２９１０−Ａは、モバイル機器１４３０がネットワーク機器１３４０（１３７０）により接続可能な機器２９１０と通信することであり、２９１０−Ｂは、モバイル機器１４３０が内蔵ＳＩＭカードによって、ネットワークプロバイダに提供されたネットワーク（２Ｇ、３Ｇ、４Ｇ、５Ｇなど）を介して接続可能な機器２９２０と通信することである。ネットワーク機器１３７０は、インテリジェントスイッチ１４１０及び簡略化スイッチ１４２０に内蔵された機器であってもよく、ネットワーク機器１３４０は、インテリジェントスイッチ１４１０及び簡略化スイッチ１４２０の外部機器であってもよい。ネットワーク機器は、ルーター、ブルートゥースネットワーク機器、オペレータネットワーク機器、決済ペアリング機器、ＺｉｇＢｅｅネットワーク機器を含むがこれらに限定されない。モバイル機器１４３０は、ネットワーク機器１３４０（１３７０）により、方式２９１０−Ａでインテリジェントスイッチ１４１０及び簡略化スイッチ１４２０と双方向通信を行うことができる。インテリジェントスイッチ１４１０及び簡略化スイッチ１４２０は、モバイル機器１４３０から送信された命令を受信し、受信された命令に基づいて、インテリジェントスイッチ１４１０及び簡略化スイッチ１４２０は、灯１４４１、温度計１４４２、吹出口１４４３、インテリジェントコンセント１４４４、家庭用電気製品１４４５、セキュリティ機器１４４６、天井扇風機１４４７、テレビ１４４８及びクラウドサーバ５４０などの機器に対応する命令を発信する。モバイル機器１４３０は、内蔵ＳＩＭカードによって、ネットワークプロバイダに提供されたネットワーク（２Ｇ、３Ｇ、４Ｇ、５Ｇなど）を介して、方式２９１０−Ｂでインテリジェントスイッチ１４１０及び簡略化スイッチ１４２０と双方向通信を行うこともできる。インテリジェントスイッチ１４１０及び簡略化スイッチ１４２０は、モバイル機器１４３０から送信された命令を受信し、受信された命令に基づいて、インテリジェントスイッチ１４１０及び簡略化スイッチ１４２０は、灯１４４１、温度計１４４２、吹出口１４４３、インテリジェントコンセント１４４４、家庭用電気製品１４４５、セキュリティ機器１４４６、天井扇風機１４４７、テレビ１４４８及びクラウドサーバ５４０などの機器に対応する命令を発信する。以上に示された通信制御方式は、本技術の唯一の実施形態ではなく、モバイル機器１４３０は、さらに、インテリジェントスイッチ１４１０及び簡略化スイッチ１４２０ではなく上記２種の通信方式のうちいずれの１種の方式によって、灯１４４１、温度計１４４２、吹出口１４４３、インテリジェントコンセント１４４４、家庭用電気製品１４４５、セキュリティ機器１４４６、天井扇風機１４４７、テレビ１４４８及びクラウドサーバ５４０と双方向通信を直接的に行うことができると注意すべきである。家庭用電気製品１４４５は、上記２種の通信方式によってモバイル機器１４３０と双方向通信を直接的に行うことができ、インテリジェントコンセント１４４４によって、上記２種の通信方式のうちいずれの１種によりモバイル機器１４３０と双方向通信を行うこともできる。さらに、上記２種の通信方式は理解を容易にするために過ぎず、明らかに、当業者にとって、通信の基本的な原理を理解した後、この原理から逸脱しない限り、実施機器の通信の具体的な方式とステップに形式と詳細の様々な修正及び変更を行うことができ、例えば、有線の方式により通信することができるが、これらの修正及び変更は依然として以上に示された範囲内にある。
【００８５】
１つの実施例では、モバイル機器１４３０を用いてネットワーキングし環境制御システムに加入する（例えば、ブルートゥースネットワーキング技術を直接利用するか又はルーターを介して環境制御システムにおける通信モジュール１４０と接続されるなど）とき、モバイル機器１４３０におけるローディングＡＰＰにより、対応する操作を完了することができ、ＡＰＰを初めて開くか又は再起動するときに、ウェルカムページを表示し、ウェルカムページは、実演教学及び機能紹介などを含むがこれらに限定されず、また、ユーザは、例えば、ユーザ名及びパスワードなどの証拠によりファミリー口座にログインすることができ、新しいユーザをレジスタするか又はニックネームなどを設定することもできる。ＡＰＰホームページに入った後、ＡＰＰは、例えば、メニューインタフェースを表示し、メニューインタフェースから、インテリジェント照明モード１９５１、セキュリティモード１９５２、家庭用カレンダーモード１９５３、インテリジェント換気モード（又は温湿度制御モード）１９５４、メッセージボードモード（又はビデオ音声通話モード）１９５５、エネルギー消費監視モード１９５６、音楽再生モード１９５７、赤ん坊看護モード１９５８及び設定１９５９などを含むがこれらに限られない環境制御システムにおける異なる機器及び（又は)モードを制御することができる。ユーザは、メニューインタフェースで対応するアイコンをドラッグすることにより、これらの機能ボタンの位置を変更することもできる。
【００８６】
インテリジェント照明モード１９５１の１つの実施例では、照明エリアを選定的に制御することができ、該エリアは、１つ以上の部屋であっても、全ての灯であっても、１つ以上の灯などであってもよい。例えば、キッチン、寝室、客室及びトイレなどである。異なるエリアを指示するアイコンをドラッグすることにより、そのインタフェースでの位置を変更することもできる。インテリジェント照明モード１９５１への制御の具体的な詳細は、文中図２５、図２７、図３０、図３１、図３２、図３３、図３４、図３５、図４８の記述とインテリジェント照明モード及び人工知能に関する他の記述を参照することができ、繰り返して説明する必要がない。セキュリティモード１９５２の１つの実施例では、ユーザは、ＡＰＰにより、撮像機器によって撮影されたリアルタイム又はノンリアルタイム画像を視聴することができ、セキュリティキーによりセキュリティモードをアクティブすることもできる。例えば、不法侵入などのイベントが発生するとき、セキュリティモードは、ＡＰＰで及び（又は)警報を発生させ、ユーザが提示の履歴記録を閲覧することもできる。セキュリティモード１９５２への制御の具体的な詳細は、文中図２１、図２７、図３８、図３９、図４０、図４１、図４２、図４８の記述とインテリジェント照明モード及び人工知能に関する他の記述を参照することができ、繰り返して説明する必要がない。
【００８７】
家庭用カレンダーモード１９５３の１つの実施例では、ユーザは、当日又は他の日時のイベントを設定することができ、当然のことながら、イベントは、クラウドサーバ５４０又はインターネットからダウンロード及び（又は)同期されてもよい。ユーザは、例えば、１日以内、１週間以内、１ヶ月以内又は１年間以内に発生しようとするか又は既に発生したイベントなどを閲覧することができる。また、ユーザは、様々なイベントが発生する時の提示タイプ、例えば、音声指示、警報器鳴き提示、灯点滅提示、ＡＰＰ及び（又は)パネルなどの機器のプッシュ提示などを設定することもできる。上記例は、説明を容易にするために過ぎず、提示のタイプが複数あり、例えば、携帯電話などの振動提示、ベッド昇降及び角度変更の提示などがある。家庭用カレンダーモード１９５３への制御の具体的な詳細は、文中図２２、図２７、図４８の記述と家庭用カレンダーモードに関する他の記述を参照することができ、繰り返して説明する必要がない。
【００８８】
インテリジェント換気モード（又は温湿度制御モード）１９５４の１つの実施例では、ユーザは、各部屋又はエリアの温度、湿度及び体感温度などを閲覧及び（又は)調整することができる。対応するパラメータへの調整は、リアルタイムであっても、予め設定されてもよく、例えば、この時点のパラメータを調整し、又は将来ある日ある時点のパラメータなどを予め設定する。インテリジェント換気モード（又は温湿度制御モード）１９５１への制御の具体的な詳細は、文中図２７、図４３、図４４、図４８の記述とインテリジェント換気モード及び人工知能に関する他の記述を参照することができ、繰り返して説明する必要がない。
【００８９】
メッセージボードモード（又はビデオ音声通話モード）１９５５の１つの実施例では、ユーザは、例えば、文字、音声録音、画像、ビデオセグメントなどのメッセージを送信及び（又は)受信することができ、音声通話又はビデオ音声通話を開始又は受信することもできる。メッセージの送受信とビデオ及び（又は)音声通話の接続対象は、例えば、他のモバイル機器１４３０、インテリジェントスイッチ１４１０、コンピュータ、タブレットコンピュータ、ＰＤＡ、テレビ１４４８−１、１４４８−２又は１４４８−３、電話又は移動電話などの機器であってもよい。メッセージボードモード（又はビデオ音声通話モード）１９５５への制御の具体的な詳細は、文中図２５、図２７、図４５、図４６、図４８の記述とメッセージボードモード及び人工知能に関する他の記述を参照することができ、繰り返して説明する必要がない。
【００９０】
エネルギー消費監視モード１９５６の１つの実施例では、ユーザは、当日又は他の日時のエネルギー消費状況を閲覧することができ、エネルギー消費は、異なる単位又は形式で表すことができ、例えば、キロワット時を単位とし、一定の時間内の平均電力使用量ワットを単位とし、又は関連する等値（例えば、等値は本季節の電力価格と電力消費量の乗積などである）の金額を単位とすることなどである。ユーザは、例えば、１日間、１週間、１ヶ月、又は１年間などの一定の時間範囲内の電力使用状況を閲覧することができる。これ以外に、ＡＰＰは、エネルギー消費報告を生成することもでき、ユーザが参照するために用いられる。エネルギー消費監視モード１９５６への制御の具体的な詳細は、文中図２３、図２７、図４８の記述とエネルギー消費監視モード及び人工知能に関する他の記述を参照することができ、繰り返して説明する必要がない。
【００９１】
音楽再生モード１９５７の１つの実施例では、ユーザは、１つ以上の部屋又はエリアで音楽を再生することを選定することができ、音楽を再生するための機器は、再生機能を有するあらゆる機器、例えば、インテリジェントスイッチ１４１０、インテリジェントスイッチ１４１０、の下方に磁気接続されたブルートゥースオーディオ機器、環境制御システムに有線又は無線接続された他のオーディオ機器、着用可能な再生機器（例えば、イヤホン、補聴器など）、スマートフォン、タブレットコンピュータ、ＰＤＡ、コンピュータ、テレビ１４４８−１、１４４８−２又は１４４８−３、車載スピーカーなどであってもよい。ＡＰＰで音楽の名称、アーティスト、アルバム、再生リストなどの関連情報を表示することができる。ユーザは、さらに他の機器と同期することにより音楽などのファイルを伝送又は受信することを選定し、再生される音楽又はリストを選定し、再生モード（例えば、連続再生、サイクル再生、ランダム再生など）を選定することができる。ユーザは、音楽再生時間及びボリュームを設定することもでき（又は環境制御システムの自己学習）、例えば、毎日の朝８時に鳥が鳴る音楽を再生し、ボリュームが徐々に強くなり、ユーザが眠り込んだことを検出及び（又は)監視した後、例えば、２０分間以内に、徐々にボリュームを低減し、最終的に音楽再生をオフにすることなどを設定することができる。音楽再生モード１９５７への制御の具体的な詳細は、文中図２７、図４８の記述と音楽再生モード及び人工知能に関する他の記述を参照することができ、繰り返して説明する必要がない。
【００９２】
赤ん坊看護モード１９５８の１つの実施例では、ユーザは、赤ん坊看護モードをオンにするか又はオフにすることを選定することができる。赤ん坊看護モード１９５８のオン状態で、環境制御システムは、赤ん坊及び彼の一定の範囲内の関連パラメータを検出及び（又は)監視し、例えば、モバイル機器１４３０、インテリジェントスイッチ１４１０、コンピュータ、タブレットコンピュータ、ＰＤＡ、テレビ１４４８−１、１４４８−２又は１４４８−３、電話又は移動電話などの機器に提示又は警報を送信する。環境制御システムが検出及び（又は)監視する内容は、例えば、赤ん坊の泣き声、赤ん坊の呼吸、赤ん坊のハートビート、赤ん坊の体温、赤ん坊の気分、赤ん坊の部屋内に人や物が移動しているかどうか、赤ん坊の部屋内の人の容貌及び生物的フェロモンなどの身分特徴、赤ん坊の部屋内の温湿度、赤ん坊の部屋内の空気質量、赤ん坊のおむつの清潔度などを有することができる。当然のことながら、システムが検出及び（又は)監視できる内容は、上記内容に限定されず、他のパラメータ、例えば、赤ん坊の部屋が位置する環境のノイズボリュームなどを有することもできる。ユーザは、さらに赤ん坊と彼が位置する環境のリアルタイム又はノンリアルタイムビデオ音声情報を視聴し、ビデオ音声通話モードにより赤ん坊とインタラクションを行い、赤ん坊の部屋の照明、温湿度などのようなパラメータを調整することができる。環境制御システムは、自己学習機能又は人工知能により、例えば、赤ん坊が布団を蹴っ飛ばしたことを検出及び（又は)監視した後、赤ん坊の部屋内の温度を自動的に上昇させることなどの制御を自動的に作ることもできる。当然のことながら、赤ん坊看護モード１９５８は、赤ん坊の看護だけに適用されることではなく、例えば、老人、子供、妊婦、患者、ペットなどの看護にも同様に適用される。赤ん坊看護モード１９５８への制御の具体的な詳細は、文中図２７、図４８の記述と赤ん坊看護モード及び人工知能に関する他の記述を参照することができ、繰り返して説明する必要がない。
【００９３】
設定１９５９の１つの実施例では、ユーザは、例えば、ＡＰＰの設定とインテリジェントスイッチの設定などを行うことができる。ＡＰＰの設定は、セキュリティ設定、家庭用カレンダー提示の設定、エネルギー消費監視の設定、温度単位の設定、ニックネーム編集、補助問答、関連情報及び補助メールなどを含むがこれらに限定されず、インテリジェントスイッチの設定は、インテリジェント照明モードの設定、家庭アドレスの設定、部屋タイプ編集、無音モード、写真のアップロード、補助問答及び関連情報などを含むがこれらに限定されない。設定１９５９の具体的な詳細は、文中図２７、図３０、図４８の記述と設定及び人工知能に関する他の記述を参照することができ、繰り返して説明する必要がない。
【００９４】
環境制御システムがＡＰＰに提示及び（又は)警報を送信することを必要とする場合、ＡＰＰは提示を表示する。提示内容は、アイコン、文字情報及びショートカットボタンなどを含むことができるが、これらに限定されない。提示を引き起こすイベントは、天気警報、セキュリティ警報、家庭用カレンダー提示、赤ん坊看護提示、ビデオ音声会話（又はメッセージボード）提示などを含むがこれらに限定されない。提示に関する具体的な詳細は、文中図２７、図４８の記述と緊急イベントの処理及び人工知能に関する他の記述を参照することができ、繰り返して説明する必要がない。また、ＡＰＰの任意の１つのインタフェースで、ユーザは、音声識別機能を用いて入力又は制御を行うことを選定することができ、メニューに戻ることなどを選定することもできる。ＡＰＰにおける異なるインタフェース、機能及びモードの表現形式は多数あり、上記モードなどは、モバイル機器１４３０のＡＰＰに限定されず、インテリジェントスイッチ１４１０、モバイル機器１４３０、テレビ１４４８−１、１４４８−２又は１４４８−３、コンピュータ、タブレットコンピュータ、ＰＤＡ及び車載マルチメディアシステムなどを含むがこれらに限られない他の機器で表示することもできる。当然のことながら、ＡＰＰのインタフェースを表示できる機器は、上記機器に限定されず、表示機能を有する他の機器、例えば、冷蔵庫、洗濯機などの家庭用電気製品のスクリーンなどであってもよい。ＡＰＰのインタフェースの表示スケール及びレイアウトは、機器の大きさなどの特性に応じて異なり、ＡＰＰのインタフェースで表示されるアイコンの数量及び表示モード又は機能タイプも機器の用途の違いに応じて異なる。
【００９５】
図２９−Ａと図２９−Ｂは、ＡＰＰがモバイル機器１４３０で表示するメッセージボードモード（又はビデオ音声通話モード）１９５５に関する１つの実施例である。２９００−Ａと２９００−Ｂで表示されるＡＰＰのインタフェースで、ユーザが現在メッセージボードモード（又はビデオ音声通話モード）１９５５にあることを提示するように、アイコン指示２９０１及び文字指示２９０２などを含むことができる。図２９−Ａと図２９−Ｂに示す実施例は、ユーザが文字情報交流（又はチャット）を行う状態を示し、２９０３は異なるチャット関与者の情報（例えば、画像、ニックネーム及び名前など）を表示し、２９０４は文字情報の内容を表示する。ユーザは、入力カラム２９０５で文字情報を入力することができ、表情記号２９０６で表情を追加することもできる。インタフェースの下方で、音声制御ボタン２９０８を用いて音声入力及び音声制御を実現することができ、メニューボタン２９０９によりマスタメニューに戻ることができ、他の機能ボタン２９０７により他の機能のサブメニューを起動することもできる。他の機能のメニューは、例えば、画像送信２９１１、履歴記録削除２９１４と提示設定２９１３などの機能を含む。ユーザは再び他の機能ボタン２９０７により他の機能のサブメニューをオフにし、入力インタフェースに戻ることができる。
【００９６】
インテリジェント照明モードは、１、遠距離設定又は近距離手動設定が可能であり、２、有線又は無線方式で通信設定が可能であり、３、ユーザの室内外の移動又は出入／日中又は夜間の異なる時間帯／ユーザが長時間に出かける必要があるかどうかに基づいて、室内の各部屋又は場所の照明方式を調整し、４、ユーザの日常使用習慣に従って自己適応又は自己学習を行うという１つ以上の属性を有することができる。
【００９７】
インテリジェント照明モードは、前記環境制御システムの有機構成部分として、異なる種類の情報／データタイプ（例えば、セキュリティ警報、突発天気、突発イベント、温度変化、ユーザの屋内外での移動又は出入、及び日中又は夜間の異なる時間帯、周囲の自然光環境変化など）を受信することにより、ユーザが手動で又は自動的に、近距離又は遠距離、有線又は無線で対応する灯光変化モードを選定することができる。同時に、自主学習機能を有するインテリジェント照明モードとして、灯光変化モードは、ユーザの使用習慣及び好みを収集し、省エネルギーと環境保護の要件を結合することにより、環境制御と省エネルギー及び環境保護の統一を達成することができる。
【００９８】
ユーザのインテリジェント照明モードへの操作は、異なるインタフェース、例えばインテリジェント又はノンインテリジェントユーザインタフェース、又は近距離インタフェース及び遠距離インタフェースなどを有することができる。インテリジェントユーザインタフェースの１つの実施例として、ユーザがインテリジェントインタフェースに近接すると検出するとき、該インタフェースは、灯光制御型ユーザインタフェースに自動的に変換することができる。近距離インタフェースの１つの実施例（例えば、図１９）では、ユーザは、メインインタフェースの右上隅に位置する灯光制御ボタン１９２３をクリックすることによりインテリジェント照明モードに入り、又はメインインタフェースの内部スクリーンに位置するアイコン１９１１を直接クリックすることによりインテリジェント照明モードに入ることができる。
【００９９】
近距離インタフェースでは、インテリジェント照明モードの灯設定方式は、メインスクリーンの右下隅に位置するメニューボタン１９２４をクリックすることにより入ることができる。図３０に示すように、タッチスクリーンで設定３０１０が表示されてもよく、現在のページが設定のメインインタフェースであることをユーザに提示するために用いられる。設定のメインインタフェースでの照明ボタン３０２３をクリックすることにより、インテリジェント照明モードの設定に入ることができる。図３０に示すインタフェースは、さらに属性３０２１、ネットワーク３０２２、セキュリティ３０２４、クロック３０２５、外観３０２６、補助３０２７及び情報３０２８などの機能を有し、かつこれらのアイコンにより対応する機能の設定を行うことができる。当然のことながら、設定インタフェースで設定された内容はこれらに限定されず、設定可能な内容はまた複数がある。例えば、新しい家庭用電気製品又は他の機器を、設定機能により環境制御システムに加入するか又は環境制御システムとペアリングすることができる。環境制御システムは、１つ以上のインタフェース又はアクセス標準を含むか又は提供することができる。１つの家庭用電気製品又は機器は、対応するインタフェース又はアクセス標準を含むと、このインタフェース又はアクセス標準により環境制御システムとペアリングすることができる。環境制御システムは、例えば、この機器に関するパラメータ又は情報、ユーザ命令を収集又は取得し、この機器と通信し、この機器を制御するなどの１つ以上の機能を実現することができる。
【０１００】
インテリジェント照明モードの光強度制御変換方式は、異なる実施形態を有することができる。図３１に示すように、ユーザは、タッチスクリーンインタフェースに、手動方式で波型３１１０、環型３１２０又はスライドボタン型３１３０の間に灯の点灯又は消灯を選定し、かつ光強度の変化を操作制御することができる。界面３１００において、ブラウズ３１４０及び「次へ」３１５０の２つのボタンを同時に有する。スライドボタン型３１３０の操作方式を例にし、図３２では、右上隅の灯光制御ボタン２０２０をクリックした後、ユーザは、光強度を示すスライドボタンの位置をスライドすることにより、ユーザの部屋内の照明強度を調整することができ、右下隅のエリア選定ボタン２０３０をクリックした後、ユーザは、スライド型ボタン３２４０のスライド型灯光輝度調整ボタン３２３０での位置をスライドすることにより、図３３に示す異なる部屋内の照明強度を調整することができ、インタフェースの左側では、最暗アイコン３２２０を提示し、右側では、最明アイコン３２５０を提示する。図３３に示すように、該インタフェースは、キッチン３３１０、寝室３３２０及び客室３３３０内の照明機器３３１１、３３２１、３３３１などを含むがこれらに限られない機器を制御することができる。
【０１０１】
インテリジェント照明モードへの制御は、さらに無線方式により、ユーザが携帯電話のａｐｐで遠距離インタフェースを遠距離操作することにより実現されてもよい。本願では、ａｐｐとＡＰＰは交換使用され、アプリケーションソフトウェアを表す。図３４は、携帯電話の遠距離インタフェースの実施例を示し、移動機器３４２０は、無線ネットワーク３４３０を介してインテリジェントスイッチ３４１０に接続され、ユーザがセットアップされた家庭アカウントによりａｐｐ使用インタフェースに入った後、タッチスクリーンで制御パネルが表示され、中間に照明アイコン３４２７であり、現在のページが遠距離インタフェースにおけるインテリジェント照明モードに関するインタフェースであることをユーザに提示するために用いられる。インタフェースの最下方で、インテリジェント照明モード３４２４、音声通話モード３４２５及びメニュー３４２６を選定することができる。インテリジェント照明モードのインタフェースには、全部のエリア３４２３、客室３４２２及びキッチン３４２１などを含むがこれらにかぎられない異なる照明エリアを選定することができる。インタフェースの上方で、エリア指示３４２８及び波型灯光輝度調整ボタン３４２９を表示することができる。インテリジェント照明モード３４２４を選定するとき、ユーザは、いくつかの種類の異なるインテリジェント照明モードの間に切り替えることができる。これらのモードは、環境制御システムの異なる入力データに基づいて、対応する灯光変化モードをインテリジェントグランドに設定することができる。環境制御システムの異なる入力データは、未知侵入者の侵入によるセキュリティ警報、又は暴雨、雷電、スモッグ、台風、竜巻などのような突発的な天気変化、又は地震、津波、火山爆発などのような地質災害による突発イベント、朝、昼又は夜間のような異なる時間帯、温度センサーにより検出された室内外温度が発生した変化、及び運動センサーにより検出された人体又は動物及び移動物体の移動などを含むがこれらに限定されない。例えば、図３５に示すように、異なるインテリジェント照明モードは、目覚めモード３５３１、睡眠モード３５３２、休日モード３５３３、運動モード３５３４、夜間モード３５３５及び灯光学習モード３５３６などのようなモードを含むがこれらに限定されない。インタフェース３５００の下方で、「戻る」３５４１、音声通話モード３４２５及びメニュー３４２６などをさらに有する。また、インタフェースの上方でインテリジェント照明モード提示３５１０をさらに有し、左側でモードスイッチ提示３５２０などを有する。以下、本発明者らのこれらのモードへの記述は、全ての近似又は類別のインテリジェント照明モードをカバーすることではない。明らかに、類別のモードに対して、当業者にとって、本願の内容と原理を理解した後、本技術原理、構造から逸脱しない限り、これらのモードに形式と詳細の様々な修正及び変更を行うことができるが、これらの修正及び変更は依然として本願の特許請求の範囲の保護範囲内にある。
【０１０２】
以下は、インテリジェント照明モードの運動モード３５３４の機能とフロー実施例への記述である。
【０１０３】
インテリジェント照明モードは、センサーモジュール１２０により収集された情報に基づいて、ユーザか既に家に帰ったかどうかを判断し、それにより「お帰り」のインテリジェント照明モードの運動モードを起動することができる。具体的には、センサーモジュール１２０は、少なくとも１つのセンサーを含み、センサー、他のモジュール及び外部機器は、例えば、図７に開示されるいくつかの種類の対応関係を有することができる。センサーモジュール１２０は、さらに制御モジュール７２０及び外部機器１６０と接続される。センサーは外部機器であっても、外部機器の部材であってもよい。図７はセンサーモジュール１２０の内部構造と周囲構造の１つの実施例に過ぎず、センサーモジュール１２０はさらに異なる構造を有することができ、他の周囲機器と接続され、ここでの接続方式は有線であっても無線であってもよい。
【０１０４】
次に、センサーモジュール１２０は、検出されたユーザ関連情報を処理モジュール１１０に送信して分析判断を行い、これらの情報は、音声、光、重量、位置、温度、湿度、圧力、電流、速度及び加速度、文字、画像、タッチ、瞳孔、指紋などのうちの１種又は複数種を含むことができるが、これらに限定されない。以上のこれらのセンサー可能なデータタイプは、説明を容易にするために挙げられた例に過ぎず、センサーモジュール１２０が感知できる情報又はデータタイプは、ユーザの気分及び磁場などのような他のタイプをさらに含むことができる。処理モジュール１１０の分析判断方法は、収集された情報と一定のパラメータ（例えば、基準値、基準区間、閾値、既定値又は予測値）を比較することを含むがこれに限定されない。該パラメータは、ユーザにより設定されても、環境制御システムによりマシントレーニングに基づいて取得されてもよい。処理モジュール１１０の分析を経た後、収集された情報があるパラメータ要件（例えば、ある基準値に合致し、ある基準空間に入り、ある閾値／既定値／予測値を超えるなど）を満たすと仮定し、該情報はユーザ情報である。
【０１０５】
処理モジュール１１０によりユーザが既に家に帰ったと判断した後、制御モジュール１３０を呼び出してインテリジェント照明モードの運動モードを実施し始め、これは、ユーザの使用習慣に一致した灯点灯アルゴリズムを用いて、ユーザの家庭照明及びインテリジェント照明モードを起動することを含むがこれに限定されない。該灯点灯アルゴリズムは、既に設定された実現方式に従って、例えば、自動的又は手動に玄関及び客室の灯を直ちに点灯し、寝室、来客用の寝室及び車庫のインテリジェント照明モードを起動し、温度センサーにより感知された温度に基づいて対応する部屋の灯を自動的又は手動に調整することなどを実現することができる。灯光強度は、ユーザの光強度への好みに基づいて設定されてもよい。一旦トリガされると、灯は、そのまま、一定の時間、例えば、少なくとも３０分間維持し、灯点灯アルゴリズムによって消灯されるまで行う。最も長い維持時間は、例えば、２時間を含むがこれに限定されない。
【０１０６】
灯点灯アルゴリズムの実現方式は、ソフトウェア実現方式及びハードウェア実現方式を含むがこれらに限定されない。ソフトウェア実現方式は、既存の一般的なＣ、Ｃ＋＋、Ｐｙｔｈｏｎ、Ｊａｖａ（登録商標）、Ｊａｖａｓｃｒｉｐｔ、Ｆｏｒｔｒａｎ、Ｖｉｓｕａｌ  Ｃ＋＋及びアセンブリ言語を利用することを含むがこれらに限定されず、ハードウェア実現方式は、ワンチップマイコン、集積回路（ＩＣ）、チップなどを含むがこれらに限定されない。利用可能なコンピュータ機器は、例えば、パーソナルデスクトップコンピュータ、パーソナルノートパソコン、パーソナルデジタルアシスタント（ＰＤＡ）、タブレットコンピュータ及び本願の明細書で開示される例のようなパーソナルコンピュータ、サーバ及びマイクロ電子機器などを含むがこれらに限定されない。以上に記述された例は、説明を容易にするために過ぎず、制御可能なソフトウェア及びハードウェアは、例えば、インテリジェント盗難防止システムと車載電子モードなどのような他の面をさらに含むことができる。
【０１０７】
以下は、インテリジェント照明モードの夜間モード３５３５の機能とフロー実施例への記述である。
【０１０８】
インテリジェント照明モードは、現在の時間帯が所定の時間帯、例えば深夜にあるかどうか、及びセンサーモジュール１２０により収集されたユーザの活動情報に基づいて、ユーザが部屋内に起きて活動しているかどうかを判断し、それにより柔らかく照明するインテリジェント照明モードの夜間モードを起動することができる。具体的には、センサーモジュール１２０は、少なくとも１つのセンサーを含み、センサー、他のモジュール及び外部機器は、例えば、図７に開示されるいくつかの種類の対応関係を有することができる。センサーモジュール１２０は、さらに制御モジュール７２０及び外部機器１６０と接続される。センサーは外部機器であっても、外部機器の部材であってもよい。図７はセンサーモジュール１２０の内部構造と周囲構造の１つの実施例に過ぎず、センサーモジュール１２０はさらに異なる構造を有することができ、他の周囲機器と接続され、ここでの接続方式は有線であっても無線であってもよい。
【０１０９】
次に、センサーモジュール１２０は、検出されたユーザ関連情報を処理モジュール１１０に送信して分析判断を行い、これらの情報は、音声、光、重量、位置、温度、湿度、圧力、電流、速度及び加速度、文字、画像、タッチ、瞳孔、指紋などのうちの１種又は複数種を含むがこれらに限定されない。以上のこれらのセンサー可能なデータタイプは、説明を容易にするために挙げられた例に過ぎず、センサーモジュール１２０が感知できるデータタイプは、時間、ユーザの気分及び磁場などのような他のタイプをさらに含むことができる。処理モジュール１１０の分析判断方法は、収集された情報と一定のパラメータ（例えば、基準値、基準区間、閾値、既定値又は予測値）を比較することを含むがこれに限定されない。該パラメータは、ユーザにより設定されても、環境制御システムによりマシントレーニングに基づいて取得されてもよい。処理モジュール１１０の分析を経た後、収集された情報があるパラメータ要件（例えば、ある基準値に合致し、ある基準空間に入り、ある閾値／既定値／予測値を超えるなど）を満たすと仮定し、環境制御システムは、ユーザが夜間起きて活動していると判断する。
【０１１０】
処理モジュール１１０によりユーザが起きて活動していると判断した後、制御モジュール１３０を呼び出してインテリジェント照明モードの夜間モードを実施し始め、これは、柔らかい灯光を有する灯点灯アルゴリズムを呼び出し起動することを含むがこれらに限定されない。該灯点灯アルゴリズムは、既に設定された実現プローに従って、又はユーザの活動範囲と活動方式に基づいて、ユーザの使用習慣と合わせて、ユーザが所在する部屋又は隣接する部屋の灯光強度を自動的に調整し、かつ温度センサーにより感知された温度変化に基づいて、対応する部屋の灯などを自動的又は手動に調整することができる。灯点灯アルゴリズムの１つの具体的な実施例として、灯点灯アルゴリズムは、ユーザが夜間起きて活動する時間帯（例えば、夜間１１時〜朝５時を含むがこれに限定されない）を設定し、かつ短い時間（例えば、１０秒）内に光の強度をユーザの所望の輝度範囲内に調整することができる。もしユーザが活動を停止すれば、光センサーが徐々に入力を減少さることにより、灯は例えば１５秒程度後に消灯する。
【０１１１】
灯点灯アルゴリズムの実現方式は、ソフトウェア実現方式及びハードウェア実現方式を含むがこれらに限定されない。ソフトウェア実現方式は、既存の一般的なＣ、Ｃ＋＋、Ｐｙｔｈｏｎ、Ｊａｖａ、Ｊａｖａｓｃｒｉｐｔ、Ｆｏｒｔｒａｎ、Ｖｉｓｕａｌ  Ｃ＋＋及びアセンブリ言語を利用することを含むがこれらに限定されず、ハードウェア実現方式は、ワンチップマイコン、集積回路（ＩＣ）、チップなどを含むがこれらに限定されない。利用可能なコンピュータ機器は、例えば、パーソナルデスクトップコンピュータ、パーソナルノートパソコン、パーソナルデジタルアシスタント（ＰＤＡ）、タブレットコンピュータ及び本願の明細書で開示される例のようなパーソナルコンピュータ、サーバ及びマイクロ電子機器などを含むがこれらに限定されない。以上に記述された例は、説明を容易にするために過ぎず、制御可能なソフトウェア及びハードウェアは、例えば、インテリジェント盗難防止システムと車載電子モードなどのような他の面をさらに含むことができる。
【０１１２】
以下は、インテリジェント照明モードの自己学習モード３５３６の機能とフロー実施例への記述である。
【０１１３】
インテリジェント照明モードは、通信モジュール１４０と接続されたクラウドサーバ５４０により収集されたユーザの日常活動と習慣のデータ全体に基づいて、インテリジェント照明モードの起動及び使用方式をインテリジェントに調整することができる。具体的には、まず処理モジュール１１０の記録ユニットは、ユーザの異なる条件でのインテリジェント照明モードの動作習慣と修正方式を記録する。異なる条件は、未知侵入者の侵入によるセキュリティ警報、又は暴雨、雷電、スモッグ、台風、竜巻などのような突発的な天気変化、又は地震、津波、火山爆発などのような地質災害による突発イベント、朝、昼又は夜間のような異なる時間帯、温度センサーにより検出された室内外温度が発生した変化、及び運動センサーにより検出された人体又は動物及び移動物体の移動などを含むがこれらに限定されない。ユーザの日常使用習慣と傾向が記録されたこれらのデータ情報を、全て通信モジュール１４０により、例えば、クラウドサーバ５４０、ローカルエリアネットワークサーバ、広域ネットワークサーバなどへアップロードする。ここでのクラウドサーバ５４０は、環境制御システムに内蔵されても、環境制御システム外の第三者の商用サーバであってもよい。ここでの通信は、信号の双方向の取得を広く指し、信号は、コーディング、数字、文字、画像、音声及びビデオなどの内容を含むことができるが、これらに限定されない。
【０１１４】
処理モジュール１１０は、サーバ側で記録されたユーザの日常使用習慣と傾向データに基づいて、制御モジュール１３０を呼び出し、ユーザの使用習慣に基づく灯光学習アルゴリズムを含むがこれに限定されないインテリジェント照明モードの自己学習モードを実施することができる。灯光学習アルゴリズムの１つの具体的な実施例は、ユーザの使用習慣データを自動的に記憶しアップロッドし、ユーザが灯を調整する行為に分析を行い、かつ該ユーザの使用行為を真似することができる。具体的には、該アルゴリズムは、ユーザが用いたデータと一定のパラメータ（例えば、基準値、基準区間、閾値、既定値又は予測値）を比較することができる。該パラメータは、ユーザにより設定されても、インテリジェント照明モードによりマシントレーニングに基づいて取得されてもよい。処理モジュール１１０の分析を経た後、該データがあるパラメータ要件（例えば、ある基準値に合致し、ある基準空間に入り、ある閾値／既定値／予測値を超えるなど）を満たすと仮定し、最小二乗法、変分法、最急降下法又は他の動的最適化アルゴリズムを含むがこれらに限定されないいくつかの所定の最適化アルゴリズムに従って、該データ値を修正し、かつこれにより室内の灯光強度を対応して調整し、ユーザのフィードバックなどの情報を記録する。
【０１１５】
灯光学習アルゴリズムの実現方式は、ソフトウェア実現方式及びハードウェア実現方式を含むがこれらに限定されない。ソフトウェア実現方式は、既存の一般的なＣ、Ｃ＋＋、Ｐｙｔｈｏｎ、Ｊａｖａ、Ｊａｖａｓｃｒｉｐｔ、Ｆｏｒｔｒａｎ、Ｖｉｓｕａｌ  Ｃ＋＋及びアセンブリ言語を利用することを含むがこれらに限定されず、ハードウェア実現方式は、ワンチップマイコン、集積回路（ＩＣ）、チップなどを含むがこれらに限定されない。利用可能なコンピュータ機器は、例えば、パーソナルデスクトップコンピュータ、パーソナルノートパソコン、パーソナルデジタルアシスタント（ＰＤＡ）、タブレットコンピュータ及び本願の明細書で開示される例のようなパーソナルコンピュータ、サーバ及びマイクロ電子機器などを含むがこれらに限定されない。以上に記述された例は、説明を容易にするために過ぎず、制御可能なソフトウェア及びハードウェアは、例えば、インテリジェント盗難防止システムと車載電子モードなどのような他の面をさらに含むことができる。
【０１１６】
以下は、インテリジェント照明モードの目覚めモード３５３１と睡眠モード３５３２の機能とフロー実施例への記述である。
【０１１７】
インテリジェント照明モードは、センサーモジュール１２０により収集された情報により、異なる時間帯とユーザの休憩状態を判断し、それによりインテリジェント照明モードの関連目覚めモード３５３１又は睡眠モード３５３２を起動することができる。具体的には、センサーモジュール１２０は、少なくとも１つのセンサー（例えば、１つのタイマなど）を含み、センサー、他のモジュール及び外部機器は、図７に開示されるいくつかの種類の対応関係を有することができる。センサーモジュール１２０は、さらに制御モジュール７２０及び外部機器１６０と接続される。センサーは外部機器であっても、外部機器の部材であってもよい。図７はセンサーモジュール１２０の内部構造と周囲構造の１つの実施例に過ぎず、センサーモジュール１２０はさらに異なる構造を有することができ、他の周囲機器と接続され、ここでの接続方式は有線であっても無線であってもよい。
【０１１８】
次に、センサーモジュール１２０は、タイマにより、真夜中、夜明け、明け方、夕方、夜、深夜などを含むがこれらに限定されない対応する時間帯を決定する。同時に、センサーモジュール１２０は、検出された関連情報を処理モジュール１１０に送信して分析判断を行い、これらの情報は、音声、光、重量、位置、温度、湿度、圧力、電流、速度及び加速度、画像、タッチ、瞳孔、指紋などのうちの１種又は複数種を含むがこれらに限定されない。検出された朝の太陽光の強度変化、季節変化及び天気変化など、ユーザがモバイル機器、コンピュータ又は環境制御システムのユーザインタフェースで設定された正常に目覚めて起きる時間（例えば、７時前後）を含むがこれらに限定されない。以上のこれらのセンサー可能なデータタイプは、説明を容易にするために挙げられた例に過ぎず、センサーモジュール１２０が感知できるデータタイプは、ユーザの気分及び磁場、並びにユーザの睡眠深度などのような他のタイプをさらに含むことができる。処理モジュール１１０の分析判断方法は、収集された情報と一定のパラメータ（例えば、基準値、基準区間、閾値、既定値又は予測値）を比較することを含むがこれに限定されない。該パラメータは、ユーザにより設定されても、環境制御システムによりマシントレーニングに基づいて取得されてもよい。処理モジュール１１０の分析を経た後、収集された情報があるパラメータ要件（例えば、ある基準値に合致し、ある基準空間に入り、ある閾値／既定値／予測値を超えるなど）を満たすと仮定し、制御モジュールは、ユーザが対応する活動状態にあると判断することができ、活動状態は、浅い睡眠又は深い睡眠のような睡眠と、読むこと、歩くこと、テレビを見ることなどを含むがこれらに限定されない強度の低い活動と、トレーニング、ボディビルディング、パーティー活動などのような強度の高い活動とを含むがこれらに限定されない。
【０１１９】
処理モジュール１１０によりユーザが所在する対応する運動モードを判断した後、制御モジュール１３０を呼び出してインテリジェント照明モードの目覚めモード３５３１又は睡眠モード３５３２を実施し始め、これは、ユーザの使用習慣に一致した目覚めモードアルゴリズム又は睡眠モードアルゴリズムを用いて、ユーザの家庭インテリジェント照明モードを調整することを含むがこれに限定されない。該灯光目覚めアルゴリズムが徐々に室内の光強度を明るく調整することにより、ユーザは自然な方式で徐々に目覚めることができる。灯光目覚めアルゴリズムの１つの具体的な実施例として、該灯光目覚めアルゴリズムは、当時の季節及び（又は)天気に応じて、輝度を０％から直ちに１００％に上昇させることができる。ここでの０％は電球の最も低い輝度レベルであり、１００％は電球の最も高い輝度レベルである（与えられた数字範囲は説明を容易にするために過ぎない）。ユーザはさらに手動で灯光の輝度を調整することができる。一定の時間を経た後、灯光はまた正常な室内の灯光強度に徐々に（例えば、約５秒程度）回復し、灯光が徐々に明るくなるイベント及び（又は)室内の灯光の輝度もユーザによって自己設定されてもよい。灯光睡眠アルゴリズムが徐々に室内の光強度を暗く調整することにより、ユーザは活動強度を徐々に低下させ、寝ることに準備をする。灯光睡眠アルゴリズムの１つの具体的な実施例として、灯光強度は、現在の光強度から０％まで徐々に低下し、次に１つのバッファリング時間後に完全に消える。
【０１２０】
灯光目覚めモード３５３１と睡眠モード３５３２のアルゴリズムの実現方式は、ソフトウェア実現方式及びハードウェア実現方式を含むがこれらに限定されない。ソフトウェア実現方式は、既存の一般的なＣ、Ｃ＋＋、Ｐｙｔｈｏｎ、Ｊａｖａ、Ｊａｖａｓｃｒｉｐｔ、Ｆｏｒｔｒａｎ、Ｖｉｓｕａｌ  Ｃ＋＋及びアセンブリ言語を利用することを含むがこれらに限定されず、ハードウェア実現方式は、ワンチップマイコン、集積回路（ＩＣ）、チップなどを含むがこれらに限定されない。利用可能なコンピュータ機器は、例えば、パーソナルデスクトップコンピュータ、パーソナルノートパソコン、パーソナルデジタルアシスタント（ＰＤＡ）、タブレットコンピュータ及び本願の明細書で開示される例のようなパーソナルコンピュータ、サーバ及びマイクロ電子機器などを含むがこれらに限定されない。以上に記述された例は、説明を容易にするために過ぎず、制御可能なソフトウェア及びハードウェアは、例えば、インテリジェント盗難防止システムと車載電子モードなどのような他の面をさらに含むことができる。
【０１２１】
ここでの説明は以上の具体的な実施例の主な過程に過ぎず、唯一の実施例として考えるべきでなく、ここでの各ステップは必須ではなく、フロー全体とその具体的なステップも図と以上の説明に限定されないと説明すべきである。明らかに、当業者にとって、本願の内容と原理を理解した後、本技術原理、構造から逸脱しない限り、これらのアルゴリズムに形式と詳細の様々な修正及び変更を行うことができるが、これらの修正及び変更は依然として本願の特許請求の範囲の保護範囲内にある。
【０１２２】
図３６はインテリジェントスイッチパートナーの実施例である。電源３６１０は処理モジュール１１０に給電することを担当し、給電方式は有線又は無線である。電源３６１０は、外部電源、内部蓄電池、システムに付きの発電機器を含むがこれらに限定されない。処理モジュール１１０は処理ユニットとして用いることができ、処理モジュール１１０は通信モジュール１４０と双方向通信を行うことができ、処理モジュール１１０は入力機器３６５０と双方向通信を行うことができ、処理モジュール１１０は近距離通信ラベル３６４０と双方向通信を行うことができる。処理モジュール１１０は、小規模集積回路（Ｓｍａｌｌ  Ｓｃａｌｅ  Ｉｎｔｅｇｒａｔｅｄ  ｃｉｒｃｕｉｔｓ）、中規模集積回路（Ｍｅｄｉｕｍ  Ｓｃａｌｅ  Ｉｎｔｅｇｒａｔｅｄ  ｃｉｒｃｕｉｔｓ）、大規模集積回路（Ｌａｒｇｅ  Ｓｃａｌｅ  Ｉｎｔｅｇｒａｔｅｄ  ｃｉｒｃｕｉｔｓ）、超大規模集積回路（Ｖｅｒｙ  Ｌａｒｇｅ  Ｓｃａｌｅ  Ｉｎｔｅｇｒａｔｅｄ  ｃｉｒｃｕｉｔｓ）、超大規模集積回路（Ｕｌｔｒａ  Ｌａｒｇｅ  Ｓｃａｌｅ  Ｉｎｔｅｇｒａｔｅｄ  ｃｉｒｃｕｉｔｓ）及びギガ規模集積回路（Ｇｉｇａ  Ｓｃａｌｅ  Ｉｎｔｅｇｒａｔｅｄ  ｃｉｒｃｕｉｔｓ）を含むがこれらに限定されない任意の集積回路であってもよい。通信モジュール１４０は、主に環境制御システム内、環境制御システムと外部機器との間、環境制御システム及び（又は)外部機器と他のシステム又は機器との間の通信を担当し、その通信方式は有線通信及び無線通信を含むがこれらに限定されず、無線通信は、無線電気通信、自由空間光通信、音声通信及び電磁誘導などを含むがこれらに限定されない。近距離通信ラベル３６４０は特定の標準に従って設定された集積回路であり、それは自分の記憶ユニットを有し、読み書き機能を有する。近距離通信ラベル３６４０は、他の機器と近距離通信を行うことを担当し、前記近距離通信により、インテリジェントスイッチパートナー３６００と前記他の機器はマッチング関係を確立する。入力機器３６５０は外部から入力されたデータを受信することができ、前記入力データは処理モジュール１１０によってオン、オフ及び負荷制御の３種のモードとして識別され、分けられた３種のモードはそれぞれ制御回路の導通、閉止と負荷のパワーであり、前記３種のモードはそれぞれがスイッチ３６５１と調光器３６５２によって制御される。対応するモードを識別した後、処理モジュール１１０は、対応するモードに従って、通信モジュール１４０により前記マッチングが確立された他の機器へ命令を送信し、前記マッチングが確立された他の機器は、処理モジュール１１０から送信された命令を受信して実行する。図３７はインテリジェントスイッチパートナーの外観設計図である。インテリジェントスイッチパートナー３６００の外形は、図３７００−Ａであっても図３７００−Ｂであってもよい。図３７００−Ａでは、３７１０−Ａはインテリジェントスイッチパートナー３７００−Ａのフレームであり、３７２０−Ａは環型光調整ボタンであり、指定されたボタンを回転することにより、光の強さを調整する目的を達成することができる。３７１０−Ｂはインテリジェントスイッチパートナー３７００−Ｂ���フレームであり、３７２０−Ｂはストリップ型光調整ボタンであり、指定されたボタンを上下に調整することにより、光の強さを調整する目的を達成することができる。
【０１２３】
図３８はインテリジェントチャイムモードを示す。ある場合に、該インテリジェントチャイムモードはインテリジェントセキュリティモードの一部であってもよい。処理モジュール１１０は、電力量検出３８２０、画像センサー３８５１、通信モジュール１４０、運動センサー３８５２、音声センサー３８５３、ガス成分センサー３８５４、指紋センサー３８５５及び入力機器３８７０と双方向通信を行うことができる。処理モジュール１１０は、音声センサー３８５３により伝送された電気信号を受信することができ、前記電気信号を処理モジュール１１０によって受信して処理した後、音声出力３８６０に伝送し、音声出力３８６０は、受信した電気信号に出力処理を行う。入力機器３８７０は、キーボード、ボタン、タッチスクリーン、スキャナー、ライトペン、マウス、手書き入力パッド、ジョイスティックなどを含むがこれらに限定されず、入力機器３８７０は、上記任意の１種の機器又は上記任意の数の機器の組合せであってもよい。電源３８１０はセキュリティモードに給電することを担当し、電源モジュール３８３０は電源３８１０で発生した電流を特定のフォーマットに変換して処理モジュール１１０及び画像センサー３８５１に給電する。電力量検出３８２０は電源３８１０の状態を検出することを担当し、電力量検出３８２０は、また検出された電源３８１０の状態を処理モジュール１１０に伝送することを担当し、処理モジュール１１０は、特定の方式により電力量検出３８２０を構成することによりそれを特定の方式に従って作動させることができる。処理モジュール１１０は、電力量検出３８２０により伝送された特定の電源状態を検出するとき、低電力量提示３８４０に特定の命令を送信することができる。処理モジュール１１０は画像センサー３８５１により伝送されたデータを受信することができ、処理モジュール１１０は画像センサー３８５１に特定の命令を送信することができる。画像センサー３８５１が識別可能な内容は、顔の特徴、身体特徴、音声特徴、動作特徴のうちの１種又は複数種の組合せを含むがこれらに限定されない。顔の特徴は、年齢、瞳孔、表情、ヘアスタイル及び５つの器官の相対的位置などの特徴のうちの１種以上を含むがこれらに限定されない。身体特徴は、身長、体積、人体比率などの特徴のうちの１種以上を含むがこれらに限定されない。音声特徴は、ユーザの音声又は歩行音の高さ、音色、周波数、スムーズ性、キーワードなどの特徴のうちの１種又は複数種の組合せを含むがこれらに限定されない。動作特徴は、肢体動作（頭部、アーム部、脚部など）、速度又は加速度などの特徴のうちの１種以上を含むがこれらに限定されない。運動センサー３８５２は、１種以上の環境変数を監視することにより、周囲環境において運動が発生したかどうかを検出する。例えば、運動センサー３８５２は周囲環境にマイクロ波を送信することができ、ドップラー効果を利用して、運動センサー３８５２は、反射されて戻ったマイクロ波に基づいて運動が発生したかどうかを決定することができる。上記ガス成分センサー１３２９がマイクロ波を送信することは、理解を容易にするために過ぎないと注意すべきである。明らかに、当業者にとって、ドップラー効果の基本的な原理を理解した後、この原理から逸脱しない限り、運動センサー３８５２の具体的な方式とステップに形式と詳細の様々な修正及び変更を行うことができるが（例えば、赤外線を利用する）、これらの修正及び変更は依然として以上に示された範囲内にある。音声センサー３８５３は、音声の高さ、音色、周波数などを含むがこれらに限定されない音声情報を収集することができる。ガス成分センサー３８５４は、特定の場所でのガス成分及び（又は)含有量を監視及び（又は)検出することができ、これらのガスは、環境に由来しても人体に由来してもよい。環境におけるガスは、一酸化炭素、二酸化炭素、酸素ガス、オゾン、アンモニアガス、メタン、ホルムアルデヒド、ベンゼン及びベンゼン系物質、煙霧及び他の有機又は無機ガスを含むがこれらに限定されない。人体からのガスは、フェロモンと人体から放散された他の気味を含むがこれらに限定されない。指紋センサー３８５５は指紋を識別することができ、前記指紋は、人体の指紋、いくつかの動物の指紋（例えば、ゴリラ、チンパンジーなど）、人及び（又は)いくつかの動物の掌紋、人及び（又は)いくつかの動物の足紋と人及び（又は)いくつかの動物の足底紋を含むがこれらに限定されない。通信モジュール１４０は、主に環境制御システムと外部機器との間、環境制御システム及び（又は)外部機器と他のシステム又は機器との間の通信を担当する。通信モジュール１４０は、通信ネットワーク３８８０を介して外部と通信し、その通信方式は有線通信及び無線通信を含むがこれらに限定されず、無線通信は、無線電気通信、自由空間光通信、音声通信及び電磁誘導などを含むがこれらに限定されない。
【０１２４】
前記のようなセンサーの例は理解を容易にするために過ぎないと注意すべきである。明らかに、当業者にとって、各種のセンサーの原理を理解する場合に、センサーの具体的な方式とステップに形式と詳細の様々な修正及び変更を行うことができ、又は実際の需要に応じて、いくつかのセンサーを増加させるか又は減少させることができ、これらの修正及び変更は依然として以上に示された範囲内にある。
【０１２５】
図３９は、環境制御システムにおけるセキュリティモードの１つの実施形態である。ユーザは、環境制御システムの操作インタフェースによりセキュリティキーを設定して、セキュリティモードを起動する。タッチスクリーンで提示が表示されてもよく、現在のページがセキュリティモードに関することをユーザに提示する。タッチスクリーンで提示３９３０をさらに有することができ、セキュリティモードを起動するように先にセキュリティキーを入力する必要があることをユーザに通知する。ユーザがセキュリティモードを起動しないことを選定すれば、ユーザは、バツマーク（Ｘ）３９２０をクリックすることができる。ユーザは、チェックマーク（ノ）３９１０をクリックして継続を選定し、キー入力インタフェースに入ることができる。ユーザは、タッチスクリーンの数字キーボードによりキーを入力することができる。環境制御システムが他の符号（例えば、アルファベット、特殊符号など）のキーを含むことを許可すると仮定し、タッチスクリーンのキーボードはこれらの符号を含む。ユーザが数字をクリックするとき、数字は、ユーザが入力した内容を見えるように発光することができる。数字の光は、クリック動作が一定の時間終了した後、例えば、１ｓ、２ｓ、３ｓ又はより長い時間後に消えることができる。図４に示すタッチスクリーンで、セキュリティモード提示アイコン４０１０、ユーザ入力キーのビット数４０２０及び数字キーボード４０３０を表示することができる。ユーザは、チェックマーク（ノ）４０３０をクリックすることにより、入力の完了を確認することができる。ユーザは、後退矢印（←）４０３１をクリックすることにより、最新の入力を取り消すこともできる。
【０１２６】
該キーの形式は、物理キー、数字パスワード、文字パスワード、符号パスワード、音声パスワード、画像パスワード、指紋パスワード、虹彩パスワード及び電磁波パスワードなどを含むがこれらに限定されず、以上の複数種の形式で組み合わせられたキーであってもよい。該セキュリティキーが符号と数字の組合せであると仮定し、キーにおける符号と数字のそれぞれのビット数、キーの全長は具体的なシーンに応じて設定されてもよい。環境制御システムは、キーの構成を指定することによりセキュリティを向上させることができる。例えば、環境制御システムは、キーの最も小さい長さ、キー構成（例えば、少なくとも１つの数字、１つの大文字、１つの小文字、１つの特殊符号を有する）などを指定することができる。キーは、ユーザの家屋又は家屋のある特定場所に対する特権を証明することができる。また、キーは、ユーザの該環境制御システムに対するアクセス権限を明確にすることもできる。１つの環境制御システムは、複数のキーを有することができ、異なるキーは、異なる入り特権及び（又は)アクセス権限を指定することができる。例えば、第１のキーは、全ての入り特権（例えば、家屋の任意の場所に入る権利）及びアクセス権限（例えば、環境制御システム装置の全体又は一部（例えば、エアコンモード、セキュリティモード、インテリジェント照明モードなど）を設定し変更する権利）を提供する。第１のキーは、環境制御システムが所在する場所に該環境制御システムの管理者（例えば、家屋の所有者）を提供することができる。第１のキーは、環境制御システムによってマスターキーとして提供されてもよい。第１のキーは、管理者によって設定されてもよい。環境制御システムは、管理者が第１のキーを設定する前にマスターキーを提供することを求めることができる。環境制御システムは、第１のキーを設定する前にマスターキーを提供することを管理者に求めることができる。第２のキーは、一部の入り特権を提供することができるが、アクセス権限がない。第２のキーは、他の人、例えば該家庭の子供に提供することができ、該子供は、子供が単独に現れると危険である場所（例えば、プール、浴室、マシンが存在する工場など）を除き、家屋のいくつかの場所に入ることができる。子供は、第２のキーを取得することを前提にして、システム機器を変更することができない。第３のキーは、部分的入り特権（例えば、家屋の全部ではなく一部の場所に入る権利）及び部分的アクセス権限（例えば、一部の環境制御システム機器（セキュリティモード以外、例えば、エアコンモード、インテリジェント照明モードなど）を設定し変更する権利）を提供する。第３のキーを清掃人員のような人に提供することができ、彼たちは、清掃の必要がある部屋に入ることができるが、家屋の他の場所に入ることができない。清掃人員は、第３のキーが提供されたことを前提にして、環境制御システムの一部の装置を変更することができる。セキュリティキーは、環境制御システムにおいて記憶され、他のモジュールがセキュリティを実施するときに呼び出すために用いられる。
【０１２７】
図４１に示すように、セキュリティモードのキーを入力した後、インタフェース４１００では、セキュリティモードを起動するかどうかの提示４１３０、キャンセルを表すバツマーク（Ｘ）４１２０と決定を表すチェックマーク（ノ）４１１０を表示することができる。セキュリティモードは、選定可能な作動と不作動の２種の状態を有することができる。セキュリティモードが作動モードに設定され、センサーモジュール１２０が情報を検出し始めると仮定し、それが収集した情報は、疑わしい人（例えば、見知らぬ人、強盗と他のセキュリティキーを知らない人）が現れるかどうかを判断するために用いられる。センサーモジュール１２０は、他の開示したところで説明されるように、いくつかのセンサーを含む。説明を容易にするために、ここで、センサーモジュール１２０により検出された情報が移動物体が現れるかどうかを分析するために用いられると仮定し、その検出方法は、ビデオ収集装置により、画像及び音声情報を含むビデオを取得することを含むがこれらに限定されない。ここで、センサーモジュールが移動物体を検出する例は、理解を容易にするために過ぎず、疑わしい人が現れるかどうかを識別できる他のデータ情報、例えば、音声、光、重量、温度、圧力、速度及び加速度、瞳孔、顔などの情報又はこれらの情報の組合せに対して、センサーモジュール１２０によって検出されてもよいと注意すべきである。例えば、センサーモジュール１２０は、分析のために、顔情報を検出することができる。
【０１２８】
センサーモジュール１２０は、検出した情報を処理モジュール１１０に伝送して分析判断を行い、その判断方法は、収集された情報と一定のパラメータ（例えば、基準値、基準区間、閾値、既定値又は予測値）を比較することを含むがこれに限定されない。該パラメータは、ユーザにより設定されても、環境制御システムにより自己学習機能に基づいて取得されてもよい。処理モジュール１１０の分析を経た後、収集された情報があるパラメータ要件（例えば、ある基準値に合致し、ある基準空間に入り、ある閾値／既定値／予測値を超えるなど）を満たすと仮定し、該情報は疑わしい情報であり、環境制御システムは、該疑わしい情報に対応して反応することができる。該反応は、該疑わしい情報が安全であるかどうかをさらに判断するためのものである。その判断方法は、ユーザが、一定の時間間隔内に、環境制御システムに正確なセキュリティキーを入力することにより該疑わしい情報を取り除くことを含むがこれに限定されない。該時間間隔の長さ（例えば、２０ｓ、４０ｓ、６０ｓなど）は、ユーザにより事前に設定されても、環境制御システムにより自己学習機能に基づいて取得されてもよい。センサーモジュール１２０を経て処理モジュール１１０に入る情報があるパラメータ要件（例えば、ある基準値に合致せず、ある基準空間に入らず、ある閾値／既定値／予測値を超えないなど）を満たしないと、該情報は安全と見なされ、削除されても、他の用途のために記憶されてもよい。
【０１２９】
疑わしい情報が一定の時間内に取り除かれていないと、処理モジュール１１０は、センサーモジュール１２０、制御モジュール１３０、通信モジュール１４０などのモジュールのうちの１つ以上のモジュールに命令を送信する。センサーモジュール１２０へ送信される命令はセンサーモジュールへの動作命令を含み、センサーモジュール１２０においてカメラを有すると仮定し、それでは、該動作命令の内容は、カメラの角度、焦点距離、解像度、撮影モード、撮影時間数などを含むがこれらに限定されない。制御モジュール１３０へ伝送される命令は、制御モジュール１３０により制御される内容へのオンオフ又は調整を含む。制御モジュール１３０が制御可能な内容は、電流、モータ及びコンピュータ機器の制御などを含むがこれらに限定されない。電流の制御は、外部機器の通電及び停電電流の制御などを含むがこれらに限定されず、モータの制御は、モータの起動と停止、変位の長さ、速度、加速度、回転角度、角速度、角加速度などの制御を含むがこれらに限定されず、コンピュータ機器は、パーソナルコンピュータ、サーバ及びマイクロ電子機器などを含むがこれらに限定されない。制御モジュール１３０において警報機器を有すると仮定し、それでは、命令は、警報機器を起動又は停止することなどを含むがこれに限定されない。通信モジュール１４０へ伝送される命令は、ネットワーク環境の検出、受信端末の確認、通信の接続又は中止、宛先情報の伝送などであってもよい。処理モジュール１１０が他のモジュールへ送信する命令は、以上に挙げられた例に限定されず、当業者は、革新がない場合に、実際の需要に応じて調整することができると注意すべきである。例えば、夜間の場合、センサーモジュール１２０におけるビデオ収集センサーは、疑わしい人をびっくりさせない状況で撮影を行うように、赤外線技術を選定する。また、処理モジュール１１０が複数のモジュールへ命令を送信すると仮定し、その順序、制御強度、動作周波数は、実際の状況に応じて、ユーザによって設定されるか又は環境制御システム（又はセキュリティモード）自身によりマシントレーニングに基づいて取得されてもよい。例えば、処理モジュール１１０は、まずセンサーモジュール１２０に命令を送信することにより、そのカメラが疑わしい情報を追跡し記録するようにし、その後、制御モジュール１３０に命令を送信することにより、警報装置及び灯点滅を起動し、最後に通信モジュール１４０に命令を送信することにより、通信接続を確立し、疑わしい情報をユーザ読み出し端末に伝送し、モジュール間に命令を受信する時間間隔は実際の状況に応じて設定される。処理モジュール１１０は、さらにセンサーモジュール１２０、制御モジュール１３０及び通信モジュール１４０へ以上の命令を同時に送信することができる。
【０１３０】
さらに、図４２に示すように、インテリジェントスイッチ４２１０は、音声、ビデオ、動作と動物の他の様々な情報などを含むがこれらに限られない収集された情報を、クラウドサーバ４２２０を介してユーザのモバイル機器４２３０に送信し、モバイル機器４２３０で、対応する情報４２３１を表示することができる。セキュリティモードは、居住環境の室内への検出警報以外、周辺環境への検出警報に適用されてもよい。さらに、玄関と前庭及び（又は)後庭の安全状況を検出するように、セキュリティモードの機器は家屋の玄関に取り付けられてもよい。例えば、玄関で人が経過するかどうかを検出し、物体が移動しかつ該移動物体の大きさ、移動規則が基準値（例えば、閾値、既定値及び予測値など）を満たすと検出する場合、これらの変化の対応する情報などを自動的に記録する。これらの対応する情報は、音声、画像、ビデオ、物体の動作及び身分などを含むがこれらに限定されない。これらの情報は、図４２に示す方式によりユーザに送信されてもよく、ユーザは、モバイル機器又はパーソナルコンピュータなどの機器でさらに動作を行うことができる。この機能は、例えば、配達員が玄関で放置した小包が盗まれ、或いは、ある人が前庭及び（又は)後庭に不法に入ることなどを防止することができる。以上に挙げられた例は、説明を容易にするために過ぎず、セキュリティモードの適用は、さらに他のタイプを有することができ、例えば、セキュリティモードは、目標場所に時分割及び（又は)空間分割制御を行うことができる。家庭の異なる部屋に対して放置された物品の貴重程度に応じて重みを与えることができ、例えば、書斎、収蔵室又は入りやすい窓を有する他の部屋のセキュリティレベルを最高に定義し、客室、キッチン、寝室などの部屋のセキュリティレベルを中等に定義し、トイレ又は浴室などの部屋のセキュリティレベルを最低に定義することができ、異なるレベルに対して、そのセキュリティ強度（例えば、全天候であるかどうか、入力キーを必要とするかどうかなど）が異なる。また、異なる部屋を相対的位置に従って分割することもでき、例えば、階上部屋と階下部屋に対して、日中、家族がいないとき、いずれも階上と階下のセキュリティモードを起動し、夜間、家族メンバーが階上で活動するとき、階上のセキュリティを一時的に停止し、階下のセキュリティだけを起動することができる。セキュリティモードの時分割及び（又は)空間分割は、省エネルギーと他の目的を達成することができる。当業者は、さらに他の拡大又は修正を行うことができ、このような変更はいずれも本願の保護範囲内にある。
【０１３１】
ユーザは、疑わしい情報を受信した後、最後の判断を行うことができる。確かに疑わしい情報であると仮定し、命令を環境制御システムに伝送した後、システム自身は、例えば、自動的に警報電話を掛け、警報情報を送信し、寝室のドアがよくロックされたかどうかを判断するなどのような一定の防御措置を取ることにより、ユーザの身の安全を保証することができる。
【０１３２】
前記のようなセキュリティモードのフローとモジュールは理解を容易にするために過ぎないと注意すべきである。実際の実施シーンでは、当業者は、少しも革新がないことを前提にして、プロー又はモジュールの内容に拡大又は省略を行うことができる。例えば、センサーモジュール１２０は、さらに、処理モジュール１１０をスキップして、制御モジュール１３０、通信モジュール１４０と直接的にデータ交換を行うことができる。それに応じて、フローに関しては、センサーモジュール１１０が収集した情報は、さらに、処理モジュール１１０によって処理されずに、制御モジュール１３０に直接影響するか又は通信モジュール１４０により直接伝送されてもよい。これらは全て本願の保護範囲に含まれる。
【０１３３】
図４３は、環境制御システムが外部機器を制御する１つの実施形態である。
【０１３４】
図４３に示すように、外部の電源４３１０は、環境制御システムの電源モジュール４３２０により処理モジュール１１０と接続される。外部の電源４３１０は、環境制御システムに給電できる電源であり、外部電源、蓄電池及び発電機などを含むがこれらに限定されず、詳細は、本明細書の他の開示したところに記載のとおりである。電源モジュール４３２０は、処理モジュール１１０に直接的に給電することができ、電池充電機器４３３０により処理モジュール１１０に間接的に給電することもできる。電池充電機器４３３０は、充電式電池を採用することができ、具体的には、本明細書の他の開示したところに記載のとおりである。環境制御システムにおいて、電池の管理を容易にするように、さらに、低電力量警報機能４３４０を設定することを含むがこれに限られない一定の方式を取ることができ、ユーザ操作インタフェースに特定のアイコンを設定することにより、給電タイプ（例えば、外部電源、蓄電池又は発電機など）、残留電力量（例えば、バー又はパーセントで表示する）又は充電状態（充電又は末充電）を表示することができる。システムは、残留電力量に対して、最低閾値又は安全閾値を設定することができ、電力量が該閾値より低くなった後、システムは、自動警報を含むがこれに限られない一定の措置を取ってユーザに通知することにより、システムの正常な実行を保証することができる。理解を容易にするために、該システムは蓄電池によって給電され、残留電力量が最低閾値よりも低く、かつ充電されていない状況にあると仮定し、それでは、自動警報機能を起動し、ユーザが以上の状況を改善するまで行い、改善方法は、電池の交換、電池への充電、交流電力への切り替えなどを含むがこれらに限定されない。処理モジュール１１０は一連の動作命令を送信することができ、命令を受信する対象は、電流、モータ及びコンピュータ機器などを含むがこれらに限定されず、本明細書の他の開示したところに記載のとおりである。制御対象がモータ４３６０であると仮定し、その制御内容は、モータの起動と停止、変位の長さ、速度、加速度、回転角度、角速度、角加速度などの制御を含むがこれらに限定されない。処理モジュール１１０は、特定の動作命令を一定の方式でモータ４３６０に伝送することができ、モータ４３６０は、対応する動作を発生させるように外部機器を駆動する。外部機器１４４３は、電源、ネットワーク通信機器、通信モジュール、マルチメディア機器及び家庭用電気製品などを含むことができる。さらに、家庭用電気製品は、排気ファン、冷蔵庫、洗濯機、テレビ、エアコン、キッチンの電気製品、浴室の電気製品などを含むことができるが、これらに限定されない。例えば、外部機器１４４３は、インテリジェントファンの吹出口であり、ファンのタイプは、家庭用扇風機と工業用排気ファンを含むがこれらに限定されず、家庭用扇風機は、天井扇風機、台扇、ペデスタルファン、ウォールファン、ルーフファン、換気扇、卓上扇風機、空調ファンなどを含むがこれらに限定されない。インテリジェントファンが処理モジュール１１０から受信した命令は、ファンの吹出口の大きさ、方向、ファンブレードの回転速度及び加速度、送風量などを含むがこれらに限定されず、それにより室内の温度を制御する目的を達成する。このようにして、各部屋の温度を必要に応じてリアルタイムに調整することにより、エネルギー消費を節約する目的を達成することができる。一方では、処理モジュール１１０が送信した動作命令は、通信モジュール１４０により他の通信機器４３５０を制御することができる。通信モジュール１４０の通信方式は、有線であっても無線であってもよく、無線通信方式は、無線電気通信、自由空間光通信、音声通信及び電磁誘導などを含むがこれらに限定されず、具体的には、本明細書の他の開示したところに記載のとおりである。通信機器４３５０は、無線機器（ノートパソコン、無線テレビ、移動電話など）、ブルートゥース機器、ＺｉｇＢｅｅネットワーク機器、近距離通信機器などを含むがこれらに限られない無線通信機器及び有線通信機器を含む。
【０１３５】
以上に挙げられたインテリジェントファンの例は、環境制御システムがどのように外部機器を制御するかを理解するために過ぎず、全ての外部機器への制御パラダイムを含むことではないと注意すべきである。例えば、該外部機器がインテリジェント暖房システムであるとき、処理モジュール１１０の命令は、暖炉を開くかどうか、燃料を付加するかどうか、燃料の付加量、炉火の大きさ、ドアの大きさ、排気ファンを起動するかどうかなどを含むことができるが、これらに限定されない。インテリジェントファン自身に対して、当業者は、さらに開拓し発展することができる。例えば、制御対象はエアコンであり、その吹出口制御モジュールの電源供給形式は図４４に示すとおりであり、電源は外部電源、蓄電池及び発電機などであってもよい。その電源が蓄電池４４４０であると仮定し、それでは、蓄電池は、一次電池及び充電式電池に分けられる。それが充電式電池であると仮定し、それでは、充電式電池の充電方式は外部電源又はモータ４３１０であってもよい。充電式電池がモータによって発電されると仮定し、それでは、その実現方式は、部屋の換気パイプ４４２０に位置する風力発電機４４３０を利用して発電を行うことを含むがこれに限定されない。風力発電を利用して取得された電力量を充電式電池４４４０に貯蔵することにより、駆動モータ４４５０を駆動して吹出口４４７０を制御する。充電式電池４４４０の電力量に対して、さらに電力量提示機能を増加させることができ、例えば表示灯４４６０の場合、残留電力量が一定の閾値よりも低くなるとき、警報を生成する。また例えば、換気モードにおける処理モジュール１１０は、ガス成分センサー３８５４をさらに有することができ、それは、特定の場所内のガス成分及び（又は)含有量を監視及び（又は)検出するために用いられ、これらのガスは、環境に由来しても人体に由来してもよい。環境におけるガスは、一酸化炭素、二酸化炭素、酸素ガス、オゾン、アンモニアガス、メタン、ホルムアルデヒド、ベンゼン及びベンゼン系物質、煙霧及び他の有機又は無機ガスを含むがこれらに限定されない。人体からのガスは、フェロモンと人体から放散された他の気味を含むがこれらに限定されない。これらのガスの成分又は含有量データを処理モジュール１１０に伝送した後、インテリジェントファン（例えば、排気ファン）の吹出口４４７０の大きさ、方向、ファンブレードの回転速度及び加速度、送風量などを制御することができ、それにより部屋のガスが清新になるように制御する目的を達成する。該インテリジェント換気モードの機器は、壁体４４１０に取り付けられて、換気パイプ４４２０と接続されてもよい。
【０１３６】
図４５は、環境制御システムにおけるビデオ音声通話の１つの実施形態である。インタフェース４５００において、ビデオ音声通話アイコン４５１０、マークを長押して通話するという文字説明４５１１、操作提示４５２０及び通話エリア選定アイコン４５３０が表示される。
【０１３７】
説明を容易にするために、ここで例を挙げて説明されるビデオ音声通話の１つの実施形態では、ビデオ音声通話システムは、処理モジュール１１０、センサーモジュール１２０、制御モジュール１３０及び通信モジュール１４０で構成される。使用時、ユーザはテレビ音声通話を起動して操作命令を入力し、処理モジュール１１０はユーザの操作をセンサーモジュール１２０への制御命令に変換し、センサーモジュール１２０は収集されたトークバック情報を処理モジュール１１０に伝送し、処理モジュール１１０は命令を送信して通信モジュール１４０を起動し、通信モジュール１４０はトークバック情報を特定の受信機器に伝送する。
【０１３８】
ユーザはビデオ音声通話を起動する方式は、環境システム自身の操作インタフェースを直接的に経由することができ、ユーザ端末を経由することもできる。ユーザ端末は、デスクトップコンピュータ、ノートパソコン、デジタルアシスタント（ＰＤＡ）、タブレットコンピュータ、モバイル端末（携帯電話など）などの機器を含むがこれらに限られない環境システムアプリケーションプログラムをインストールできる全ての機器を含む。ユーザはインタフェースにより通話しようとする部屋を選定することができ、これらの部屋は、客室、居間、寝室、赤ちゃんの部屋、書斎、トイレ、浴室などを含むがこれらに限定されず、ユーザが自己定義した他の部屋であってもよく、これらの部屋は、非常に近く離れても、非常に遠く離れてもよい。ユーザは、ある部屋内に位置することができ、これらの部屋から非常に遠く離れることもできる。ユーザは、ある部屋を選定して単独にトークバックを行うことができ、同時にいくつかの部屋とトークバックを行うこともできる。
【０１３９】
処理モジュール１１０はユーザのこれらの操作を一連の命令に変換することができ、処理モジュール１１０はセンサーモジュール１２０、制御モジュール１３０、通信モジュール１４０などのモジュールのうちの１つ以上のモジュールに前記命令を送信することができる。センサーモジュール１２０へ送信された命令内容は、特定の情報収集センサーなどの起動を含むがこれに限定されず、情報収集内容は、ビデオ、オーディオ又は文字メッセージなどであってもよく、情報収集センサーは、カメラ、マイクロフォン、文字入力機器などであってもよい。制御モジュール１３０へ送信された命令内容は、目標部屋内の受話器、ビデオ放送ウィンドウなどを含むがこれらに限定されず、受話器及びビデオ放送ウィンドウは、環境制御システム自身の操作インタフェースにあっても、ユーザ端末にあってもよい。ユーザが端末を用いると仮定し、通信モジュール１４０へ送信された命令は、通信モジュールを起動し、ユーザが端末によって伝送した情報（例えば、音声、ビデオ又は文字メッセージ）などを受信することを含むがこれらに限定されない。通信モジュール１４０と外界又は環境制御システム内の他の通信モジュールとの接続は、有線接続であっても、無線接続であってもよい。有線接続は、金属ケーブル、光ケーブル又は金属及び光の混合ケーブルを含むがこれらに限定されず、無線接続は、無線電気通信、自由空間光通信、音声通信及び電磁誘導などを含むがこれらに限定されない。
【０１４０】
センサーモジュール１２０から収集された情報、又は通信モジュール１４０がユーザから受信した情報を処理モジュール１１０に伝送し、処理モジュール１１０は命令を通信モジュール１４０に送信し、通信モジュール１４０は適切な通信方式を選定してユーザ情報を目標部屋に伝送する。適切な通信方式は、端末機器の有無、ネットワーク環境の状況、情報ファイルサイズなどのような様々な条件に基づいて総合的に分析した後に取得された最適な伝送ポリシーである。例えば、ユーザが環境制御システムのインタフェースを用いてメッセージを記録し、目標部屋のユーザがモバイル機器（例えば、携帯電話）を用いて受信すると仮定し、それでは、環境システムは、携帯電話に適用される通信方式、例えば、無線ネットワーク（ブルートゥース、ＷＬＡＮ、Ｗｉ−Ｆｉなど）、モバイルネットワーク（２Ｇ、３Ｇ又は４Ｇ信号）、又は他の接続方式（ＶＰＮ、共有ネットワーク、ＮＦＣなど）を優先的に選定してメッセージを伝送し、間接的に目標部屋の環境システムの操作インタフェースにより携帯電話に再度伝送する必要がなく、伝送効率を高める。
【０１４１】
目標部屋のユーザが受信したメッセージは、自動的に開くことができ、目標部屋のユーザがクリックした後に開くこともできる。目標部屋のユーザは、情報にあらゆる処理を行わなくても、メッセージに応答することを選定しても（その操作方式は上記プローのとおりである）、メッセージをシールドすることを選定しても、メッセージを記憶又は削除することを選定しても、メッセージを転送することなどを選定してもよい。
【０１４２】
図４６は、ビデオ音声通話モードのユーザインタフェースの１つの実施例を示す。該実施例は、インテリジェントスイッチ４６１０とインテリジェントスイッチ４６２０、４６３０及び（又は)４６４０との間の通話を挙げる。各インテリジェントスイッチは、いずれも拡声装置４６８０及び音声収集装置４６９０などを備える。インテリジェントスイッチ表示インタフェースにエリア指示４６５０及び選定指示４６７０を有する。ビデオ音声通話を行うことができるエリアは、１つ以上の浴室４６６１、１つ以上の寝室４６６２、１つ以上の客室４６６３及び１つ以上のキッチン４６６４を含むがこれらに限定されない。
【０１４３】
また、ビデオ音声通話モードはさらに電話受け機能をサポートし、その実現方式は、固定電話、移動電話などを含むがこれらに限られない独立した通話機器として、特定の番号を有し、掛け受け機能を有することができる。インテリジェントスイッチ中にＳＩＭカードスロットを設置することにより、携帯電話の掛け受け機能を実現することができるが、これに限られない。ビデオ音声通話モードの受け機能は、さらに固定電話又は移動電話と接続されることにより実現することができ、それらの接続方式は、有線であっても無線であってもよく、詳細は、本明細書における通信モジュールの説明を参照することができる。固定電話又は移動電話がコールされるとき、ユーザは直ちに電話を見つけることが不便であると、近くで該システムの通話キーを起動して通話を行うことができる。例えば、あるユーザは浴室又はトイレに位置するとき、客室の電話がコールされるか又は携帯電話がそばにないと、ユーザは、受けを拒否するか又は客室へ行って受ける必要がなく、浴室で電話を直接的に受けることができる。
【０１４４】
別のビデオ音声通話モードの実施例では、１つの環境制御システムの機器は、例えばインターネット又はオペレータネットワークなどの媒体によって、別の１つ以上の環境制御システムの機器とビデオ音声通話を行うことができる。例えば、ユーザは、家中のインテリジェントスイッチ１４１０によって、別の町、都市又は国家の別のユーザの家中のインテリジェントスイッチ１４１０へビデオ音声通話を掛けることができ、インテリジェントスイッチ１４１０によって、近所の人とビデオ音声通話などを行うことができる。以上に挙げられた例は説明を容易にするために過ぎず、この事実例はさらに他のシーンで適用されてもよく、例えば、ユーザＡは、環境制御システムＡにおけるテレビ１４４８−１、１４４８−２又は１４４８−３など（例えば、撮像機器及びオーディオ収集機器を備えたテレビなど）をインテリジェントスイッチ１４１０に接続し、かつユーザＢのテレビ音声通話を通じ、ユーザＢは、環境制御システムＢにおけるモバイル機器１４３０を用いてユーザＡとの音声テレビ通話を完了する。
【０１４５】
ビデオ音声信号はインテリジェントスイッチでの撮像機器によって取得されてもよく、ユーザはビデオ通話及び（又は)音声通話を選定することができる。ユーザは、インテリジェントスイッチ、モバイル機器、テレビなどの他の機器からビデオ音声通話を開始することができ、インテリジェントスイッチ、モバイル機器、テレビなどの他の機器でビデオ音声通話を受けることもでき、このような受け方式は、自動的に通じることができ（例えば、環境制御システムは、ビデオ音声通話のインビテーションを受けるとき、対応する機器を自動的に起動し、ビデオ音声通話を開始するなど）、手動で受けることもできる（例えば、環境制御システムはビデオ音声通話のインビテーションを受けるとき、鳴り又は点滅などの提示が生じ、次にユーザはインタフェースで受けるかどうかを選定するなど）。また、ユーザは、さらに「取り込み中」時間帯を設定することができ、例えば、夜間１０時から朝６時までの期間に、ビデオ音声電話の受けを拒否することなどである。ユーザは、友人アドレス帳及びブラックリストを設定することにより、例えば、位置、電話番号、ＩＰアドレス又は相手方の個人情報などを記録することもできる。
【０１４６】
前記のようなビデオ音声通話のフローとモジュールは理解を容易にするために過ぎないと注意すべきである。実際の実施シーンでは、当業者は、少しも革新がないことを前提にして、プロー又はモジュールの内容に拡大又は省略を行うことができる。例えば、センサーモジュール１２０は、さらに、処理モジュール１１０をスキップして、制御モジュール１３０、通信モジュール１４０と直接的にデータ交換を行うことができる。例えば、フローに関しては、センサーモジュール１１０が収集した情報は、さらに、処理モジュール１１０によって処理されずに、制御モジュール１３０に直接影響するか又は通信モジュール１４０により直接伝送されてもよい。これらは全て本願の保護範囲に含まれる。
【０１４７】
図４７は自動車制御の実施例の概略図である。インテリジェントスイッチ又は簡略化スイッチ４７１０は、タッチスクリーン１７１１、処理モジュール１１０、センサーモジュール１２０及び記憶機器５２０を有する。インテリジェントスイッチ又は簡略化スイッチ４７１０の通信モジュール１４０は自動車４７２０と無線通信を行うことができ、モバイル機器１４３０及びクラウドサーバ５４０は通信モジュール１４０と双方向無線通信を行うことができる。ユーザはモバイル機器１４３０により自動車４７２０へデータを送信することができ、前記データは通信モジュール１４０により自動車４７２０に到達する。自動車４７２０は、前記データを受信した後にそれを処理することにより、車載機器を制御する目的を達成する。前記車載機器は、エンジン、モータ、車載マルチメディア／ＧＰＳ地図及びエアコンなどを含むがこれらに限定されない。インテリジェントスイッチ又は簡略化スイッチ４７１０はセンサーモジュール１２０により外部環境のデータを取得し、前記データを処理モジュール１１０によって１種のモードとして識別することができ、前記モードを特定の方式で通信モジュール１４０によりクラウドサーバ５４０に送信することができ、前記モードをクラウドサーバ５４０によって受信した後にクラウドサーバ５４０に記憶する。インテリジェントスイッチ又は簡略化スイッチ４７１０は特定の時間内に別のモードを識別することができ、同時にインテリジェントスイッチ又は簡略化スイッチ４７１０は通信モード１４０によりクラウドサーバ５４０と通信し、特定のアルゴリズムをクラウドサーバ５４０に記憶された履歴モードに適用し、一定の規律を得ることができる。インテリジェントスイッチ又は簡略化スイッチ４７１０は、前記規律に従って、前記特定の時間内に対応する動作を行うことができる。例えば、インテリジェントスイッチ又は簡略化スイッチ４７１０は、センサーモジュール１２０により、時間−２０５２／１２／２８  ７：００  ＡＭ、季節−冬、室外温度−零下２０℃、室内温度−２０℃の情報を得ることができる。インテリジェントスイッチ又は簡略化スイッチ４７１０は、自動車４７２０と通信することにより、モータ状態−ストール、エアコン状態−停止、エアコン温度−０℃の情報を得ることができる。インテリジェントスイッチ又は簡略化スイッチ４７１０は、クラウドサーバ５４０と通信することにより、ユーザが一般的に７：３０〜８：００の区間内に部屋から離れるという規律を得ることができる。取得された規律に従って、インテリジェントスイッチ又は簡略化スイッチ４７１０は、２０又は３０分間繰り上げてモータを起動し、エアコンを起動し、エアコンを加熱モードに切り替え、エアコンの温度を２０℃に設定し、車載マルチメディアを起動してユーザが好きな歌を再生するか又はリアルタイム道路状況情報を放送し、座席を調整し、ＧＰＳ地図を起動してインテリジェントスイッチ又は簡略化スイッチ４７１０により伝送された目的アドレスを受信しかつこの目的アドレスに基づいて最適なルートを自動的に計画し、１５分間繰り上げてエンジンを起動し、自動車４７２０を予熱するという命令を自動車４７２０へ発信することができる。さらに、自��車４７２０は、通信モジュール１４０により、インテリジェントスイッチ又は簡略化スイッチ４７１０へデータをリアルタイム又はタイミングに送信することもできる。前記データは、自動車の油消費量状態、電池状態、凍結液状態などを含むがこれらに限定されない。特に、自動車が窃盗されているとき、インテリジェントスイッチ又は簡略化スイッチ４７１０に警報を出すことにより、自動車４７２０が窃盗されていることを警告することができるインテリジェントスイッチ又は簡略化スイッチ４７１０と自動車４７２０との通信は距離からの制限を受けず、つまり、自動車４７２０は任意の位置まで走行すると、いずれもインテリジェントスイッチ又は簡略化スイッチ４７１０と通信することができる。上記センサーモジュール１２０により取得された情報、特定の統計的アルゴリズムを適用することにより取得された規律、インテリジェントスイッチ又は簡略化スイッチ４７１０の動作及び自動車４７２０の動作は、理解を容易にするために過ぎず、センサーモジュール１２０により取得された情報は環境における検出可能な任意の物理量であり、前記規律は任意のユーザの特定の時間区間内の習慣であってもよく、前記動作は任意のインテリジェントスイッチ又は簡略化スイッチ４７１０が完了できる動作であってもよく、前記自動車４７２０はバイク、電動車、電動自転車、ヨット、セグウェイ、飛行機、電動車椅子、ベビーカーなどであってもよいと注意すべきである。
【０１４８】
図４８は、環境制御システムがいくつかの所定のイベントを処理するフローチャートを示す。この実施例では、処理モジュール１１０は、センサーモジュール１２０、通信モジュール１４０及び（又は)クラウドサーバにより検出又は受信された環境変化、突発イベント又はリアルタイム通信などのような情報を判断し、次に制御モジュール１３０経由で、又は直接的に外部機器１６０に接続されることにより、所定のイベントを処理する。以下に、これらの一定の時間内に処理する必要がある所定のイベントは緊急イベントと総称されるが、緊急イベントは、該イベントが非常に強い時効性又は危険を有すると表すことではない。
【０１４９】
まずステップ４８１０で、緊急イベントが検出されたかどうかを判断し、次にステップ４８２０、４８３０及び４８４０で、検出された緊急イベントが所定のイベントのうちの１つに属するかどうかを判断する。該緊急イベントが所定のイベントであれば、ステップ４８２１、４８３１及び４８４１で、対応するプランを実行し、該緊急イベントが所定のイベントのうちの１つでなければ、該イベントをユーザに報告して記憶する。可能な緊急イベントは、天気変化、自然又は人為的な災害、セキュリティイベント、通信イベント、時間提示、環境制御システムエラー、提示などを含むがこれらに限定されない。さらに、天気変化は、突発的な降雨、降水、降温、昇温、環境汚染、日照強度及び風速の変化などを含むがこれらに限定されず、自然又は人為的な災害は、低温、高温、暴雨、豪雪、雹、台風、ハリケーン、竜巻、砂嵐、雷電、地震、津波、洪水、火山、土石流、虫害、ネズミ災害及び火災などを含むがこれらに限定されず、セキュリティイベントは、窃盗、強盗、人身傷害、不法侵入、人身の自由の不法制限、テロ攻撃、反社会的攻撃及び他の人為的な警報などを含むがこれらに限定されず、通信イベントは、環境制御システムの内部又は外部と連絡する固定電話ベースの通話、モバイル機器ベースの通話、及び無線又は無線方式で伝送されたビデオ通話、音声通話、文字情報、画像情報、音声情報、ビデオ情報などを含むがこれらに限定されず、時間提示は、カレンダー、異なるタイムゾーンイベント、目覚まし時計、タイマ及び秒時計などを含むがこれらに限定されず、システムエラーは、環境制御システムのハードウェアエラー又はソフトウェアエラー、家庭用電気製品のハードウェアエラー又はソフトウェアエラー、家庭用マルチメディア機器のハードウェアエラー又はソフトウェアエラー、モバイル機器のハードウェアエラー又はソフトウェアエラー、車両のハードウェアエラー又はソフトウェアエラー、及び他の電子機器のハードウェアエラー又はソフトウェアエラーなどを含むがこれらに限定されない。提示は、ユーザの所定の提示事項、モバイル機器又はパーソナルコンピュータから同期される提示事項及び自動提示事項などを含むがこれらに限定されない。以上に挙げられた例は説明を容易にするために過ぎず、緊急イベントは、例えば、大切な祝日及び予約事項などのような他のイベントをさらに含むことができる。
【０１５０】
緊急イベントを検出した後、環境制御システムは、検出されたイベントと所定のイベントをマッチングし、マッチングを達成する場合に、イベントに対応する処理プランを実行することができる。イベントに対して行われた処理は、通知プッシュの送信、共通ネットワークとの通信、電流の制御及びモータの制御などを含むがこれらに限定されない。さらに、緊急イベントに対して行われた処理は、環境制御システムのユーザインタフェースのスクリーンでプッシュを送信し、ユーザのモバイル機器及びコンピュータにプッシュを送信し、警報し、他の電話を通じ、文字、画像、音声又はビデオ情報の電子メールを送信し、文字、画像、音声又はビデオ情報の即時通信メッセージを送信し、ソーシャルネットワーク（例えば、Ｆａｃｅｂｏｏｋ、Ｔｗｉｔｔｅｒなど）で文字、画像、音声又はビデオ情報のメッセージを発表し、文字、画像、音声又はビデオ情報をクラウドサーバにアップロードし、灯の点滅を制御し、オーディオ機器及び警報器を制御し、ドアと窓のロックを制御し、カメラの起動停止及び角度を制御し、家庭用電気製品の通電及び断電を制御することなどを含むがこれらに限定されない。以上に挙げられた例は説明を容易にするために過ぎず、緊急イベントの処理方法はさらに、例えば、換気機器の起動停止を制御し、ウオータジェットの起動停止を制御するなどのような他の方式であってもよい。
【０１５１】
緊急イベントの予め設定方式は、環境制御システムの記憶機器に設定されたイベント、ユーザが環境制御システムのユーザインタフェース、モバイル機器又はコンピュータにより設定したイベント、ローカルエリアネットワーク又はインターネットからダウンロードされるイベント、クラウドサーバ及び環境制御システムの自己学習機能により設定されるイベントなどを含むがこれらに限定されない。例えば、環境制御システムの記憶機器において不法侵入を検出した後、直ちにビデオを撮影し、クラウドサーバにアップロードし、同時に警報を出し警察システム（例えば、米国の９−１−１電話）へ通報した処理プラン、ユーザが環境制御システムのユーザインタフェースにより設定し、低温天気仕事日の朝のある固定時間に車両を起動し予熱する処理プラン、ユーザがインターネットからダウンロードし、他のユーザにより設定され、家族メンバーが誕生日当日に家へ帰ってドアを開く時に音楽を再生し灯光ショウと配合する処理プラン、環境制御システムのクラウドサーバは自己学習機能により、イベントＡが発生した後の短い時間内に、ユーザが操作Ｂを習慣的に実行することを検出し、これに基づいて設定され、Ａが発生した後にＢを実行する処理プランなどである。これらの処理プランは、環境制御システムの各モジュール及び外部機器などを用いることができる。さらに、制御された機器が照明機器であるとき、灯の点滅を緊急イベントのうち１つへの処理方式とすることができ例えば、セキュリティイベントの警報が発生する場合に、灯がＳＯＳモールス符号に従って継続的に点滅し、突発的な天気が発生する場合に、灯が継続的で迅速に点滅し、突発イベントが発生する場合に、灯が継続的で迅速に点滅し、環境制御システムの内部でトークバック通信を行って音声又は文字メッセージを送信する場合に、灯が一定の時間内の呼吸式点滅を実行し、タイマが作動する場合に、灯が一定の時間内の低速点滅を実行するなどを含むがこれらに限られない処理プランを実行する。
【０１５２】
図４９は近距離通信決済機能の実施例の概略図である。インテリジェントスイッチ又は簡略化スイッチ４９１１は４９１０中に取り付けられる。インテリジェントスイッチ又は簡略化スイッチ４９１１は少なくとも１つの近距離通信（Ｎｅａｒ  Ｆｉｅｌｄ  Ｃｏｍｍｕｎｉｃａｔｉｏｎ又はＮＦＣ）モジュールを含み、カード４９１２はＮＦＣモジュールを含み、他の機器４９１３はＮＦＣモジュールを含み、モバイル機器１４３０はＮＦＣモジュールを含む。インテリジェントスイッチ及び簡略化スイッチ４９１１は、モバイル機器１４３０、カード４９１２及び他の機器４９１３と双方向通信を行うことができ、その通信方式は、能動モードであっても受動モードであってもよい。能動通信モードでは、通信双方はそれぞれ自分の給電機器を有し、通信双方はそれぞれ自分の電磁場を生成する。受動モードでは、通信双方は、一方だけが自分の給電機器を有し、他方が給電機器を有する一方が発信した電磁場を利用して電源を取得することにより、自身の作動を駆動する。ＮＦＣ機器の作動方式は、カードシミュレーションモード、ポイントツーポイントモード及びカードリーダモード又は任意の数のモードの組合せであってもよい。インテリジェントスイッチ又は簡略化スイッチ４９１１は、通信モジュール１４０により対象４９２０と双方向通信を行うことができ、前記対象は、商家４９２１、電子商取引４９２２、銀行４９２３、他のユーザ４９２４、他の単位４９２５などを含む。上記挙げられた対象は理解を容易にするために過ぎず、対象４９２０は、インテリジェントスイッチ又は簡略化スイッチ４９１１と通信できる学校、駅、空港、コーヒーハウス、病院、コンビニなどのような任意の場所を含むことができると注意すべきである。明らかに、当業者にとって、本願の内容と原理を理解した後、本技術原理、構造から逸脱しない限り、対象４９２０に含まれる内容に形式と詳細の様々な修正及び変更を行うことができるが、これらの修正及び変更は依然として本願の特許請求の範囲の保護範囲内にある。インテリジェントスイッチ又は簡略化スイッチ４９１１は、商家４９２１又は４９２０中の他の対象と通信することにより、商家４９２１又は４９２０中の他の対象によりプッシュされたクーポン情報又は他の情報、例えば、営業時間又は変更、学校の始業時間又は変更、活動場所又は変更などを受信する。商家のクーポンを例にして、インテリジェントスイッチ又は簡略化スイッチ４９１１は、受信されたクーポン情報を対応する記憶機器に記憶する。モバイル機器１４３０とインテリジェントスイッチ又は簡略化スイッチ４９１１は十分に近接するとき、双方は双方向通信を行うことができる。モバイル機器は、インテリジェントスイッチ又は簡略化スイッチ４９１１中に記憶されるクーポン情報を取得することができる。モバイル機器１４３０は、クーポン情報を取得した後、クーポン情報を提供する商家４９２１へ行って直接消費することができる。モバイル機器１４３０は、インテリジェントスイッチ又は簡略化スイッチ４９１１によりクーポン情報を直接消費することができ、商家４９２１は、モバイル機器１４３０の消費情報を受信した後、消費内容を宅配便又は現場取得の方式によりモバイ��機器１４３０の所有者に渡す。カード４９１２はインテリジェントスイッチ又は簡略化スイッチ４９１１と受動通信を行うことができる。通信を確立した後、インテリジェントスイッチ又は簡略化スイッチ４９１１は、カード４９１２の情報を読み出すことにより、インテリジェントスイッチ又は簡略化スイッチ４９１１中に記憶されるクーポン情報を消費する。商家４９２１は、カード４９１２の消費情報を受信した後、消費内容を宅配便又は現場取得の方式によりカード４９１２の所有者に渡す。さらに、カード４９１２は、インテリジェントスイッチ又は簡略化スイッチ４９１１と能動通信を行うこともでき、カード４９１２と能動通信を行うことにより、インテリジェントスイッチ又は簡略化スイッチ４９１１中に記憶されるクーポン情報を消費することができる。以上に、クーポン情報の消費への説明は、具体的な例に過ぎず、唯一の実行可能な実施スキームとして考えるべきでない。明らかに、当業者にとって、近距離通信決済の基本的な原理を理解した後、この原理から逸脱しない限り、近距離通信決済の具体的な方式とステップに形式と詳細の様々な修正及び変更を行うことができるが、これらの修正及び変更は依然として以上に示された範囲内にある。他の機器４９１３は、近距離通信決済をサポートする任意の機器であってもよく、例えば、Ｗｉｉ  Ｕ  ＧａｍｅＰａｄは、インテリジェントスイッチ又は簡略化スイッチ４９１１によりゲームを購入することができる。
【０１５３】
環境制御システムは自己学習機能を有し、以下に例を挙げてその自己学習過程の１つの実施スキームを説明する。環境制御システムは、実行過程で取得されたデータに基づいて、その中の規律を分析し、アルゴリズムを絶え間なく最適化し、最後に未知な状況に判断を行うレベルに到達する。データは、環境制御システムがセンサーモジュール１４０により取得したデータ、ユーザの日常使用習慣、環境制御システムが受動的に入力したデータなどのタイプの１種又は複数種の組合せを含むがこれらに限定されない。
【０１５４】
さらに、環境制御システムがセンサーモジュールにより取得したデータは、様々な物理、化学又は生物学データを含むがこれらに限定されず、物理データは、音声、光、時間、重量、近接、位置、温度、湿度、圧力、電流、速度及び加速度、吸入可能な粒子状物質、放射、文字、画像、タッチ、瞳孔、指紋などを含むがこれらに限定されず、化学データは、大気汚染物、水汚染物などを含むがこれらに限定されず、生物学データは、気味、微生物及びアレルゲンなどを含むがこれらに限定されない。ユーザの日常使用習慣は、ユーザが環境制御システムの任意の一部を用いるときに行った操作を含むがこれに限定されず、これらの操作は、削除、追加、選定、前進、後退、リターン、起動、停止、増加、低減、加速、減速などのうちの１種又は複数種の組合せ、及びこれらの操作に対応する時間、位置、範囲、強度、大きさ、頻度、精度などのうちの１種又は複数種の組合せを含むがこれらに限定されない。また、ユーザの使用習慣は、同意、拒否、いいとも悪いとも言わないなどを含むがこれらに限られない環境制御システムの判断への反応をさらに含む。環境システムが受動的に入力したデータは、ネットワーク、フロッピーディスク、ハードディスク、光ディスク、Ｕディスク、チップ又は他のデータ媒体を利用するか又はキーボードマウスなどの入力機器を直接利用して、環境制御システムへ送信又は入力されるコード、アルゴリズム、プログラム、ソフトウェア、アプリケーションなどの内容を含むがこれらに限定されない。環境システムは、自己学習過程で、分析して取得されたデータ又はフィードバックデータにより、アルゴリズムを絶え間なく修正し、最終的に人工知能を実現する。例えば、環境システムは、ユーザの操作によりユーザの点灯時間を取得し、光センサーを利用してユーザが毎回点灯する前の部屋の輝度を取得し、絶え間ない自己学習過程により、環境制御システムは、部屋の輝度が一定の閾値に達するときに電球を自動的に点灯するというモードを自発的に学習することができる。ユーザが出張しているとき、ある期間では留守をし、輝度が一定の閾値に達すると、点灯するかどうかを判断し、しかし運動センサーによって部屋内に運動情報が検出できず、この時点灯しない。この時環境制御システムは、部屋の輝度が一定の閾値に達しても点灯しないというモードをだんだん学習する。また、ユーザは、いくつかの命令を手動で入力することにより、環境制御システムの自己学習機能を迅速に変更することができる。
【０１５５】
以上に挙げられた例は理解を容易にするために過ぎず、自己学習パラダイムは前記のような状況に限定されないと注意すべきである。当業者は、前記のような自己学習原理に基づいて技術を変更することができる。
【０１５６】
人工知能の実施例１：電気製品のインテリジェントハウスキーパー
は、環境制御システムが電気製品のインテリジェントハウスキーパーとなる１つの実施例である。環境制御システムは、全部又は一部の家庭用電気製品を一定の方法に従って環境制御システム内にアクセスし、これらに分散型又は集中型管理を行うことができる。例えば、図３０に示す設定インタフェースにより新しい家庭用電気製品を付加するモードに入ることができる。ユーザは、このモードで１つ以上の機器又は電気製品と環境制御システムをペアリングすることにより、環境制御システムが通信能力を備えて該１つ以上の機器又は電気製品の情報を取得し、かつ該１つ以上の機器又は電気製品を制御することを可能にすることができる。これらの家庭用電気製品は、マルチメディア電子機器、事務用電気製品、キッチンの電気製品、浴室の電気製品及び他の家庭用電気製品などを含むがこれらに限定されない。マルチメディア電子機器は、テレビ、パーソナルコンピュータ、オーディオ機器、家庭用ゲーム端末（例えば、Ｍｉｃｒｏｓｏｆｔ  Ｘｂｏｘシリーズ及びＳｏｎｙ  ＰｌａｙＳｔａｔｉｏｎシリーズなど）、テレビのセットトップボックス、オーディオとビデオの再生機器、及びネットワークテレビ端末などを含むがこれらに限定されず、事務用電気製品は、サーバ、印刷機器、走査機器、電話、シュレッダーなどのような電気製品などを含むがこれらに限定されず、キッチンの電気製品は、レンジフード、電気炉、電磁調理器、電子レンジ、ベーキングオーブン、電気冷蔵庫、食器洗い機、及び例えばトースター、スクイーザー、撹拌機などのような小型のキッチンの電気製品などを含むがこれらに限定されず、浴室の電気製品は、ヒーター、洗濯機、乾燥機、及び例えばヘアドライヤー、美容用機器などのような小型の浴室の電気製品などを含むがこれらに限定されず、他の家庭用電気製品は、暖房機器、エアコン、照明機器、中央熱水機器、チャイム、ルーター、データ記憶タワー、モバイル機器の充電器及びインテリジェント機器のゲートウェイ端末などを含むがこれらに限定されない。以上に挙げられた例は説明を容易にするために過ぎず、家庭用電気製品は、例えば、ホームシアター、自動車及び他の家庭用電気製品のようなタイプであってもよい。
【０１５７】
環境制御システムは、例えば、前の文に記載のセキュリティモード、照明モードなどのように、これらの電気製品を単独に管理することができる。環境制御システムは、さらにこれらの電気製品に集中型管理を行うことができる。集中型管理の方法に対して、異なる種類の電気製品の間の相乗及び排他効果と環境制御システムの自己学習などの手段に基づいて制御することなどを含むがこれに限定されない。相乗効果は、あるタスクを完了するとき、２つ以上の電気製品を協同する必要があることを含むがこれに限定されない。例えば、食事を作るとき、電子レンジ、電磁調理器、撹拌機及びレンジフードなどを同時に用いる。排他効果は、あるタスクを完了するとき、同時に使用されている他の電気製品を停止する必要があることを含むがこれに限定されない。例えば、エアコンモードを起動するときに暖房機器を停止する必要があり、照明モードを停止するときにセキュリティモードを起動する必要があることなどである。環境システムの自己学習は、ユーザの異なる電気製品への使用習慣、例えば、ユーザがカーテンを閉じた後に照明システムを起動し、シャワーを起動した後に音楽プレーヤを起動するなどの行為を主に分析し、環境制御システムは、これらの操作順序を自動的に記録し、ユーザと絶え間なくインタラクションする過程において、アルゴリズムを最適化し、電気製品を制御する。環境制御システムは、同時に電気製品の特性の相乗及び排他関係と環境制御システムの自己学習などの方法に基づいて、単独に用いることができる。総合的に用いることもできる。環境制御システムは、理解を容易にするために、ユーザがサラリーマンであり、毎日７：００に起き、７：１５に顔を洗い歯を磨き、７：３５に朝食を作り、８：００に出かけると仮定するという例を挙げる。環境制御システムは、６：５０に寝室のエアコンを徐々に起動し、７：００に寝室の照明灯を点灯し、７：１０に洗面所のヒーターを予熱し、７：１５に洗面所の照明灯を点灯し、７：２０に寝室のエアコンを停止し照明灯を消灯し、７：３５にキッチンの照明灯を点灯し、ユーザがガスレンジを起動した後、環境制御システムがレンジフードを起動し、７：３８に洗面所のヒーターを停止し照明灯を消灯し、ユーザがガスレンジを停止した後、システムがレンジフードを停止し、７：５０に食器洗い機を起動し、７：５５に食器洗い機を停止し照明灯を消灯し、７：５５に客室の照明灯を点灯しかつ天気予報を放送し、８：００にドアを開き、８：００に照明灯を消灯する。
【０１５８】
ユーザの使用過程において、一連の動作を発生させることができ、環境システムは、自己学習機能を有し、他の異なるシーンに適応することができ、以上に挙げられた例に限定されないと注意すべきである。また、環境制御システムの電気製品への制御は、特定のモードではなく、システムは、ユーザのリアルタイム動作に基づいて、各電気製品をインテリジェントにスムーズに協調することができる。例えば、環境制御システムは、毎回ある命令を受信又は送信する前に、センサーモジュールに基づいてユーザの状況を判断することができる。例えば、７：１５に洗面所の照明灯を点灯すべきであるが、センサーモジュールによりユーザが現れると検出できないと、起動を遅延することにより、省エネルギーの効果を達成することができる。
【０１５９】
人工知能の実施例２：インテリジェントチャットサービス
環境制御システムはインテリジェントチャット機能を有し、の１つの実施スキームが挙げられる。ユーザが環境制御システムの検出範囲内に現れると、環境制御システムは、ユーザの情報を収集し始め、情報に基づいてユーザの身分を識別する。ユーザを識別した後、環境制御システムは、記憶された該ユーザのデータベースを検索し、該ユーザの特徴、習慣又は傾向に基づいて、チャット内容を出力する。ユーザの答えを取得した後、環境制御システムは、該答えの語彙を判断することにより、次のチャット内容を決定するか又はユーザの命令を完了する。環境制御システムは、ユーザの情報を収集するとき、インテリジェントスイッチの内蔵又は外部センサーを用いることができ、収集される情報は、ユーザと環境のための情報又はパラメータを含むがこれらに限定されず、ユーザの情報は、ユーザの顔、体型、動作、速度及び加速度、音声、表情、温度、気味、フェロモンなどを含むがこれらに限定されず、環境情報は、画像、音声、温度、湿度、圧力、ガス、電磁波などを含むがこれらに限定されず、環境制御システムにより収集された情報は、以上の情報のうちの１種であっても、複数種の情報の組合せであってもよい。採用されるセンサーは、ビデオセンサー、運動センサー、速度及び加速度センサー、音声センサー、温度センサー、フェロモンセンサー、湿度センサー、圧力センサー、ガス成分センサー、電磁波センサー（可視光、赤外線又は紫外線センサーを含むがこれらに限られない）などのセンサーのうちの１種又は複数種の組合せを含むがこれらに限定されない。環境制御システムは、収集された情報に総合的な判断を行って、ユーザの身分を識別する。
【０１６０】
説明を容易にするために、ここで例を挙げて、主に画像識別を用いる実施スキームを説明する。該ユーザが女主Ａであり、朝ある部屋に入ると仮定し、例えば、ビデオセンサーは、女主Ａの画像及び音声などの情報を収集し、かつこれらの情報を処理モジュールに伝送して識別する。その識別方法は、顔の特徴、身体特徴、音声特徴、動作特徴のうちの１種又は複数種の組合せを含むがこれらに限定されない。顔の特徴は、年齢、瞳孔、表情、ヘアスタイル及び５つの器官の相対的位置などの特徴のうちの１種以上を含むがこれらに限定されない。身体特徴は、身長、体積、人体比率などの特徴のうちの１種以上を含むがこれらに限定されない。音声特徴は、ユーザの音声又は歩行音の高さ、音色、周波数、スムーズ性、キーワードなどの特徴のうちの１種又は複数種の組合せを含むがこれらに限定されない。動作特徴は、肢体動作（頭部、アーム部、脚部など）、速度又は加速度などの特徴のうちの１種以上を含むがこれらに限定されない。環境制御システムは、収集された情報を処理モジュールに伝送し、これらに総合的な分析を行うことにより、女主Ａの身分を識別する。総合的な分析を行うときに採用される方法は、特定アルゴリズムを既に記憶されたデータベースと比較することにより、ユーザの身分を検証することを含むがこれに限定されない。環境制御システムがユーザの年齢、瞳孔、身長、歩行速度などの情報に基づいて、女主Ａの身分を総合的に判断したと仮定し、環境制御システムは、女主の身分に基づいて、環境制御システムにおける女主Ａに関するデータをさらに検索し、次に具体的な環境と合わせて、チャット内容を出力し、具体的な環境が時間、場所、天気などの要因を指す。前の仮定に基づいて、環境制御システムは、女主Ａが朝キッチンに入ることを判断し、それでは、環境制御システムが出力できるチャット内容は、「おはよう、Ａさん！あなたは、ご朝食を作るつもりですか？」を含むがこれらに限定されず、チャットインタフェースに、インテリジェントスイッチ又は他の機器のディスプレイで現れるチャット相手を自己定義することができ、相手のタイプは、システムにより自己定義されても、ユーザの好み又は習慣に応じて設定されてもよい。これらの相手は、映画スター、歌手、歴史人物、漫画のキャラクター、様々な擬人化動物又は植物などを含むがこれらに限られない人物、動物又は植物などであり、これらの相手の表示方式は二次元であっても三次元であってもよく、その言語の種類と音声の特徴は、相手自体のスライルを保持しても、ユーザにより自己設定されてもよい。女主Ａは環境制御システムのチャット情報を受信した後、応答を与え、該応答が、「うん、私は、いま、冷蔵庫の中身を見たい。」を含むがこれらに限定されず、環境制御システムは、該応答情報を受信した後、再度分析判断を行う。例えば、環境制御システムは、「はい」に基づいて、女主Ａが朝食を作るつもりであると判断し、「冷蔵庫」、「見」などのキーワードに基づいて、女主Ａが冷蔵庫の中身を見る必要があると判断し、環境制御システムは、これらの情報を処理した後、冷蔵庫のドアを開く動作を生成し、かつ音声「はい、他の助けが必要ですか？」を出力する。
【０１６１】
以上は理解を容易にするために過ぎず、具体的な使用シーンは以上に挙げられた例に限定されないと注意すべきである。当業者は、該インテリジェントチャットの原理を了解した上に、完全に他の変形を行うことができる。例えば、該女主Ａに関するシーンを他の家族メンバー又はペット、例えば、家の世話をする必要がある老人又は子供などに適用する。老人Ｂが１人で寝室にいるとき、システムは、一連の情報を収集して判断した後、老人と自動的にチャットすることができる。例えば、「Ｂさん、あなたは、お１人で寝室で２時間座っていました。階下に散歩に行きたいですか？」、老人は、「ううん、私は孫のＣさんが昨夜どのように寝たのか知りたい？」を返事し、環境制御システムは、家族メンバーＣさんが昨夜寝った状況を検索した後、「Ｃさんは昨夜９時睡り始め、１１時間睡り、７時間の深い睡眠があり、睡眠品質が高い。」という返事を作ることができる。当然のことながら、は、例を挙げるために過ぎず、このような原理を変更しない状況での拡張又は変形は、いずれも本願の保護範囲内にある。
【０１６２】
人工知能の実施例３：家族のインテリジェント看護
家に、両親がある部屋で忙しい必要があるとき、一時的に子供や老人の世話をする暇がないというシーンがあるかもしれない。環境制御システムは、インテリジェント看護機能（メニューインタフェースで表示される赤ん坊看護モード１９１５又は１９５８などを含むがこれらに限られない）を有し、の１つの実施スキームが挙げられる。その主なフローは、環境制御システムが看護対象の情報を収集し、情報を親方又は扶養者にリアルタイムに伝送し、状況を自動的に分析しかつ警報を出すことである。環境制御システムが看護対象を収集することは、そのセンサーモジュールによって実現されてもよく、収集された情報は、ユーザと環境の情報を含むがこれらに限定されず、ユーザの情報又はパラメータは、ユーザの顔、体型、動作、速度及び加速度、音声、表情、温度、気味、フェロモンなどを含むがこれらに限定されず、使用されたセンサーは、例えばビデオセンサー、運動センサー、速度及び加速度センサー、音声センサー、温度センサー、フェロモンセンサーなどのようなその自身又は外部機器を含むがこれらに限定されない。さらに、人又は動物に着用される機器、例えば、ＧＰＳ機器、携帯電話、インテリジェントメガネ、インテリジェント腕時計及び他の着用可能な機器などにより、他の情報を合わせて、人又は動物の関連情報を識別することができる。例えば、環境制御システムは、人又は動物に着用された機器、及び人又は動物の高さなどの情報を検出することにより、人又は動物の身分を識別する。これらの情報を収集した後、環境制御システムは、ユーザが看護対象の状態をタイムリーに取得するように、通信モジュールを利用して親方又は扶養者の部屋へ伝送することきる。情報の存在状態は、テキスト、音声、ビデオなどの形式であってもよい。また、環境制御システムにおいて緊急事態警報機能をさらに有し、緊急事態は、子供が転び、子供が泣き、子供がベッドから落ち、子供が騒ぎ、子供が呼び、老人が転び、老人が驚いて目を覚まし、老人が呼ぶことなどを含むがこれらに限定されず、ユーザは、特に提示する必要がある緊急事態を自己定義することもできる。説明を容易にするために、看護対象が子供であり、目標場所がプールであり、両親が客室でチャットすると仮定する。環境制御システムは、インテリジェントスイッチにおけるカメラ及び他の外部撮影機器により、子供の活動を撮影し、通信モジュールにより書斎のインテリジェントスイッチ又は他の外部表示機器に伝送することができ、それにより両親がいつでも子供の行為を知ることを容易にし、被看護者が安全である状況で、システムは両親を有意に邪魔しない。環境制御システムにより収集されたビデオ情報は、さらに、処理モジュールにより分析されてもよく、例えば、子供がプールに近接しているかどうか、プールに落ちるかどうかなどを検出するために用いられる。環境制御システムのビデオへの分析方法は、ユーザにより定義されても、環境制御システムにより自己学習して取得されてもよい。環境制御システムは、子供がプールの縁部に近接していることを検出したと仮定し、客室に警報命令を出し、客室中の関連機器、例えば、インテリジェントスイッチのスピーカー又は警報器が該警報命令を実行し、両親が危険メッセージを得ることを可能にする。
【０１６３】
以上に挙げられた例は理解を容易にするために過ぎず、実際に適用するとき、これに限定されないと注意すべきである。当業者は、該インテリジェント看護の原理を了解した上に、完全に他の変形又は応用を行うことができる。例えば、環境制御システムは、療養所、養老院、分娩室、赤ん坊の部屋、幼稚園の寄宿舎などの場所に用いられても、ペット看護又は患者看護などに用いられてもよい。例えば、ペット看護に対して、他の外部機器と合わせて、ペットをタイミングに飼育し、ペットが家庭施設を破壊することを防止し、ペットとチャットすることなどを含むがこれらに限られない他のタスクを完了することができる。患者看護の場合に対して、完了できるタスクは、介護者に電話するように患者を助け、薬を服用するように患者を提示し、患者に体の状況を報告することなどを含むがこれらに限定されない。このような拡張はいずれも本願の保護範囲にある。
【０１６４】
人工知能の実施例４：健康のインテリジェントアシスタント
環境制御システムは、各家庭メンバーに健康記録を作り、かつユーザに健康資料をリアルタイムに提供することができる。健康記録を作る過程は、環境制御システムがユーザ体状態パラメータを、センサーモジュールにより検出し、ユーザ入力により取得し、自己学習機能などの方式により取得することを含むがこれらに限定されない。これらの体状態パラメータは、ユーザの性別、年齢、身長、体重、スリーサイズ、血液型、体温、呼吸、脈拍、心拍数、血圧、血糖、血中脂質、瞳孔及び角膜反射、病歴（肺結核、心臓病、喘息、高血圧、糖尿病などを含むがこれらに限られない）などを含むがこれらに限定されない。体状態パラメータは、睡眠状況、新陳代謝状況、身体検査状況などをさらに含む。ユーザは、環境制御システムに基づいて自分の健康状況を了解することができ、また、環境制御システムは、自身の分析と判断に基づいて、毎日又は適切なときに健康アドバイスを与えることもできる。例えば、ユーザは、起きた後、環境制御システムから自分の昨夜の睡眠品質を了解することができ、自分の体温、心拍数、呼吸、脈拍、血圧、血中脂質などの体状態パラメータを分かることができる。環境制御システムは、この時の体状態パラメータを該ユーザの健康記録と合わせて総合的に分析することができ、体状態パラメータが正常な変化範囲内にあると、ユーザに自発的に提示しなくてもよい。ユーザの体状態パラメータの変化が一定の閾値を超えると、例えば、体温が明らかに高くなり、睡眠時間が減少し、血圧又は血中脂質が明らかに高くなると、音声などの方式によりユーザを注意させる。ユーザが病気になり、例えば、風邪を引くか又は高血圧になると仮定し、それでは、環境制御システムは、適切なときに（食前、食後、寝る前などを含むがこれらに限られず、具体的な薬の種類によって決める）、薬を服用し、体温／血圧などを測定するようにユーザを提示する。ある病気が治った後、環境制御システムは、ユーザの健康記録を更新する。この更新はユーザ入力により実現されても、環境制御システムが自動的に更新しても、環境制御システムが第三者により提供された情報に基づいて更新してもよい。例えば、環境制御システムは、ユーザの病院で又はユーザのプライベートドクターで保存された症例（例えば、電子症例）又は医薬処方記録で、ユーザの健康又は回復情報を取得し、これによりユーザの環境制御システムにおける健康記録を更新することができる。いくつかの場合に、環境制御システムは、ユーザの健康記録を作るか又は維持することではなく、第三者からユーザの健康記録を取得する。例えば、環境制御システムは、リアルタイムに、定期的に、又はトリガイベントが発生するときに、第三者からユーザの健康記録を取得することができる。トリガイベントは、ユーザの病院で又はユーザのプライベートドクターで保存された症例（例えば、電子症例）又は医薬処方記録が作られるか又は更新されることを含むことができる。第三者は、病院、診療所、薬局、又はユーザ健康もしくは他の情報を作り、更新し、保存するかもしくは接触させる他の機構もしくは個人を含むことができる。
【０１６５】
以上に挙げられた例は理解を容易にするために過ぎず、実際に適用するとき、これに限定されないと注意すべきである。当業者は、原理を了解する状況で、完全に他の変形又は応用を行うことができる。例えば、環境制御システムを病室又は療養所などの場所に適用し、患者の病気治療と合わせる。環境制御システムは、医者がユーザの体状態パラメータを了解することを容易にするように、ユーザの健康記録をプライベートドクターとタイムリーに共有することもできる。
【０１６６】
人工知能の実施例５：日常生活のインテリジェントアシスタント
環境制御システムは、ユーザの日常生活をインテリジェントに管理することができ、１つの実施スキームは、環境制御システムがユーザの日常生活の習慣に基づいて、環境制御システムの内蔵機器又は外部機器を呼び出し、ユーザとインテリジェントに協同して一連の活動を完了することである。この日常生活は起床と休憩などを含むがこれらに限定されず、この機器は様々なインテリジェント電気製品を含むがこれに限定されない。例えば、ユーザの起床活動に対して、環境制御システムが協同できることは、目覚まし時計を起動し、電球を点灯し、カーテンを開き、エアコンを起動し、ドレッシング指数を提案するなどの複数の面を含むがこれらに限定されない。目覚まし時計の設定に関して、その目覚まし時計の音声と回数は、ユーザの好み又は習慣に基づいて定義されてもよく、目覚まし時計の音声は、音楽、人の声、動物の鳴き声などであってもよく、目覚まし時計の回数は１回だけであっても、一定の時間おきに１回提示してもよい。灯の点灯に関して、特定の時間に灯を点灯することができ、一定の時間内に灯光を徐々に明るくさせることもでき（例えば、太陽が昇る過程を真似る）、点灯時間と灯光輝度はユーザによって設定されても、システムにより自己学習して判断されてもよい。カーテンを開くかどうか及び開き時間は、ユーザの設定、又はシステムにより検出されたユーザが起きて衣服を着るかどうかに基づいて決定されてもよい。エアコンは、ユーザが起きた後に起動されても、ユーザが起きる前いに起動されてもよい。例えば、環境制御システムは、ユーザ命令及び（又は)１つ以上の他のパラメータに基づいてエアコンを制御することができ、ユーザ命令は、ユーザが起きる時間、起きる時の室温又は起きる前の一定の時間内の室温（例えば、起きる前の半時間又は１時間などの時間内に達しようとする室温）、温度変化速度などのパラメータのうちの１つ以上を含むことができる。エアコンへの制御は、起動時間、実行パワー、パワーの変化曲線（例えば、経時的な変化）などを含むがこれらに限定されない。ドレッシング指数の提示は、環境制御システムが天気予報機能を有する基礎上に作られ、例えば、室外温度が低いとき、環境制御システムは、より複数の服を着るようにユーザを提示することができる。休憩に対して、環境制御システムが協同できることは、休憩を提示し、灯を消灯し、エアコンを起動し、カーテンを閉じるなどの面を含むがこれらに限定されない。休憩提示の面では、環境制御システムは、ビデオ、音声又は音楽などを再生する方式により行われてもよく、ビデオ、音声又は音楽の選定はいずれもユーザの好み又は習慣に基づいて設定されてもよい。灯の消灯に関して、特定の時間に灯を消灯することができ、一定の時間内に灯光を徐々に暗くさせることもできる（例えば、太陽が沈む過程を真似る）。エアコンモードは、ユーザが寝る前に起動されても、環境制御システムにより、検出されたリアルタイム温度に基づいて、起動されるかどうかを判断してもよい。
【０１６７】
以上に挙げられた例は理解を容易にするために過ぎず、実際に適用するとき、これに限定されないと注意すべきである。当業者は、原理を了解する状況で、完全に他の変形又は応用を行うことができる。例えば、該日常生活のインテリジェントアシスタント機能と他の機能を合わせて、より複雑なタスクを完了する。例えば、日常生活のインテリジェントアシスタント機能とインテリジェントチャット機能を合わせることにより、子供が起きるとき又は寝る前に子供に物語を伝え、歌を学習するか又は授業を復習することを子供に助けることができる。環境制御システムにおいて関連アプリケーション又は命令を予め導入することにより、日常生活において、環境制御システムは、交流方式により、子供が新しい知識などを受けることを可能にすることができる。このような機能及び応用上の拡張はいずれも本願の保護範囲にある。
【０１６８】
人工知能の実施例６：生活のインテリジェント推薦
ビッグデータ、クラウドなどのデータとシステムの自己学習機能などによって、環境制御システムは、非常に親切でいつでもどこでもユーザに、彼たちが真に興味がある生活アドバイスを推薦することができる。これらの生活アドバイスは、ユーザに三度の食事のメニューを推薦すること、テレビ／映画番組、応接対象、外出計画、ボディビルディング計画などの様々な面を含むがこれらに限定されない。例えば、環境制御システムにおいてユーザの国籍、宗教信仰、食習慣、体の状況などの情報を記憶することができ、環境制御システムは、これらの情報を運用して合理的な食事メニューを自動的に推薦する。具体的には、環境制御システムは、食卓での料理を日常に検出し分析することにより、彼が野菜を主にすると気づき、該ユーザの健康記録に基づいて、彼の体が少しやせていると気づき、かつ該ユーザが特別な宗教信仰がないと気づき、それでは、以上の情報をまとめて、環境制御システムは、いくつかの肉類含有料理を推薦し、ユーザにより選定する。環境制御システムは、ユーザが掛ける電話番号、客室で現れる客、言及した人の名前を自動的に記録し分析し、或いはユーザの設定により、定期的にある客に会うか又はいくつかの客と連絡することをユーザに提示することができる。環境制御システムは、ユーザがテレビを見る記録、例えば、チャンネル、時間帯、番組などを記録し分析することができ、ある時間にユーザが興味がある番組を更新しようとすると仮定し、ユーザに推薦する。環境制御システムは、さらに当日の天気予報に基づいて、出かける前に、服を多く着て帽子をかぶるか、雨傘を持つか、マスクをするかどうかなどをユーザに提示することができる。また、環境制御システムは、さらにユーザの日常生活習慣、食習慣、健康状態推薦に基づいて、ボディビルディングを必要とするかどうか、どのようなボディビルディング方式を選定するかなどをユーザに推薦することができる。
【０１６９】
以上に挙げられた例は理解を容易にするために過ぎず、実際に適用するとき、これに限定されないと注意すべきである。当業者は、原理を了解する状況で、完全に他の変形又は応用を行うことができる。例えば、該機能と他の機能を合わせて、より複雑なタスクを完了することができる。例えば、該生活インテリジェント推薦機能とＮＦＣを合わせて、身に価値がある広告をユーザに推薦することができる。このような機能及び応用上の拡張はいずれも本願の保護範囲にある。
【図１】
2018513531.tif 000003
【図２】
2018513531.tif 000004
【図３−Ａ】
2018513531.tif 000005
【図３−Ｂ】
2018513531.tif 000006
【図４−Ａ】
2018513531.tif 000007
【図４−Ｂ】
2018513531.tif 000008
【図５】
2018513531.tif 000009
【図６】
2018513531.tif 000010
【図７】
2018513531.tif 000011
【図８】
2018513531.tif 000012
【図９】
2018513531.tif 000013
【図１０】
2018513531.tif 000014
【図１１】
2018513531.tif 000015
【図１２】
2018513531.tif 000016
【図１３−Ａ】
2018513531.tif 000017
【図１３−Ｂ】
2018513531.tif 000018
【図１３−Ｃ】
2018513531.tif 000019
【図１３−Ｄ】
2018513531.tif 000020
【図１４】
2018513531.tif 000021
【図１５】
2018513531.tif 000022
【図１６】
2018513531.tif 000023
【図１７】
2018513531.tif 000024
【図１８】
2018513531.tif 000025
【図１９】
2018513531.tif 000026
【図１９−Ａ】
2018513531.tif 000027
【図１９−Ｂ】
2018513531.tif 000028
【図１９−Ｃ】
2018513531.tif 000029
【図１９−Ｄ】
2018513531.tif 000030
【図１９−Ｅ】
2018513531.tif 000031
【図２０】
2018513531.tif 000032
【図２１】
2018513531.tif 000033
【図２２】
2018513531.tif 000034
【図２３】
2018513531.tif 000035
【図２４】
2018513531.tif 000036
【図２５】
2018513531.tif 000037
【図２６】
2018513531.tif 000038
【図２７】
2018513531.tif 000039
【図２８】
2018513531.tif 000040
【図２９】
2018513531.tif 000041
【図２９−Ａ】
2018513531.tif 000042
【図２９−Ｂ】
2018513531.tif 000043
【図３０】
2018513531.tif 000044
【図３１】
2018513531.tif 000045
【図３２】
2018513531.tif 000046
【図３３】
2018513531.tif 000047
【図３４】
2018513531.tif 000048
【図３５】
2018513531.tif 000049
【図３６】
2018513531.tif 000050
【図３７−Ａ】
2018513531.tif 000051
【図３７−Ｂ】
2018513531.tif 000052
【図３８】
2018513531.tif 000053
【図３９】
2018513531.tif 000054
【図４０】
2018513531.tif 000055
【図４１】
2018513531.tif 000056
【図４２】
2018513531.tif 000057
【図４３】
2018513531.tif 000058
【図４４】
2018513531.tif 000059
【図４５】
2018513531.tif 000060
【図４６】
2018513531.tif 000061
【図４７】
2018513531.tif 000062
【図４８】
2018513531.tif 000063
【図４９】
2018513531.tif 000064
【手続補正書】
【提出日】平成30年3月27日(2018.3.27)
【手続補正１】
【補正対象書類名】特許請求の範囲
【補正対象項目名】全文
【補正方法】変更
【補正の内容】
【特許請求の範囲】
【請求項１】
第１のパネルと第２のパネルを含み、
前記第１のパネルは、
第１の機器に関するパラメータを収集することができる第１のセンサーモジュールと、
少なくとも一部の収集されたパラメータ又はユーザ入力に基づいて、前記第１の機器への制御を決定することができる第１の処理モジュールとを含み、
前記第２のパネルは、前記第１のパネルとは独立して動作することができ、前記第２のパネルは、
前記第１の機器を制御することができる第１の物理調整器を含み、
前記第１のパネルは前記第１の物理調整器を制御することができ、前記第１のパネルと前記第２のパネルは取り外し可能に接続されるシステム。
【請求項２】
前記第２のパネルは、電流情報を収集して、前記電流情報を前記第１のパネルに送信することができる電流検出装置をさらに含む請求項１に記載のシステム。
【請求項３】
前記第１の物理調整器は調光器である請求項１又は２に記載のシステム。
【請求項４】
前記第１のパネルは、
物体の近接を感知することができる近接センサーと、
環境光の強度を感知することができる光センサーと、
環境温湿度センサーと、
ガス成分センサーと、
運動センサーとのうちの少なくとも一つを含む請求項１〜３のいずれか１項に記載のシステム。
【請求項５】
前記第１のパネルは、
開閉可能な物理バッフルを有する撮像機器と、
ゲートウェイと、
第１の通信モジュールと、
タッチスクリーンとのうちの少なくとも一つをさらに含み、
前記第１のパネルはさらに前記第１の通信モジュールにより第２の機器と通信することができる請求項１〜４のいずれか１項に記載のシステム。
【請求項６】
前記第１のパネルは、前記第２の機器との通信により前記第２の機器を制御することができる請求項５に記載のシステム。
【請求項７】
前記第１の通信モジュールと前記第２の機器との通信は１つ以上のオペレータネットワーク又は無線ネットワークを経由する請求項６に記載のシステム。
【請求項８】
前記第１のパネルは、
前記タッチスクリーンにより前記ユーザ入力を取得することができ、或いは、
前記タッチスクリーンにより前記第１の機器に関する情報を表示することができる請求項５に記載のシステム。
【請求項９】
前記第２のパネルは、
第２のセンサーモジュールと、
第２の通信モジュールとのうちの少なくとも一つをさらに含む請求項１〜８のいずれか１項に記載のシステム。
【請求項１０】
前記第１のパネルにより前記第１の機器を制御することができる無線スイッチと、
前記第１のパネルと前記第２のパネルを接続するコネクタとのうちの少なくとも一つをさらに含む請求項１〜９のいずれか１項に記載のシステム。
【請求項１１】
第１のパネルにより、第１の機器に関するパラメータ又はユーザ入力を取得することと、
少なくとも一部の取得されたパラメータ又はユーザ入力に基づいて、前記第１のパネルにより前記第１の機器への制御操作を決定することと、
前記第１の機器への制御操作を実行することとを含み、
前記第１の機器への制御操作は、前記第１のパネルにより第２のパネルの第１の物理調整器を制御することを含み、前記第２のパネルは、第１のパネルとは独立して前記第１の機器を制御することができ、前記第１のパネルは、前記第１の物理調整器を制御することができ、前記第１のパネルと前記第２のパネルは取り外し可能に接続される方法。
【請求項１２】
前記第１のパネルは、
前記第１の機器に関するパラメータを収集する第１のセンサーモジュールと、
第１の通信モジュールとのうちの少なくとも一つを含み、
前記第１のパネルは前記第１の通信モジュールにより第２の機器と通信する請求項１１に記載の方法。
【請求項１３】
前記第１のパネルはタッチスクリーンを含み、前記ユーザ入力は前記タッチスクリーンにより取得される請求項１１又は１２に記載の方法。
【請求項１４】
前記第１の物理調整器は調光器である請求項１１〜１３のいずれか１項に記載の方法。
【請求項１５】
前記第１のパネルは、前記第２の機器との通信により前記第２の機器を制御することができる請求項１１〜１４のいずれか１項に記載の方法。
【国際調査報告】
2018513531.tif 000065
2018513531.tif 000066
2018513531.tif 000067
2018513531.tif 000068